(57)【特許請求の範囲】
【請求項１】
ユーザ機器が下りリンク信号を受信する方法であって、
前記ユーザ機器が、前記ユーザ機器のサービングセル以外のスモールセルに対するディスカバリ信号ベースの無線リソース測定情報を受信するステップと、
前記ユーザ機器が、前記ディスカバリ信号ベースの無線リソース測定情報に基づいて、ディスカバリ信号送信周期で前記スモールセルのディスカバリ信号を受信するステップと、
前記ユーザ機器が、前記ディスカバリ信号に基づいて、前記スモールセルに対する参照信号受信電力（ＲＳＲＰ）測定を実行するステップと、
を有し、
前記ディスカバリ信号ベースの無線リソース測定情報は、前記ディスカバリ信号の送信タイミング情報を含み、
前記ディスカバリ信号送信周期は、前記ＲＳＲＰ測定が実行される測定周期と同じか、または短く、
前記ディスカバリ信号は、前記スモールセルのセル特定参照信号及び前記スモールセルの同期信号を含み、
前記スモールセルは、前記スモールセルの物理チャネルが受信される区間でＯＮ状態であり、または、前記ディスカバリ信号送信周期において、前記ディスカバリ信号のみが前記スモールセルから受信される区間でＯＦＦ状態であり、
前記スモールセルがＯＦＦ状態にあるときの前記セル特定参照信号と前記同期信号の周期である前記ディスカバリ信号送信周期は、前記スモールセルがＯＮ状態にあるときの前記セル特定参照信号と前記同期信号のそれぞれの周期より長い、下りリンク信号受信方法。
【請求項２】
前記スモールセルがＯＦＦ状態にあるとき、前記ＲＳＲＰ測定は、前記スモールセルの前記ディスカバリ信号に基づいて実行される、請求項１に記載の下りリンク信号受信方法。
【請求項３】
前記サービングセルから、前記スモールセルに対するセルＯＮ／ＯＦＦ情報を受信するステップを更に有する、請求項１に記載の下りリンク信号受信方法。
【請求項４】
前記スモールセルは、前記ユーザ機器と無線リソース制御接続された状態である、請求項１〜３のいずれか一項に記載の下りリンク信号受信方法。
【請求項５】
前記サービングセルから、前記サービングセルから前記スモールセルにハンドオーバーする命令を受信するステップを更に有する、請求項１〜３のいずれか一項に記載の下りリンク信号受信方法。
【請求項６】
下りリンク信号を受信するユーザ機器であって、
無線周波数（ＲＦ）ユニットと、
前記ＲＦユニットを制御するように構成されたプロセッサと、を備え、
前記プロセッサは、前記ユーザ機器のサービングセル以外のスモールセルに対するディスカバリ信号ベースの無線リソース測定情報を受信するよう前記ＲＦユニットを制御し、前記ディスカバリ信号ベースの無線リソース測定情報に基づいて、ディスカバリ信号送信周期で前記スモールセルのディスカバリ信号を受信するよう前記ＲＦユニットを制御し、前記ディスカバリ信号に基づいて、前記スモールセルに対する参照信号受信電力（ＲＳＲＰ）測定を実行するよう構成され、
前記ディスカバリ信号ベースの無線リソース測定情報は、前記ディスカバリ信号の送信タイミング情報を含み、
前記ディスカバリ信号送信周期は、前記ＲＳＲＰ測定が実行される測定周期と同じか、または短く、
前記ディスカバリ信号は、前記スモールセルのセル特定参照信号及び前記スモールセルの同期信号を含み、
前記スモールセルは、前記スモールセルの物理チャネルが受信される区間でＯＮ状態であり、または、前記ディスカバリ信号送信周期において、前記ディスカバリ信号のみが前記スモールセルから受信される区間でＯＦＦ状態であり、
前記スモールセルがＯＦＦ状態にあるときの前記セル特定参照信号と前記同期信号の周期である前記ディスカバリ信号送信周期は、前記スモールセルがＯＮ状態にあるときの前記セル特定参照信号と前記同期信号のそれぞれの周期より長い、ユーザ機器。
【請求項７】
前記スモールセルがＯＦＦ状態にあるとき、前記ＲＳＲＰ測定は、前記スモールセルの前記ディスカバリ信号に基づいて実行される、請求項６に記載のユーザ機器。
【請求項８】
前記プロセッサは、前記サービングセルから、前記スモールセルに対するセルＯＮ／ＯＦＦ情報を受信するよう前記ＲＦユニットを制御するよう構成される、請求項６に記載のユーザ機器。
【請求項９】
前記スモールセルは、前記ユーザ機器と無線リソース制御接続された状態である、請求項６〜８のいずれか一項に記載のユーザ機器。
【請求項１０】
前記プロセッサは、前記サービングセルから、前記サービングセルから前記スモールセルにハンドオーバーする命令を受信するよう前記ＲＦユニットを制御するよう構成される、請求項６〜８のいずれか一項に記載のユーザ機器。
【請求項１１】
基地局が下りリンク信号を送信する方法であって、
ユーザ機器に、前記ユーザ機器のサービングセルと異なるスモールセルに対するディスカバリ信号ベースの無線リソース測定情報を送信するステップと、
前記ユーザ機器から、前記スモールセルのディスカバリ信号に基づいて、前記ユーザ機器により測定された参照信号受信電力（ＲＳＲＰ）に関する情報を受信するステップと、
を有し、
前記ディスカバリ信号ベースの無線リソース測定情報は、ディスカバリ信号送信周期で送信される前記ディスカバリ信号の送信タイミング情報を含み、
前記ディスカバリ信号送信周期は、前記ＲＳＲＰが測定される測定周期と同じか、または短く、
前記ディスカバリ信号は、前記スモールセルのセル特定参照信号及び前記スモールセルの同期信号を含み、
前記スモールセルは、前記スモールセルの物理チャネルが受信される区間でＯＮ状態であり、または、前記ディスカバリ信号送信周期において、前記ディスカバリ信号のみが前記スモールセルから受信される区間でＯＦＦ状態であり、
前記スモールセルがＯＦＦ状態にあるときの前記セル特定参照信号と前記同期信号の周期である前記ディスカバリ信号送信周期は、前記スモールセルがＯＮ状態にあるときの前記セル特定参照信号と前記同期信号のそれぞれの周期より長い、下りリンク信号送信方法。
【請求項１２】
前記ユーザ機器に、前記スモールセルに対するセルＯＮ／ＯＦＦ情報を送信するステップを更に有する、請求項１１に記載の下りリンク信号送信方法。
【請求項１３】
前記スモールセルは、前記ユーザ機器と無線リソース制御接続された状態である、請求項１１または１２に記載の下りリンク信号送信方法。
【請求項１４】
前記スモールセルの基地局に、前記スモールセルがＯＮ状態となるよう要請するステップと、
前記ユーザ機器に、前記サービングセルから前記スモールセルにハンドオーバーする命令を送信するステップと、
を更に有する、請求項１１または１２に記載の下りリンク信号送信方法。
【請求項１５】
下りリンク信号を送信する基地局であって、
無線周波数（ＲＦ）ユニットと、
前記ＲＦユニットを制御するように構成されたプロセッサと、を備え、
前記プロセッサは、ユーザ機器に、前記ユーザ機器のサービングセルと異なるスモールセルに対するディスカバリ信号ベースの無線リソース測定情報を送信するよう前記ＲＦユニットを制御し、前記ユーザ機器から、前記スモールセルのディスカバリ信号に基づいて、前記ユーザ機器により測定された参照信号受信電力（ＲＳＲＰ）に関する情報を受信するよう前記ＲＦユニットを制御するよう構成され、
前記ディスカバリ信号ベースの無線リソース測定情報は、ディスカバリ信号送信周期で送信される前記ディスカバリ信号の送信タイミング情報を含み、
前記ディスカバリ信号送信周期は、前記ＲＳＲＰが測定される測定周期と同じか、または短く、
前記ディスカバリ信号は、前記スモールセルのセル特定参照信号及び前記スモールセルの同期信号を含み、
前記スモールセルは、前記スモールセルの物理チャネルが受信される区間でＯＮ状態であり、または、前記ディスカバリ信号送信周期において、前記ディスカバリ信号のみが前記スモールセルから受信される区間でＯＦＦ状態であり、
前記スモールセルがＯＦＦ状態にあるときの前記セル特定参照信号と前記同期信号の周期である前記ディスカバリ信号送信周期は、前記スモールセルがＯＮ状態にあるときの前記セル特定参照信号と前記同期信号のそれぞれの周期より長い、基地局。
【請求項１６】
前記プロセッサは、前記ユーザ機器に、前記スモールセルに対するセルＯＮ／ＯＦＦ情報を送信するよう前記ＲＦユニットを制御するよう構成される、請求項１５に記載の基地局。
【請求項１７】
前記スモールセルは、前記ユーザ機器と無線リソース制御接続された状態である、請求項１５または１６に記載の基地局。
【請求項１８】
前記プロセッサは、
前記スモールセルの基地局に、前記スモールセルがＯＮ状態となるよう要請し、
前記ユーザ機器に、前記サービングセルから前記スモールセルにハンドオーバーする命令を送信するよう前記ＲＦユニットを制御するよう構成される、請求項１５または１６に記載の基地局。
【発明の詳細な説明】
【技術分野】
【０００１】
本発明は、無線通信システムに関し、特に、上りリンク信号或いは下りリンク信号を送信或いは受信する方法及びそのための装置に関する。
【背景技術】
【０００２】
機器間（Ｍａｃｈｉｎｅ−ｔｏ−Ｍａｃｈｉｎｅ、Ｍ２Ｍ）通信と、高いデータ送信量を要求するスマートフォン、タブレットＰＣなどの様々な装置及び技術が出現及び普及されている。これに伴い、セルラー網で処理されることが要求されるデータ量も急増している。このように急増するデータ処理要求量を満たすために、より多くの周波数帯域を効率的に用いるための搬送波集成（ｃａｒｒｉｅｒ  ａｇｇｒｅｇａｔｉｏｎ）技術、認知無線（ｃｏｇｎｉｔｉｖｅ  ｒａｄｉｏ）技術などと、限られた周波数内で送信されるデータ容量を高めるための多重アンテナ技術、多重基地局協調技術などが発展している。
【０００３】
一般の無線通信システムは、１つの下りリンク（ｄｏｗｎｌｉｎｋ、ＤＬ）帯域とこれに対応する１つの上りリンク（ｕｐｌｉｎｋ、ＵＬ）帯域でデータ送／受信を行ったり（周波数分割デュプレックス（ｆｒｅｑｕｅｎｃｙ  ｄｉｖｉｓｉｏｎ  ｄｕｐｌｅｘ、ＦＤＤ）モードの場合）、所定の無線フレーム（Ｒａｄｉｏ  Ｆｒａｍｅ）を時間ドメイン（ｔｉｍｅ  ｄｏｍａｉｎ）で上りリンク時間ユニットと下りリンク時間ユニットとに区分し、上りリンク／下りリンク時間ユニットでデータ送／受信を行う（時分割デュプレックス（ｔｉｍｅ  ｄｉｖｉｓｉｏｎ  ｄｕｐｌｅｘ、ＴＤＤ）モードの場合）。基地局（ｂａｓｅ  ｓｔａｔｉｏｎ、ＢＳ）とユーザ機器（ｕｓｅｒ  ｅｑｕｉｐｍｅｎｔ、ＵＥ）は、所定の時間ユニット（ｕｎｉｔ）、例えば、サブフレーム（ｓｕｂｆｒａｍｅ、ＳＦ）内で、スケジュールされたデータ及び／又は制御情報を送受信する。データは、上りリンク／下りリンクサブフレームに設定されたデータ領域を通じて送受信され、制御情報は、上りリンク／下りリンクサブフレームに設定された制御領域を通じて送受信される。そのために、無線信号を搬送する様々な物理チャネルが上りリンク／下りリンクサブフレームに設定される。これに対し、搬送波集成技術は、より広い周波数帯域を用いるために複数の上りリンク／下りリンク周波数ブロックを集めてより大きい上りリンク／下りリンク帯域幅を用いることによって、単一搬送波が用いられる場合に比べて多量の信号を同時に処理することができる。
【０００４】
一方、ＵＥが周辺で接続（ａｃｃｅｓｓ）し得るノード（ｎｏｄｅ）の密度が高くなる方向に通信環境が進化している。ノードとは、１つ以上のアンテナを有し、ＵＥと無線信号を送信／受信できる固定した地点（ｐｏｉｎｔ）のことを指す。高い密度のノードを具備した通信システムは、ノード間の協調によってより高い性能の通信サービスをＵＥに提供することができる。
【発明の概要】
【発明が解決しようとする課題】
【０００５】
新しい無線通信技術の導入から、基地局が所定リソース領域でサービスを提供すべきＵＥの個数が増加するだけでなく、上記基地局がサービスを提供するＵＥと送信／受信するデータと制御情報の量も増加している。基地局がＵＥとの通信に利用可能な無線リソースの量は有限のため、基地局が有限の無線リソースを用いて上りリンク／下りリンクデータ及び／又は上りリンク／下りリンク制御情報をＵＥから／に効率的に受信／送信するための新しい方案が要求される。
【０００６】
また、送信装置が送信する制御信号及び／又はデータ信号が受信装置によって復元される時に用いられる参照信号を限られた無線リソース上で効率的に送信／受信されるための方案も要求される。
【０００７】
本発明が遂げようとする技術的課題は、以上で言及した技術的課題に制限されず、言及していない他の技術的課題は、以下の発明の詳細な説明から、本発明の属する技術の分野における通常の知識を有する者には明確に理解されるであろう。
【課題を解決するための手段】
【０００８】
本発明の基地局は、第１セル集合と前記第１セル集合のセルにそれぞれ対応するパラメータセットをユーザ機器に知らせ、前記第１セル集合の部分集合であるとともに、前記ユーザ機器と関連付けられた第２セル集合を知らせる。前記ユーザ機器は、前記第２セル集合と関連付けられたパラメータセットのいずれか一パラメータセットを用いて下りリンク信号を受信したり上りリンク信号を送信することができる。
【０００９】
本発明の一様相として、ユーザ機器が下りリンク信号を受信する方法であって、複数のセルを含む第１セル集合と前記複数のセルにそれぞれ対応する複数のパラメータセットに関する第１情報を受信し、前記複数のセルのうちの一つ以上を含む第２セル集合を示す第２情報を受信し、前記第２セル集合内の特定セルを示す第３情報を受信し、前記第３情報に基づいて、前記複数のパラメータセットのうち前記特定セルのパラメータセットを用いて前記特定セルを通じて前記下りリンク信号を受信することを含む、下りリンク信号受信方法が提供される。
【００１０】
本発明の他の様相として、下りリンク信号を受信するユーザ機器であって、無線周波数（ｒａｄｉｏ  ｆｒｅｑｕｅｎｃｙ、ＲＦ）ユニットと、前記ＲＦユニットを制御するように構成されたプロセッサとを備え、前記プロセッサは、複数のセルを含む第１セル集合及び前記複数のセルにそれぞれ対応する複数のパラメータセットに関する第１情報、前記複数のセルのうちの一つ以上を含む第２セル集合を示す第２情報、及び前記第２セル集合内の特定セルを示す第３情報を受信するようにＲＦユニットを制御し、前記第３情報に基づいて、前記複数のパラメータセットのうち前記特定セルのパラメータセットを用いて前記特定セルを通じて前記下りリンク信号を受信するように前記ＲＦユニットを制御する、ユーザ機器が提供される。
【００１１】
本発明の更に他の様相として、基地局が下りリンク信号を送信する方法であって、複数のセルを含む第１セル集合と前記複数のセルにそれぞれ対応する複数のパラメータセットに関する第１情報を送信し、前記複数のセルのうちの一つ以上を含む第２セル集合を示す第２情報を送信し、前記第２セル集合内の特定セルを示す第３情報を送信し、前記第３情報に基づいて、前記複数のパラメータセットのうち前記特定セルのパラメータセットを用いて前記特定セルを通じて前記下りリンク信号を送信することを含む、下りリンク信号送信方法が提供される。
【００１２】
本発明の更に他の様相として、下りリンク信号を送信する基地局であって、無線周波数（ｒａｄｉｏ  ｆｒｅｑｕｅｎｃｙ、ＲＦ）ユニットと、前記ＲＦユニットを制御するように構成されたプロセッサとを備え、前記プロセッサは、複数のセルを含む第１セル集合及び前記複数のセルにそれぞれ対応する複数のパラメータセットに関する第１情報、前記複数のセルのうちの一つ以上を含む第２セル集合を示す第２情報、及び前記第２セル集合内の特定セルを示す第３情報を送信するようにＲＦユニットを制御し、前記第３情報に基づいて、前記複数のパラメータセットのうち前記特定セルのパラメータセットを用いて前記特定セルを通じて前記下りリンク信号を送信するように前記ＲＦユニットを制御する、基地局が提供される。
【００１３】
本発明の各様相において、前記複数のパラメータセットのそれぞれは、該当のセルのアンテナポート個数、前記該当のセルのゼロ電力チャネル状態情報参照信号（ｃｈａｎｎｅｌ  ｓｔａｔｅ  ｉｎｆｏｒｍａｔｉｏｎ  ｒｅｆｅｒｅｎｃｅ  ｓｉｇｎａｌ、ＣＳＩ−ＲＳ）リソース設定情報、前記該当のセルの物理下りリンク制御チャネルの開始シンボルを示す情報、又は前記該当のセルの非−ゼロ電力ＣＳＩ−ＲＳリソース設定情報のうち少なくとも一つを含むことができる。
【００１４】
本発明の各様相において、前記特定セルの物理下りリンク制御チャネルを介して、サービングセルを、前記特定セルではなく他のセルに変更することを示す第４情報をさらに受信することができる。
【００１５】
本発明の各様相において、前記第４情報に基づいて、前記複数のパラメータセットのうち前記他のセルのパラメータセットを用いて前記他のセルを通じて他の信号が送信或いは受信することができる。
【００１６】
本発明の各様相において、前記他のセルは、前記第２セル集合に属することができる。
【００１７】
本発明の各様相において、前記第２セル集合内の各セルに対するディスカバリ信号の復号を試みて、前記第２セル集合内の各セルの状態を判断することをさらに含むことができる。
【００１８】
上記の課題解決方法は、本発明の実施例の一部に過ぎず、当該技術の分野における通常の知識を有する者にとっては、本願発明の技術的特徴が反映された様々な実施例を、以下に説明する本発明の詳細な説明から導出できるということは明らかであろう。
【発明の効果】
【００１９】
本発明によれば、上りリンク／下りリンク信号を効率的に送信／受信することができる。これによって、無線通信システムの全体処理量（ｔｈｒｏｕｇｈｐｕｔ）が向上する。
【００２０】
本発明によれば、ユーザ機器が効率的にハンドオーバー（ｈａｎｄｏｖｅｒ）を行うことができる。
【００２１】
本発明に係る効果は、以上で言及した効果に制限されず、言及していない他の効果は、以下の発明の詳細な説明から、本発明の属する技術の分野における通常の知識を有する者には明確に理解されるであろう。
【００２２】
本発明に関する理解を助けるために詳細な説明の一部として含まれる添付の図面は、本発明に関する実施例を提供し、詳細な説明と共に本発明の技術的思想を説明する。
【図面の簡単な説明】
【００２３】
【図１】無線通信システムで用いられる無線フレーム構造の一例を示す図である。
【図２】無線通信システムで下りリンク／上りリンク（ＤＬ／ＵＬ）スロット構造の一例を示す図である。
【図３】無線通信システムで用いられる下りリンクサブフレーム（ｓｕｂｆｒａｍｅ）構造を例示する図である。
【図４】無線通信システムに用いられる上りリンク（ｕｐｌｉｎｋ、ＵＬ）サブフレーム構造の一例を示す図である。
【図５】単一搬送波通信と多重搬送波通信を説明するための図である。
【図６】ＰＤＣＣＨ（Ｐｈｙｓｉｃａｌ  Ｄｏｗｎｌｉｎｋ  Ｃｏｎｔｒｏｌ  Ｃｈａｎｎｅｌ）或いはＥＰＤＣＣＨ（Ｅｎｈａｎｃｅｄ  ＰＤＣＣＨ）と、ＰＤＣＣＨ／ＥＰＤＣＣＨによってスケジュールされるデータチャネルを例示する図である。
【図７】セル特定的参照信号（ｃｅｌｌ  ｓｐｅｃｉｆｉｃ  ｒｅｆｅｒｅｎｃｅ  ｓｉｇｎａｌ、ＣＲＳ）とＵＥ特定的参照信号（ｕｓｅｒ  ｓｐｅｃｉｆｉｃ  ｒｅｆｅｒｅｎｃｅ  ｓｉｇｎａｌ、ＵＥ−ＲＳ）を例示する図である。
【図８】チャネル状態情報参照信号（ｃｈａｎｎｅｌ  ｓｔａｔｅ  ｉｎｆｏｒｍａｔｉｏｎ  ｒｅｆｅｒｅｎｃｅ  ｓｉｇｎａｌ、ＣＳＩ−ＲＳ）設定（ｃｏｎｆｉｇｕｒａｔｉｏｎ）を例示する図である。
【図９】スモールセルの概念を説明するための図である。
【図１０】既存ハンドオーバー過程を例示する図である。
【図１１】本発明に係るセル集合を説明するための図である。
【図１２】本発明に係るパラメータセットを例示する図である。
【図１３】本発明に係るパラメータセットを例示する図である。
【図１４】ディスカバリ信号の送信例を示す図である。
【図１５】本発明を行う送信装置（１０）及び受信装置（２０）の構成要素を示すブロック図である。
【発明を実施するための形態】
【００２４】
以下、本発明に係る好適な実施の形態を、添付の図面を参照して詳しく説明する。添付の図面と共に以下に開示される詳細な説明は、本発明の例示的な実施の形態を説明するためのものであり、本発明が実施し得る唯一の実施の形態を示すためのものではない。以下の詳細な説明は、本発明の完全な理解を提供するために具体的な細部事項を含む。しかし、当業者にとってはこのような具体的な細部事項なしにも本発明を実施できることは明らかである。
【００２５】
いくつかの場合、本発明の概念が曖昧になることを避けるために、公知の構造及び装置を省略したり、各構造及び装置の核心機能を中心にしたブロック図の形式で示すことができる。また、本明細書全体を通じて同一の構成要素については、同一の図面符号を付して説明する。
【００２６】
以下に説明する技法（ｔｅｃｈｎｉｑｕｅ）及び装置、システムは、様々な無線多元接続システムに適用することができる。多元接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システム、ＭＣ−ＦＤＭＡ（ｍｕｌｔｉ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）又はＣＤＭＡ２０００のような無線技術（ｔｅｃｈｎｏｌｏｇｙ）によって具現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）、ＧＰＲＳ（Ｇｅｎｅｒａｌ  Ｐａｃｋｅｔ  Ｒａｄｉｏ  Ｓｅｒｖｉｃｅ）、ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）（ｉ．ｅ．，ＧＥＲＡＮ）などのような無線技術によって具現することができる。ＯＦＤＭＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ−ＵＴＲＡ）などのような無線技術によって具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）の一部であり、３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡを用いるＥ−ＵＭＴＳの一部である。３ＧＰＰ  ＬＴＥは、下りリンク（ｄｏｗｎｌｉｎｋ、ＤＬ）ではＯＦＤＭＡを採択し、上りリンク（ｕｐｌｉｎｋ、ＵＬ）ではＳＣ−ＦＤＭＡを採択している。ＬＴＥ−Ａ（ＬＴＥ−ａｄｖａｎｃｅｄ）は、３ＧＰＰ  ＬＴＥの進化した形態である。説明の便宜のために、以下では、本発明が３ＧＰＰ  ＬＴＥ／ＬＴＥ−Ａに適用される場合を仮定して説明する。しかし、本発明の技術的特徴がこれに制限されるものではない。例えば、以下の詳細な説明が、移動通信システムが３ＧＰＰ  ＬＴＥ／ＬＴＥ−Ａシステムに対応する移動通信システムに基づいて説明されても、３ＧＰＰ  ＬＴＥ／ＬＴＥ−Ａ特有の事項以外は、他の任意の移動通信システムにも適用可能である。
【００２７】
例えば、本発明は、３ＧＰＰ  ＬＴＥ／ＬＴＥ−Ａシステムのように、ｅＮＢがＵＥに下りリンク／上りリンク時間／周波数リソースを割り当て、ＵＥがｅＮＢの割当てによって下りリンク信号を受信し、上りリンク信号を送信する非−競合ベース（ｎｏｎ−ｃｏｎｔｅｎｔｉｏｎ  ｂａｓｅｄ）通信だけでなく、Ｗｉ−Ｆｉのような競合ベース（ｃｏｎｔｅｎｔｉｏｎ  ｂａｓｅｄ）通信にも適用することができる。非−競合ベース通信技法は、接続ポイント（ａｃｃｅｓｓ  ｐｏｉｎｔ、ＡＰ）或いは上記接続ポイントを制御する制御ノード（ｎｏｄｅ）が、ＵＥと上記ＡＰ間の通信のためのリソースを割り当てるが、競合ベース通信技法は、ＡＰに接続しようとする複数ＵＥ間の競合によって通信リソースが占有される。競合ベース通信技法についして簡略に説明すると、競合ベース通信技法の一種として搬送波感知多元接続（ｃａｒｒｉｅｒ  ｓｅｎｓｅ  ｍｕｌｔｉｐｌｅ  ａｃｃｅｓｓ、ＣＳＭＡ）がある。ＣＳＭＡとは、ノード或いは通信機器が周波数帯域（ｂａｎｄ）のような、共有伝送媒体（ｓｈａｒｅｄ  ｔｒａｎｓｍｉｓｓｉｏｎ  ｍｅｄｉｕｍ）（共有チャネルともいう。）上でトラフィック（ｔｒａｆｆｉｃ）を送信する前に、同一の共有伝送媒体上に他のトラフィックがないことを確認する確率的（ｐｒｏｂａｂｉｌｉｓｔｉｃ）媒体接続制御（ｍｅｄｉａ  ａｃｃｅｓｓ  ｃｏｎｔｒｏｌ、ＭＡＣ）プロトコル（ｐｒｏｔｏｃｏｌ）を指す。ＣＳＭＡにおいて送信装置は受信装置にトラフィックを送ることを試みる前に、他の送信が進行中であるか否か決定する。換言すれば、送信装置は、送信を試みる前に、他の送信装置からの搬送波（ｃａｒｒｉｅｒ）の存在を検出（ｄｅｔｅｃｔ）することを試みる。搬送波が感知されると、送信装置は、自身の送信を開始する前に、進行中の他の送信装置によって送信が完了（ｆｉｎｉｓｈ）することを待つ。結局、ＣＳＭＡは、「ｓｅｎｓｅ  ｂｅｆｏｒｅ  ｔｒａｎｓｍｉｔ」或いは「ｌｉｓｔｅｎ  ｂｅｆｏｒｅ  ｔａｌｋ」の原理を基盤にした通信技法といえる。ＣＳＭＡを用いる競合ベース通信システムにおいて送信装置間の衝突を回避するための技法としてＣＳＭＡ／ＣＤ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ｄｅｔｅｃｔｉｏｎ）及び／又はＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）が用いられる。ＣＳＭＡ／ＣＤは、有線ＬＡＮ環境での衝突検出技法であり、イーサネット（ｅｔｈｅｒｎｅｔ）環境で通信をしようとするＰＣ（Ｐｅｒｓｏｎａｌ  Ｃｏｍｐｕｔｅｒ）やサーバー（ｓｅｒｖｅｒ）がまず、ネットワーク上で通信が行われているか確認した後、他の装置（ｄｅｖｉｃｅ）がデータを上記ネットワーク上で載せて送っていると、待ってからデータを送る。すなわち、２人以上のユーザ（例、ＰＣ、ＵＥなど）が同時にデータを乗せて送る場合、上記同時送信間に衝突が発生するが、ＣＳＭＡ／ＣＤは、上記衝突を監視し、柔軟性あるデータ送信がなされるようにする技法である。ＣＳＭＡ／ＣＤを用いる送信装置は、特定規則を用いて他の送信装置によるデータ送信を感知し、自身のデ���タ送信を調節する。ＣＳＭＡ／ＣＡは、ＩＥＥＥ８０２．１１標準に明示されている媒体接近制御プロトコルである。ＩＥＥＥ８０２．１１標準に従うＷＬＡＮシステムは、ＩＥＥＥ８０２．３標準で用いられたＣＳＭＡ／ＣＤを用いず、ＣＡ、すなわち、衝突を回避する方式を用いている。送信装置は、常にネットワークの搬送波を感知しているが、ネットワークが空になると、目録に登載された自身の位置によって、定められた時間を待ってからデータを送る。目録内で送信装置間の優先順位を決め、これを再設定（ｒｅｃｏｎｆｉｇｕｒａｔｉｏｎ）するためには様々方法を用いることができる。ＩＥＥＥ８０２．１１標準の一部バージョンに従うシステムでは、衝突が起きることがあり、この場合には衝突感知手順が行われる。ＣＳＭＡ／ＣＡを用いる送信装置は、特定規則を用いて、他の送信装置によるデータ送信と自身のデータ送信間の衝突を回避する。
【００２８】
本発明において、ＵＥは、固定していても移動性を有してもよく、基地局（ｂａｓｅ  ｓｔａｔｉｏｎ、ＢＳ）と通信してユーザデータ及び／又は各種制御情報を送受信する各種機器がこれに属する。ＵＥは、端末（Ｔｅｒｍｉｎａｌ  Ｅｑｕｉｐｍｅｎｔ）、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）などと呼ぶことができる。また、本発明において、ＢＳは、一般に、ＵＥ及び／又は他のＢＳと通信する固定局（ｆｉｘｅｄ  ｓｔａｔｉｏｎ）のことをいい、ＵＥ及び他のＢＳと通信して各種データ及び制御情報を交換する。ＢＳは、ＡＢＳ（Ａｄｖａｎｃｅｄ  Ｂａｓｅ  Ｓｔａｔｉｏｎ）、ＮＢ（Ｎｏｄｅ−Ｂ）、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、接続ポイント（Ａｃｃｅｓｓ  Ｐｏｉｎｔ）、ＰＳ（Ｐｒｏｃｅｓｓｉｎｇ  Ｓｅｒｖｅｒ）等の他の用語と呼ぶこともできる。以下の本発明に関する説明では、ＢＳをｅＮＢと総称する。
【００２９】
本発明でいうノード（ｎｏｄｅ）とは、ＵＥと通信して無線信号を送信／受信し得る固定した地点（ｐｏｉｎｔ）のことを指す。様々な形態のｅＮＢを、その名称に関係なくノードとして用いることができる。例えば、ＢＳ、ＮＢ、ｅＮＢ、ピコセルｅＮＢ（ＰｅＮＢ）、ホームｅＮＢ（ＨｅＮＢ）、リレー、リピータなどをノードとすることができる。また、ノードは、ｅＮＢでなくてもよい。例えば、無線リモートヘッド（ｒａｄｉｏ  ｒｅｍｏｔｅ  ｈｅａｄ、ＲＲＨ）、無線リモートユニット（ｒａｄｉｏ  ｒｅｍｏｔｅ  ｕｎｉｔ、ＲＲＵ）とすることもできる。ＲＲＨ、ＲＲＵなどは、一般に、ｅＮＢの電力レベル（ｐｏｗｅｒ  ｌｅｖｅｌ）よりも低い電力レベルを有する。ＲＲＨ或いはＲＲＵ（以下、ＲＲＨ／ＲＲＵ）は、一般に、光ケーブルなどの専用回線（ｄｅｄｉｃａｔｅｄ  ｌｉｎｅ）でｅＮＢに接続されているため、一般に、無線回線で接続されたｅＮＢによる協調通信に比べて、ＲＲＨ／ＲＲＵとｅＮＢによる協調通信を円滑に行うことができる。１つのノードには少なくとも１つのアンテナが設置される。上記アンテナは物理アンテナを意味することもでき、アンテナポート、仮想アンテナ、又はアンテナグループを意味することもできる。ノードは、ポイント（ｐｏｉｎｔ）とも呼ばれる。多重ノードシステムにおいて、複数のノードへの／からの信号送信／受信には、同一のセル識別子（ｉｄｅｎｔｉｔｙ、ＩＤ）を用いてもよく、互いに異なるセル識別子を用いてもよい。複数のノードが同一のセルＩＤを有する場合、上記複数のノードのそれぞれは、１つのセルの一部アンテナ集団のように動作する。多重ノードシステムでノードが互いに異なるセルＩＤを有すると、このような多重ノードシステムは、多重セル（例えば、マクロセル／フェムトセル／ピコセル）システムと見なすことができる。複数のノードのそれぞれが形成した多重セルがカバレッジによってオーバーレイ（ｏｖｅｒｌａｙ）する形態で構成されると、上記多重セルが形成したネットワークを特に多重−階層（ｍｕｌｔｉ−ｔｉｅｒ）ネットワークと呼ぶ。ＲＲＨ／ＲＲＵのセルＩＤとｅＮＢのセルＩＤは同一でもよく、異なってもよい。ＲＲＨ／ＲＲＵがｅＮＢと異なるセルＩＤを用いる場合、ＲＲＨ／ＲＲＵとｅＮＢはいずれも独立した基地局として動作する。
【００３０】
多重ノードシステムにおいて、複数のノードと接続された１つ以上のｅＮＢ或いはｅＮＢコントローラが上記複数のノードの一部又は全てを通じてＵＥに同時に信号を送信或いは受信するように上記複数のノードを制御することができる。各ノードの実体、各ノードの具現形態などによって多重ノードシステム間には相違点が存在するが、複数のノードが共に所定時間−周波数リソース上でＵＥに通信サービスを提供することに参加するという点で、それらの多重ノードシステムは単一ノードシステム（例えば、ＣＡＳ、従来のＭＩＭＯシステム、従来の中継システム、従来のリピータシステムなど）と相違する。したがって、複数のノードの一部又は全てを用いてデータ協調送信を行う方法に関する本発明の実施例は、各種の多重ノードシステムに適用することができる。例えば、ノードは、通常、他のノードと一定間隔以上離れて位置しているアンテナグループを指すが、後述する本発明の実施例は、ノードが間隔に関係なく任意のアンテナグループを意味する場合にも適用することができる。例えば、Ｘ−ｐｏｌ（Ｃｒｏｓｓ  ｐｏｌａｒｉｚｅｄ）アンテナを具備したｅＮＢの場合、該ｅＮＢがＨ−ｐｏｌアンテナで構成された（ｃｏｎｆｉｇｕｒｅｄ）ノードとＶ−ｐｏｌアンテナで構成されたノードを制御するとして、本発明の実施例を適用することができる。
【００３１】
複数の送信（Ｔｘ）／受信（Ｒｘ）ノードを通じて信号を送信／受信したり、複数の送信／受信ノードの中から選択された少なくとも１つのノードを通じて信号を送信／受信したり、下りリンク信号を送信するノードと上りリンク信号を受信するノードを別々にさせ得る通信技法を、多重−ｅＮＢ  ＭＩＭＯ又はＣｏＭＰ（Ｃｏｏｒｄｉｎａｔｅｄ  Ｍｕｌｔｉ−Ｐｏｉｎｔ  ｔｒａｎｓｍｉｓｓｉｏｎ／ｒｅｃｅｐｔｉｏｎ）という。このようなノード間協調通信のうち、協調送信技法は、大きく、ＪＰ（ｊｏｉｎｔ  ｐｒｏｃｅｓｓｉｎｇ）とスケジューリング協調（ｓｃｈｅｄｕｌｉｎｇ  ｃｏｏｒｄｉｎａｔｉｏｎ）とに区別できる。前者は、ＪＴ（ｊｏｉｎｔ  ｔｒａｎｓｍｉｓｓｉｏｎ）／ＪＲ（ｊｏｉｎｔ  ｒｅｃｅｐｔｉｏｎ）とＤＰＳ（ｄｙｎａｍｉｃ  ｐｏｉｎｔ  ｓｅｌｅｃｔｉｏｎ）とに区別でき、後者は、ＣＳ（ｃｏｏｒｄｉｎａｔｅｄ  ｓｃｈｅｄｕｌｉｎｇ）とＣＢ（ｃｏｏｒｄｉｎａｔｅｄ  ｂｅａｍｆｏｒｍｉｎｇ）とに区別できる。ＤＰＳは、ＤＣＳ（ｄｙｎａｍｉｃ  ｃｅｌｌ  ｓｅｌｅｃｔｉｏｎ）とも呼ばれる。他の協調通信技法に比べて、ノード間協調通信技法のうちＪＰが行われるとき、より様々な通信環境が形成されうる。ＪＰのうち、ＪＴは、複数のノードが同一のストリームをＵＥに送信する通信技法をいい、ＪＲは、複数のノードが同一のストリームをＵＥから受信する通信技法をいう。上記ＵＥ／ｅＮＢは、上記複数のノードから受信した信号を合成して上記ストリームを復元する。ＪＴ／ＪＲの場合、同一のストリームが複数のノードから／に送信されるため、送信ダイバーシティ（ｄｉｖｅｒｓｉｔｙ）によって信号送信の信頼度を向上させることができる。ＪＰのうち、ＤＰＳは、複数のノードのうち、特定規則によって選択されたことノードを通じて信号が送信／受信される通信技法をいう。ＤＰＳの場合、通常、ＵＥとノード間のチャネル状態の良いノードが通信ノードとして選択されるため、信号送信の信頼度を向上させることができる。
【００３２】
本発明でいうセル（ｃｅｌｌ）とは、１つ以上のノードが通信サービスを提供する一定の地理的領域を指す。したがって、本発明で特定セルと通信するということは、上記特定セルに通信サービスを提供するｅＮＢ或いはノードと通信するということを意味できる。また、特定セルの下りリンク／上りリンク信号は、上記特定セルに通信サービスを提供するｅＮＢ或いはノードからの／への下りリンク／上りリンク信号を意味する。ＵＥに上りリンク／下りリンク通信サービスを提供するセルを特にサービングセル（ｓｅｒｖｉｎｇ  ｃｅｌｌ）という。また、特定セルのチャネル状態／品質は、上記特定セルに通信サービスを提供するｅＮＢ或いはノードとＵＥ間に形成されたチャネル或いは通信リンクのチャネル状態／品質を意味する。ＬＴＥ／ＬＴＥ−Ａベースのシステムで、ＵＥは、特定ノードからの下りリンクチャネル状態を、上記特定ノードのアンテナポートが上記特定ノードに割り当てられたＣＲＳ（Ｃｅｌｌ−ｓｐｅｃｉｆｉｃ  Ｒｅｆｅｒｅｎｃｅ  Ｓｉｇｎａｌ）リソース上で送信されるＣＲＳ及び／又はＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）リソース上で送信するＣＳＩ−ＲＳ（上げる）を用いて測定することができる。一方、３ＧＰＰ  ＬＴＥ／ＬＴＥ−Ａシステムは、無線リソースを管理するためにセル（ｃｅｌｌ）の概念を用いているが、無線リソースと関連するセル（ｃｅｌｌ）は、地理的領域のセル（ｃｅｌｌ）と区別される。
【００３３】
地理的領域の「セル」は、ノードが搬送波を用いてサービスを提供できるカバレッジ（ｃｏｖｅｒａｇｅ）と理解することができ、無線リソースの「セル」は、上記搬送波によって設定（ｃｏｎｆｉｇｕｒｅ）される周波数範囲である帯域幅（ｂａｎｄｗｉｄｔｈ、ＢＷ）に関連する。ノードが有効な信号を送信できる範囲である下りリンクカバレッジと、ＵＥから有効な信号を受信できる範囲である上りリンクカバレッジは、当該信号を運ぶ搬送波に依存するので、ノードのカバレッジは、上記ノードが用いる無線リソースの「セル」のカバレッジと関連することもある。したがって、「セル」という用語は、時にはノードによるサービスのカバレッジを、時には無線リソースを、時には上記無線リソースを用いた信号が有効な強度で到達できる範囲を意味するために用いることができる。無線リソースの「セル」については、搬送波集成に関する説明においてより詳しく後述する。
【００３４】
３ＧＰＰ  ＬＴＥ／ＬＴＥ−Ａ標準は、上位層から生じる情報を運ぶリソース要素に対応する下りリンク物理チャネルと、物理層によって用いられるが、上位層から生じる情報を搬送しないリソース要素に対応する下りリンク物理信号を定義する。例えば、物理下りリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）、物理ブロードキャストチャネル（ｐｈｙｓｉｃａｌ  ｂｒｏａｄｃａｓｔ  ｃｈａｎｎｅｌ、ＰＢＣＨ）、物理マルチキャストチャネル（ｐｈｙｓｉｃａｌ  ｍｕｌｔｉｃａｓｔ  ｃｈａｎｎｅｌ、ＰＭＣＨ）、物理制御フォーマット指示子チャネル（ｐｈｙｓｉｃａｌ  ｃｏｎｔｒｏｌ  ｆｏｒｍａｔ  ｉｎｄｉｃａｔｏｒ  ｃｈａｎｎｅｌ、ＰＣＦＩＣＨ）、物理下りリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）及び物理ハイブリッドＡＲＱ指示子チャネル（ｐｈｙｓｉｃａｌ  ｈｙｂｒｉｄ  ＡＲＱ  ｉｎｄｉｃａｔｏｒ  ｃｈａｎｎｅｌ、ＰＨＩＣＨ）が下りリンク物理チャネルとして定義されており、参照信号と同期信号が下りリンク物理信号として定義されている。パイロット（ｐｉｌｏｔ）とも呼ばれる参照信号（ｒｅｆｅｒｅｎｃｅ  ｓｉｇｎａｌ、ＲＳ）は、ｅＮＢとＵＥが互いに知っている既に定義された特別な波形の信号を意味するが、例えば、セル特定的ＲＳ（ｃｅｌｌ  ｓｐｅｃｉｆｉｃ  ＲＳ）、ＵＥ−特定的ＲＳ（ＵＥ−ｓｐｅｃｉｆｉｃ  ＲＳ、ＵＥ−ＲＳ）、ポジショニングＲＳ（ｐｏｓｉｔｉｏｎｉｎｇ  ＲＳ、ＰＲＳ）及びチャネル状態情報ＲＳ（ｃｈａｎｎｅｌ  ｓｔａｔｅ  ｉｎｆｏｒｍａｔｉｏｎ  ＲＳ、ＣＳＩ−ＲＳ）が下りリンク参照信号として定義される。３ＧＰＰ  ＬＴＥ／ＬＴＥ−Ａ標準は、上位層から生じる情報を搬送するリソース要素に対応する上りリンク物理チャネルと、物理層によって用いられるが、上位層から生じる情報を搬送しないリソース要素に対応する上りリンク物理信号を定義している。例えば、物理上りリンク共有チャネル（ｐｈｙｓｉｃａｌ  ｕｐｌｉｎｋ  ｓｈａｒｅｄ  ｃｈａｎｎｅｌ、ＰＵＳＣＨ）、物理上りリンク制御チャネル（ｐｈｙｓｉｃａｌ  ｕｐｌｉｎｋ  ｃｏｎｔｒｏｌ  ｃｈａｎｎｅｌ、ＰＵＣＣＨ）、物理任意接続チャネル（ｐｈｙｓｉｃａｌ  ｒａｎｄｏｍ  ａｃｃｅｓｓ  ｃｈａｎｎｅｌ、ＰＲＡＣＨ）が上りリンク物理チャネルとして定義され、上りリンク制御／データ信号のための復調参照信号（ｄｅｍｏｄｕｌａｔｉｏｎ  ｒｅｆｅｒｅｎｃｅ  ｓｉｇｎａｌ、ＤＭＲＳ）と上りリンクチャネル測定に用いられるサウンディング参照信号（ｓｏｕｎｄｉｎｇ  ｒｅｆｅｒｅｎｃｅ  ｓｉｇｎａｌ、ＳＲＳ）が定義される。
【００３５】
本発明で、ＰＤＣＣＨ（Ｐｈｙｓｉｃａｌ  Ｄｏｗｎｌｉｎｋ  Ｃｏｎｔｒｏｌ  ＣＨａｎｎｅｌ）／ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）／ＰＨＩＣＨ（（Ｐｈｙｓｉｃａｌ  Ｈｙｂｒｉｄ  ａｕｔｏｍａｔｉｃ  ｒｅｔｒａｎｓｍｉｔ  ｒｅｑｕｅｓｔ  Ｉｎｄｉｃａｔｏｒ  ＣＨａｎｎｅｌ）／ＰＤＳＣＨ（Ｐｈｙｓｉｃａｌ  Ｄｏｗｎｌｉｎｋ  Ｓｈａｒｅｄ  Ｃｈａｎｎｅｌ）はそれぞれ、ＤＣＩ（Ｄｏｗｎｌｉｎｋ  Ｃｏｎｔｒｏｌ  Ｉｎｆｏｒｍａｔｉｏｎ）／ＣＦＩ（Ｃｏｎｔｒｏｌ  Ｆｏｒｍａｔ  Ｉｎｄｉｃａｔｏｒ）／下りリンクＡＣＫ／ＮＡＣＫ（ＡＣＫｎｏｗｌｅｇｅｍｅｎｔ／Ｎｅｇａｔｉｖｅ  ＡＣＫ）／下りリンクデータを搬送する時間−周波数リソースの集合或いはリソース要素の集合を意味する。また、ＰＵＣＣＨ（Ｐｈｙｓｉｃａｌ  Ｕｐｌｉｎｋ  Ｃｏｎｔｒｏｌ  ＣＨａｎｎｅｌ）／ＰＵＳＣＨ（Ｐｈｙｓｉｃａｌ  Ｕｐｌｉｎｋ  Ｓｈａｒｅｄ  ＣＨａｎｎｅｌ）／ＰＲＡＣＨ（Ｐｈｙｓｉｃａｌ  Ｒａｎｄｏｍ  Ａｃｃｅｓｓ  ＣＨａｎｎｅｌ）はそれぞれ、ＵＣＩ（Ｕｐｌｉｎｋ  Ｃｏｎｔｒｏｌ  Ｉｎｆｏｒｍａｔｉｏｎ）／上りリンクデータ／任意接続信号を搬送する時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、これに属した時間−周波数リソース或いはリソース要素（ｒｅｓｏｕｒｃｅ  ｅｌｅｍｅｎｔ、ＲＥ）をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ  ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと称する。以下では、ＵＥがＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で／或いは通じて、上りリンク制御情報／上りリンクデータ／任意接続信号を送信することと同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で／或いは通じて、下りリンクデータ／制御情報を送信することと同じ意味で使われる。
【００３６】
また、本発明で、ＰＢＣＨ／（ｅ）ＰＤＣＣＨ／ＰＤＳＣＨ／ＰＵＣＣＨ／ＰＵＳＣＨ領域は、ＰＢＣＨ／（ｅ）ＰＤＣＣＨ／ＰＤＳＣＨ／ＰＵＣＣＨ／ＰＵＳＣＨがマップされた或いはマップされ得る時間−周波数リソース領域をいう。
【００３７】
以下では、ＣＲＳ／ＤＭＲＳ／ＣＳＩ−ＲＳ／ＳＲＳ／ＵＥ−ＲＳ／ＴＲＳが割り当てられた或いは設定された（ｃｏｎｆｉｇｕｒｅｄ）ＯＦＤＭシンボル／副搬送波／ＲＥを、ＣＲＳ／ＤＭＲＳ／ＣＳＩ−ＲＳ／ＳＲＳ／ＵＥ−ＲＳ／ＴＲＳシンボル／搬送波／副搬送波／ＲＥと称する。例えば、トラッキングＲＳ（ｔｒａｃｋｉｎｇ  ＲＳ、ＴＲＳ）が割り当てられた或いは設定されたＯＦＤＭシンボルは、ＴＲＳシンボルと称し、ＴＲＳが割り当てられた或いは設定された副搬送波は、ＴＲＳ副搬送波と称し、ＴＲＳが割り当てられた或いは設定されたＲＥはＴＲＳ  ＲＥと称する。また、ＴＲＳ送信のために設定された（ｃｏｎｆｉｇｕｒｅｄ）サブフレームを、ＴＲＳサブフレームと称する。また、ブロードキャスト信号が送信されるサブフレームを、ブロードキャストサブフレーム或いはＰＢＣＨサブフレームと称し、同期信号（例えば、ＰＳＳ及び／又はＳＳＳ）が送信されるサブフレームを、同期信号サブフレーム或いはＰＳＳ／ＳＳＳサブフレームと称する。ＰＳＳ／ＳＳＳが割り当てられた或いは設定された（ｃｏｎｆｉｇｕｒｅｄ）ＯＦＤＭシンボル／副搬送波／ＲＥをそれぞれ、ＰＳＳ／ＳＳＳシンボル／副搬送波／ＲＥと称する。
【００３８】
本発明で、ＣＲＳポート、ＤＭＲＳポート、ＵＥ−ＲＳポート、ＣＳＩ−ＲＳポート、ＴＲＳポートとは、それぞれ、ＣＲＳを送信するように設定された（ｃｏｎｆｉｇｕｒｅｄ）アンテナポート、ＤＭＲＳを送信するように設定されたアンテナポート、ＵＥ−ＲＳを送信するように設定されたアンテナポート、ＵＥ−ＲＳを送信するように設定されたアンテナポート、ＴＲＳを送信するように設定されたアンテナポートを意味する。ＣＲＳを送信するように設定されたアンテナポートは、ＣＲＳポートによってＣＲＳが占有するＲＥの位置によって相互区別でき、ＵＥ−ＲＳを送信するように設定された（ｃｏｎｆｉｇｕｒｅｄ）アンテナポートは、ＵＥ−ＲＳポートによってＵＥ−ＲＳが占有するＲＥの位置によって相互区別でき、ＣＳＩ−ＲＳを送信するように設定されたアンテナポートは、ＣＳＩ−ＲＳポートによってＣＳＩ−ＲＳが占有するＲＥの位置によって相互区別できる。したがって、ＣＲＳ／ＤＭＲＳ／ＵＥ−ＲＳ／ＣＳＩ−ＲＳ／ＴＲＳポートという用語が、一定リソース領域（例、ＲＢ或いはＲＢ対）内でＣＲＳ／ＤＭＲＳ／ＵＥ−ＲＳ／ＣＳＩ−ＲＳ／ＴＲＳが占有するＲＥのパターンを意味する用語として用いられることもある。本発明でＤＭＲＳとＵＥ−ＲＳはいずれも復調用ＲＳを意味し、よって、ＤＭＲＳという用語とＵＥ−ＲＳという用語はいずれも復調用ＲＳを指すために用いられる。
【００３９】
図１は、無線通信システムで用いられる無線フレーム構造の一例を示す図である。
【００４０】
特に、図１（ａ）は、３ＧＰＰ  ＬＴＥ／ＬＴＥ−Ａシステムで用いられる周波数分割デュプレックス（ｆｒｅｑｕｅｎｃｙ  ｄｉｖｉｓｉｏｎ  ｄｕｐｌｅｘ、ＦＤＤ）用フレーム構造を示す図であり、図１（ｂ）は、３ＧＰＰ  ＬＴＥ／ＬＴＥ−Ａシステムで用いられる時分割デュプレックス（ｔｉｍｅ  ｄｉｖｉｓｉｏｎ  ｄｕｐｌｅｘ、ＴＤＤ）用フレーム構造を示す図である。
【００４１】
図１を参照すると、３ＧＰＰ  ＬＴＥ／ＬＴＥ−Ａシステムで用いられる無線フレームは、１０ｍｓ（３０７，２００Ｔs）の長さを有し、１０個の均等な大きさのサブフレーム（ｓｕｂｆｒａｍｅ、ＳＦ）で構成される。１無線フレーム内の１０個のサブフレームにはそれぞれ番号を与えることができる。ここで、Ｔsは、サンプリング時間を表し、Ｔs＝１／（２０４８・１５ｋＨｚ）で表示される。それぞれのサブフレームは１ｍｓの長さを有し、２個のスロットで構成される。１無線フレームにおいて２０個のスロットには０から１９まで順次に番号を付けることができる。それぞれのスロットは、０．５ｍｓの長さを有する。１サブフレームを送信するための時間は、送信時間間隔（ｔｒａｎｓｍｉｓｓｉｏｎ  ｔｉｍｅ  ｉｎｔｅｒｖａｌ、ＴＴＩ）と定義される。時間リソースは、無線フレーム番号（或いは、無線フレームであるデックスとも咸）、サブフレーム番号（或いは、サブフレーム番号）、スロット番号（或いは、スロットインデックス）などによって区分することができる。
【００４２】
無線フレームは、デュプレックス（ｄｕｐｌｅｘ）モードによって異なるように設定（ｃｏｎｆｉｇｕｒｅ）することができる。例えば、ＦＤＤモードで、下りリンク送信及び上りリンク送信は周波数によって区分されるため、無線フレームは、特定周波数帯域に対して下りリンクサブフレーム又は上りリンクサブフレームのいずれか１つのみを含む。ＴＤＤモードで、下りリンク送信及び上りリンク送信は、時間によって区分されるため、特定周波数帯域に対して無線フレームは下りリンクサブフレームと上りリンクサブフレームの両方を含む。
【００４３】
表１は、ＴＤＤモードで、無線フレームにおけるサブフレームのＤＬ−ＵＬ設定（ｃｏｎｆｉｇｕｒａｔｉｏｎ）を例示するものである。
【表１】
0006426106.tif 000002
【００４４】
表１で、Ｄは下りリンクサブフレームを、Ｕは上りリンクサブフレームを、Ｓは特異（ｓｐｅｃｉａｌ）サブフレームを表す。特異サブフレームは、ＤｗＰＴＳ（Ｄｏｗｎｌｉｎｋ  Ｐｉｌｏｔ  ＴｉｍｅＳｌｏｔ）、ＧＰ（Ｇｕａｒｄ  Ｐｅｒｉｏｄ）、ＵｐＰＴＳ（Ｕｐｌｉｎｋ  Ｐｉｌｏｔ  ＴｉｍｅＳｌｏｔ）の３つのフィールドを含む。ＤｗＰＴＳは、下りリンク送信用に留保される時間区間であり、ＵｐＰＴＳは、上りリンク送信用に留保される時間区間である。表２は、特異サブフレームの設定（ｃｏｎｆｉｇｕｒａｔｉｏｎ）を例示するものである。
【表２】
0006426106.tif 000003
【００４５】
図２は、無線通信システムにおいて下りリンク／上りリンク（ＤＬ／ＵＬ）スロット構造の一例を示す図である。特に、図２は、３ＧＰＰ  ＬＴＥ／ＬＴＥ−Ａシステムのリソース格子（ｒｅｓｏｕｒｃｅ  ｇｒｉｄ）の構造を示す。アンテナポート当たり１個のリソース格子がある。
【００４６】
図２を参照すると、スロットは、時間ドメイン（ｔｉｍｅ  ｄｏｍａｉｎ）で複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、周波数ドメイン（ｆｒｅｑｕｅｎｃｙ  ｄｏｍａｉｎ）で複数のリソースブロック（ｒｅｓｏｕｒｃｅ  ｂｌｏｃｋ、ＲＢ）を含む。ＯＦＤＭシンボルは、１シンボル区間を意味してもよい。図２を参照すると、各スロットで送信される信号はＮDL/ULRB×ＮRBsc個の副搬送波（ｓｕｂｃａｒｒｉｅｒ）とＮDL／ＵＬsymb個のＯＦＤＭシンボルとで構成されるリソース格子（ｒｅｓｏｕｒｃｅ  ｇｒｉｄ）で表現されることができる。ここで、ＮDLRBは、下りリンクスロットにおけるリソースブロック（ｒｅｓｏｕｒｃｅ  ｂｌｏｃｋ、ＲＢ）の個数を表し、ＮULRBは、ＵＬスロットにおけるＲＢの個数を表す。ＮDLRBとＮULRBは、ＤＬ送信帯域幅とＵＬ送信帯域幅にそれぞれ依存する。ＮDLsymbは、下りリンクスロットにおけるＯＦＤＭシンボルの個数を表し、ＮULsymbは、ＵＬスロットにおけるＯＦＤＭシンボルの個数を表す。ＮRBscは、１ ＲＢを構成する副搬送波の個数を表す。
【００４７】
ＯＦＤＭシンボルは、多元接続方式によって、ＯＦＤＭシンボル、ＳＣ−ＦＤＭ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘｉｎｇ）シンボルなどと呼ぶことができる。１スロットに含まれるＯＦＤＭシンボルの数は、チャネル帯域幅、ＣＰ（ｃｙｃｌｉｃ  ｐｒｅｆｉｘ）の長さによって様々に変更することができる。例えば、正規（ｎｏｒｍａｌ）ＣＰの場合には、１スロットが７  ＯＦＤＭシンボルを含むが、拡張（ｅｘｔｅｎｄｅｄ）ＣＰの場合には、１スロットが６  ＯＦＤＭシンボルを含む。図２では、説明の便宜のために、１スロットが７  ＯＦＤＭシンボルで構成されるサブフレームを例示するが、本発明の実施例は、他の個数のＯＦＤＭシンボルを有するサブフレームにも同様の方式で適用することができる。図２を参照すると、各ＯＦＤＭシンボルは、周波数ドメインで、ＮDL/ULRB×ＮRBsc個の副搬送波を含む。副搬送波の類型としては、データ送信のためのデータ副搬送波、参照信号（ｒｅｆｅｒｅｎｃｅ  ｓｉｇｎａｌ）の送信のための参照信号副搬送波、保護バンド（ｇｕａｒｄ  ｂａｎｄ）又は直流（Ｄｉｒｅｃｔ  Ｃｕｒｒｅｎｔ、ＤＣ）成分のためのヌル（ｎｕｌｌ）副搬送波を含むことができる。ＤＣ成分は、ＯＦＤＭ信号生成過程或いは周波数アップコンバート過程で搬送波周波数（ｃａｒｒｉｅｒ  ｆｒｅｑｕｅｎｃｙ、ｆ0）にマップ（ｍａｐｐｉｎｇ）される。搬送波周波数は、中心周波数（ｃｅｎｔｅｒ  ｆｒｅｑｕｅｎｃｙ、ｆc）とも呼ぶ。
【００４８】
１ ＲＢは、時間ドメインでＮDL/ULsymb個（例えば、７個）の連続するＯＦＤＭシンボルと定義され、周波数ドメインでＮRBsc個（例えば、１２個）の連続する副搬送波と定義される。参考として、１  ＯＦＤＭシンボルと１副搬送波で定義されたリソースをリソース要素（ｒｅｓｏｕｒｃｅ  ｅｌｅｍｅｎｔ、ＲＥ）或いはトーン（ｔｏｎｅ）という。したがって、１  ＲＢは、ＮDL/ULsymb×ＮRBsc個のリソース要素で構成される。リソース格子内の各リソース要素は、１スロットにおけるインデックス対（ｋ，１）によって固有に定義することができる。ｋは、周波数ドメインで０からＮDL/ULRB×ＮRBsc−１まで与えられるインデックスであり、ｌは、時間ドメインで０からＮDL/ULsymb−１まで与えられるインデックスである。
【００４９】
一方、１  ＲＢは、物理リソースブロック（ｐｈｙｓｉｃａｌ  ｒｅｓｏｕｒｃｅ  ｂｌｏｃｋ、ＰＲＢ）と１仮想リソースブロック（ｖｉｒｔｕａｌ  ｒｅｓｏｕｒｃｅ  ｂｌｏｃｋ、ＶＲＢ）にそれぞれマップされる。ＰＲＢは、時間ドメインでＮDL/ULsymb個（例えば、７個）の連続するＯＦＤＭシンボル或いはＳＣ−ＦＤＭシンボルと定義され、周波数ドメインでＮRBsc個（例えば、１２個）の連続する副搬送波と定義される。したがって、１  ＰＲＢは、ＮDL/ULsymb×ＮRBsc個のリソース要素で構成される。１サブフレームでＮRBsc個の連続する同一の副搬送波を占有しながら、上記サブフレームの２個のスロットそれぞれに１個ずつ位置する２個のＲＢを、ＰＲＢ対と呼ぶ。ＰＲＢ対を構成する２個のＲＢは、同一のＰＲＢ番号（或いは、ＰＲＢインデックスともいう）を有する。
【００５０】
図３は、無線通信システムで用いられる下りリンクサブフレーム（ｓｕｂｆｒａｍｅ）構造を例示する図である。
【００５１】
図３を参照すると、ＤＬサブフレームは、時間ドメインで制御領域（ｃｏｎｔｒｏｌ  ｒｅｇｉｏｎ）とデータ領域（ｄａｔａ  ｒｅｇｉｏｎ）とに区別される。図３を参照すると、サブフレームの第１のスロットで前部に位置した最大３（或いは、４）個のＯＦＤＭシンボルは、制御チャネルが割り当てられる制御領域（ｃｏｎｔｒｏｌ  ｒｅｇｉｏｎ）に対応する。以下、ＤＬサブフレームでＰＤＣＣＨ送信に利用可能なリソース領域（ｒｅｓｏｕｒｃｅ  ｒｅｇｉｏｎ）をＰＤＣＣＨ領域と称する。制御領域として用いられるＯＦＤＭシンボル以外の残りのＯＦＤＭシンボルは、ＰＤＳＣＨ（Ｐｈｙｓｉｃａｌ  Ｄｏｗｎｌｉｎｋ  Ｓｈａｒｅｄ  ＣＨａｎｎｅｌ）が割り当てられるデータ領域（ｄａｔａ  ｒｅｇｉｏｎ）に該当する。以下、ＤＬサブフレームでＰＤＳＣＨ送信に利用可能なリソース領域をＰＤＳＣＨ領域と称する。３ＧＰＰ  ＬＴＥで用いられるＤＬ制御チャネルの例としては、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  ｈｙｂｒｉｄ  ＡＲＱ  ｉｎｄｉｃａｔｏｒ  Ｃｈａｎｎｅｌ）などを含む。ＰＣＦＩＣＨは、サブフレームの最初のＯＦＤＭシンボルで送信され、サブフレーム内で制御チャネルの送信に用いられるＯＦＤＭシンボルの個数に関する情報を搬送する。ＰＨＩＣＨは、ＵＬ送信に対する応答としてＨＡＲＱ（Ｈｙｂｒｉｄ  Ａｕｔｏｍａｔｉｃ  Ｒｅｐｅａｔ  Ｒｅｑｕｅｓｔ）ＡＣＫ／ＮＡＣＫ（ａｃｋｎｏｗｌｅｄｇｍｅｎｔ／ｎｅｇａｔｉｖｅ−ａｃｋｎｏｗｌｅｄｇｍｅｎｔ）信号を搬送する。
【００５２】
ＰＤＣＣＨで送信される制御情報を下りリンク制御情報（ｄｏｗｎｌｉｎｋ  ｃｏｎｔｒｏｌ  ｉｎｆｏｒｍａｔｉｏｎ、ＤＣＩ）と称する。ＤＣＩは、ＵＥ又はＵＥグループのためのリソース割当て情報及び他の制御情報を含む。ＤＬ共有チャネル（ｄｏｗｎｌｉｎｋ  ｓｈａｒｅｄ  ｃｈａｎｎｅｌ、ＤＬ−ＳＣＨ）の送信フォーマット（Ｔｒａｎｓｍｉｔ  Ｆｏｒｍａｔ）及びリソース割当て情報は、ＤＬスケジューリング情報或いはＤＬグラント（ＤＬ  ｇｒａｎｔ）とも呼ばれ、ＵＬ共有チャネル（ｕｐｌｉｎｋ  ｓｈａｒｅｄ  ｃｈａｎｎｅｌ、ＵＬ−ＳＣＨ）の送信フォーマット及びリソース割当て情報は、ＵＬスケジューリング情報或いはＵＬグラント（ＵＬ  ｇｒａｎｔ）とも呼ばれる。１  ＰＤＣＣＨが搬送するＤＣＩは、ＤＣＩフォーマットによってその大きさと用途が異なり、コーディングレートによってその大きさが異なりうる。ＤＣＩフォーマットのそれぞれの用途に合わせて、ホッピングフラグ、ＲＢ割当て（ＲＢ  ａｌｌｏｃａｔｉｏｎ）、ＭＣＳ（ｍｏｄｕｌａｔｉｏｎ  ｃｏｄｉｎｇ  ｓｃｈｅｍｅ）、ＲＶ（ｒｅｄｕｎｄａｎｃｙ  ｖｅｒｓｉｏｎ）、ＮＤＩ（ｎｅｗ  ｄａｔａ  ｉｎｄｉｃａｔｏｒ）、ＴＰＣ（ｔｒａｎｓｍｉｔ  ｐｏｗｅｒ  ｃｏｎｔｒｏｌ）、循環遷移ＤＭＲＳ（ｃｙｃｌｉｃ  ｓｈｉｆｔ  ｄｅｍｏｄｕｌａｔｉｏｎ  ｒｅｆｅｒｅｎｃｅ  ｓｉｇｎａｌ）、ＵＬインデックス、ＣＱＩ（ｃｈａｎｎｅｌ  ｑｕａｌｉｔｙ  ｉｎｆｏｒｍａｔｉｏｎ）要請、ＤＬ割当てインデックス（ＤＬ  ａｓｓｉｇｎｍｅｎｔ  ｉｎｄｅｘ）、ＨＡＲＱプロセス番号（或いは、インデックス）、ＴＰＭＩ（ｔｒａｎｓｍｉｔｔｅｄ  ｐｒｅｃｏｄｉｎｇ  ｍａｔｒｉｘ  ｉｎｄｉｃａｔｏｒ）、ＰＭＩ（ｐｒｅｃｏｄｉｎｇ  ｍａｔｒｉｘ  ｉｎｄｉｃａｔｏｒ）情報などの制御情報が適宜選択された組合せが下りリンク制御情報としてＵＥに送信される。表３に、ＤＣＩフォーマットの例を示す。
【表３】
0006426106.tif 000004
【００５３】
表３で、フォーマット０及び４は、上りリンク用に定義されたＤＣＩフォーマットであり、フォーマット１、１Ａ、１Ｂ、１Ｃ、１Ｄ、２、２Ａ、２Ｂ、２Ｃ、３及び３Ａは、下りリンク用に定義されたＤＣＩフォーマットである。この他にも様々なＤＣＩフォーマットが定義されてもよい。
【００５４】
複数のＰＤＣＣＨを制御領域内で送信することができる。ＵＥは、複数のＰＤＣＣＨをモニタすることができる。ｅＮＢは、ＵＥに送信されるＤＣＩによってＤＣＩフォーマットを決定し、ＤＣＩにＣＲＣ（ｃｙｃｌｉｃ  ｒｅｄｕｎｄａｎｃｙ  ｃｈｅｃｋ）を付加する。ＣＲＣは、ＰＤＣＣＨの所有者又は使用目的によって識別子（例、ＲＮＴＩ（ｒａｄｉｏ  ｎｅｔｗｏｒｋ  ｔｅｍｐｏｒａｒｙ  ｉｄｅｎｔｉｆｉｅｒ））でマスク（又は、スクランブル）される。例えば、ＰＤＣＣＨが特定ＵＥのためのものであれば、当該ＵＥの識別子（例、ｃｅｌｌ−ＲＮＴＩ（Ｃ−ＲＮＴＩ））をＣＲＣにマスクすることができる。ＰＤＣＣＨがページングメッセージのためのものであれば、ページング識別子（例、ｐａｇｉｎｇ−ＲＮＴＩ（Ｐ−ＲＮＴＩ））をＣＲＣにマスクすることができる。ＰＤＣＣＨがシステム情報（より具体的に、システム情報ブロック（ｓｙｓｔｅｍ  ｉｎｆｏｒｍａｔｉｏｎ  ｂｌｏｃｋ、ＳＩＢ））のためのものであれば、ＳＩ−ＲＮＴＩ（ｓｙｓｔｅｍ  ｉｎｆｏｒｍａｔｉｏｎ  ＲＮＴＩ）をＣＲＣにマスクすることができる。ＰＤＣＣＨが任意接続応答のためのものであれば、ＲＡ−ＲＮＴＩ（ｒａｎｄｏｍ  ａｃｃｅｓｓ−ＲＮＴＩ）をＣＲＣにマスクすることができる。ＣＲＣマスク（又は、スクランブル）は、例えば、ビットレベルでＣＲＣとＲＮＴＩをＸＯＲ演算することを含む。
【００５５】
ＰＤＣＣＨは、１つ又は複数の連続した制御チャネル要素（ｃｏｎｔｒｏｌ  ｃｈａｎｎｅｌ  ｅｌｅｍｅｎｔ、ＣＣＥ）の集成（ａｇｇｒｅｇａｔｉｏｎ）上で送信される。ＣＣＥは、ＰＤＣＣＨに無線チャネル状態に基づくコーディングレートを提供するために用いる論理的割当てユニットである。ＣＣＥは、複数のリソース要素グループ（ｒｅｓｏｕｒｃｅ  ｅｌｅｍｅｎｔ  ｇｒｏｕｐ、ＲＥＧ）に対応する。例えば、１  ＣＣＥは９  ＲＥＧに対応し、１  ＲＥＧは４  ＲＥに対応する。４個のＱＰＳＫシンボルがそれぞれのＲＥＧにマップされる。参照信号（ＲＳ）によって占有されたリソース要素（ＲＥ）は、ＲＥＧに含まれない。したがって、与えられたＯＦＤＭシンボル内でＲＥＧの個数は、ＲＳが存在するか否かによって異なってくる。ＲＥＧ概念は、他の下りリンク制御チャネル（すなわち、ＰＣＦＩＣＨ及びＰＨＩＣＨ）にも用いられる。例えば、ＰＣＦＩＣＨ及びＰＨＩＣＨはそれぞれ、４個のＲＥＧ及び３個のＲＥＧを含む。ＰＣＦＩＣＨ或いはＰＨＩＣＨに割り当てられていないＲＥＧの個数をＮREGとすれば、システムでＰＤＣＣＨのために利用可能な下りリンクサブフレームにおけるＣＣＥの個数は、０からＮCCE−１までナンバリングされ、ここで、ＮCCE＝ｆｌｏｏｒ（ＮREG／９）である。
【００５６】
ＰＤＣＣＨフォーマット及びＤＣＩビット数は、ＣＣＥの個数によって決定される。ＣＣＥは、番号が付けられて連続して用いられ、復号（ｄｅｃｏｄｉｎｇ）過程を簡単にするために、ｎ個ＣＣＥで構成されたフォーマットを有するＰＤＣＣＨは、ｎの倍数に該当する番号を有するＣＣＥでのみ開始することができる。例えば、ｎ個の連続した（ｃｏｎｓｅｃｕｔｉｖｅ）ＣＣＥで構成されたＰＤＣＣＨは、「ｉ  ｍｏｄ  ｎ  ＝０」を満たすＣＣＥ上でのみ開始することができる。ここで、ｉは、ＣＣＥインデックス（或いは、ＣＣＥ番号）である。
【００５７】
特定ＰＤＣＣＨの送信に用いられるＣＣＥの個数は、チャネル状態に基づいてネットワーク或いはｅＮＢによって決定される。例えば、良い下りリンクチャネルを有するＵＥ（例、ｅＮＢに近接している）のためのＰＤＣＣＨの場合、１個のＣＣＥでも十分でありうる。しかし、劣悪なチャネルを有するＵＥ（例、セル境界に近接している）のためのＰＤＣＣＨの場合、十分なロバスト性（ｒｏｂｕｓｔｎｅｓｓ）を得るためには、８個のＣＣＥが要求されてもよい。また、ＰＤＣＣＨの電力レベルは、チャネル状態に合わせて調整することができる。
【００５８】
３ＧＰＰ  ＬＴＥ／ＬＴＥ−Ａシステムの場合、各ＵＥのためにＰＤＣＣＨが位置し得るＣＣＥの集合（ｓｅｔ）が定義される。ＵＥが自身のＰＤＣＣＨを発見できるＣＣＥの集合をＰＤＣＣＨ探索空間、簡単に探索空間（Ｓｅａｒｃｈ  Ｓｐａｃｅ、ＳＳ）と呼ぶ。探索空間内でＰＤＣＣＨが送信されてもよい個別リソースをＰＤＣＣＨ候補（ｃａｎｄｉｄａｔｅ）と呼ぶ。ＵＥがモニタ（ｍｏｎｉｔｏｒｉｎｇ）するＰＤＣＣＨ候補の集合は、探索空間と定義する。探索空間は、異なる大きさを有することができ、専用（ｄｅｄｉｃａｔｅｄ）探索空間と共通（ｃｏｍｍｏｎ）探索空間が定義されている。専用探索空間は、ＵＥ特定的探索空間（ＵＥ−ｓｐｅｃｉｆｉｃ  ｓｅａｒｃｈ  ｓｐａｃｅ、ＵＳＳ）であり、それぞれの個別ＵＥのために設定される（ｃｏｎｆｉｇｕｒｅｄ）。共通探索空間（ｃｏｍｍｏｎ  ｓｅａｒｃｈ  ｓｐａｃｅ、ＣＳＳ）は、複数のＵＥのために設定される。
【００５９】
ｅＮＢは、探索空間内の任意のＰＤＣＣＨ候補上で実際ＰＤＣＣＨ（ＤＣＩ）を送信し、ＵＥは、ＰＤＣＣＨ（ＤＣＩ）を探すために探索空間をモニタする。ここで、モニタするということは、全てのモニタされるＤＣＩフォーマットによって該当の探索空間内の各ＰＤＣＣＨの復号（ｄｅｃｏｄｉｎｇ）を試みる（ａｔｔｅｍｐｔ）ことを意味する。ＵＥは、上記複数のＰＤＣＣＨをモニタリングし、自身のＰＤＣＣＨを検出することができる。基本的に、ＵＥは、自身のＰＤＣＣＨが送信される位置を知っておらず、毎サブフレームごとに該当のＤＣＩフォーマットの全てのＰＤＣＣＨに対して、自身の識別子を有するＰＤＣＣＨを検出するまでＰＤＣＣＨの復号を試みるが、このような過程をブラインド検出（ｂｌｉｎｄ  ｄｅｔｅｃｔｉｏｎ）或いはブラインド復号（ｂｌｉｎｄ  ｄｅｃｏｄｉｎｇ、ＢＤ）という。
【００６０】
例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣ（ｃｙｃｌｉｃ  ｒｅｄｕｎｄａｎｃｙ  ｃｈｅｃｋ）マスク（ｍａｓｋｉｎｇ）されており、「Ｂ」という無線リソース（例、周波数位置）及び「Ｃ」という送信形式情報（例、送信ブロックサイズ、変調方式、コーディング情報など）を用いて送信されるデータに関する情報が特定ＤＬサブフレームで送信されると仮定（ａｓｓｕｍｅ）する。ＵＥは、自身の有しているＲＮＴＩ情報を用いてＰＤＣＣＨをモニタし、「Ａ」というＲＮＴＩを有するＵＥはＰＤＣＣＨを検出し、受信したＰＤＣＣＨの情報を用いて「Ｂ」と「Ｃ」によって示されるＰＤＳＣＨを受信する。
【００６１】
図４は、無線通信システムに用いられる上りリンク（ｕｐｌｉｎｋ、ＵＬ）サブフレーム構造の一例を示す図である。
【００６２】
図４を参照すると、ＵＬサブフレームは、周波数ドメインで制御領域とデータ領域とに区別できる。１つ又は複数のＰＵＣＣＨ（ｐｈｙｓｉｃａｌ  ｕｐｌｉｎｋ  ｃｏｎｔｒｏｌ  ｃｈａｎｎｅｌ）を上りリンク制御情報（ｕｐｌｉｎｋ  ｃｏｎｔｒｏｌ  ｉｎｆｏｒｍａｔｉｏｎ、ＵＣＩ）を搬送するために上記制御領域に割り当てることができる。１つ又は複数のＰＵＳＣＨ（ｐｈｙｓｉｃａｌ  ｕｐｌｉｎｋ  ｓｈａｒｅｄ  ｃｈａｎｎｅｌ）をユーザデータを搬送するためにＵＬサブフレームのデータ領域に割り当てることができる。
【００６３】
ＵＬサブフレームではＤＣ（Ｄｉｒｅｃｔ  Ｃｕｒｒｅｎｔ）副搬送波を基準に遠い距離の副搬送波が制御領域でとして活用される。換言すれば、ＵＬ送信帯域幅の両端部に位置する副搬送波が上りリンク制御情報の送信に割り当てられる。ＤＣ副搬送波は、信号送信に用いられないで残される成分であり、周波数アップコンバート過程で搬送波周波数ｆ0にマップされる。１つのＵＥに対するＰＵＣＣＨは、１つのサブフレームで、１つの搬送波周波数で動作するリソースに属したＲＢ対に割り当てられ、上記ＲＢ対に属したＲＢは、２つのスロットでそれぞれ異なる副搬送波を占有する。このように割り当てられるＰＵＣＣＨを、ＰＵＣＣＨに割り当てられたＲＢ対がスロット境界で周波数ホップすると表現する。ただし、周波数ホップが適用されない場合には、ＲＢ対が同一の副搬送波を占有する。
【００６４】
ＰＵＣＣＨは、次の制御情報を送信するために用いことができる。
【００６５】
ＳＲ（Ｓｃｈｅｄｕｌｉｎｇ  Ｒｅｑｕｅｓｔ）：上りリンクＵＬ−ＳＣＨリソースを要請するために用いられる情報である。ＯＯＫ（Ｏｎ−Ｏｆｆ  Ｋｅｙｉｎｇ）方式を用いて送信される。
【００６６】
ＨＡＲＱ−ＡＣＫ：ＰＤＣＣＨに対する応答及び／又はＰＤＳＣＨ上の下りリンクデータパケット（例、コードワード）に対する応答である。ＰＤＣＣＨ或いはＰＤＳＣＨが成功的に受信されたか否かを示す。単一下りリンクコードワードに対する応答としてＨＡＲＱ−ＡＣＫ１ビットが送信され、２つの下りリンクコードワードに対する応答とししてＨＡＲＱ−ＡＣＫ２ビットが送信される。ＨＡＲＱ−ＡＣＫ応答は、ポジティブＡＣＫ（簡単に、ＡＣＫ）、ネガティブＡＣＫ（以下、ＮＡＣＫ）、ＤＴＸ（Ｄｉｓｃｏｎｔｉｎｕｏｕｓ  Ｔｒａｎｓｍｉｓｓｉｏｎ）又はＮＡＣＫ／ＤＴＸを含む。ここで、ＨＡＲＱ−ＡＣＫという用語は、ＨＡＲＱ  ＡＣＫ／ＮＡＣＫ、ＡＣＫ／ＮＡＣＫと同じ意味で使われる。
【００６７】
ＣＳＩ（Ｃｈａｎｎｅｌ  Ｓｔａｔｅ  Ｉｎｆｏｒｍａｔｉｏｎ）：下りリンクチャネルに対するフィードバック情報（ｆｅｅｄｂａｃｋ  ｉｎｆｏｒｍａｔｉｏｎ）である。ＣＳＩは、チャネル品質指示子（ｃｈａｎｎｅｌ  ｑｕａｌｉｔｙ  ｉｎｆｏｒｍａｔｉｏｎ、ＣＱＩ）、プリコーディング行列指示子（ｐｒｅｃｏｄｉｎｇ  ｍａｔｒｉｘ  ｉｎｄｉｃａｔｏｒ、ＰＭＩ）、プリコーディングタイプ指示子（ｐｒｅｃｏｄｉｎｇ  ｔｙｐｅ  ｉｎｄｉｃａｔｏｒ）、及び／又はランク指示（ｒａｎｋ  ｉｎｄｉｃａｔｉｏｎ、ＲＩ）で構成することができる。これらのうち、ＭＩＭＯ（Ｍｕｌｔｉｐｌｅ  Ｉｎｐｕｔ  Ｍｕｌｔｉｐｌｅ  Ｏｕｔｐｕｔ）−関連フィードバック情報は、ＲＩ及びＰＭＩを含む。ＲＩは、ＵＥが同一の時間−周波数リソースを用いて受信できるストリームの個数或いはレイヤ（ｌａｙｅｒ）の個数を意味する。ＰＭＩは、チャネルの空間（ｓｐａｃｅ）特性を反映した値であり、ＵＥがＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）などのメトリック（ｍｅｔｒｉｃ）を基準に下りリンク信号送信のために好むプリコーディング行列のインデックスを表す。ＣＱＩは、チャネルの強度を示す値であり、通常、ｅＮＢがＰＭＩを用いたときにＵＥに得られる受信ＳＩＮＲを表す。
【００６８】
ＵＥが上りリンク送信にＳＣ−ＦＤＭＡ方式を採択する場合、単一搬送波特性を維持するために、３ＧＰＰ  ＬＴＥリリース（ｒｅｌｅａｓｅ）８或いはリリース９システムでは、１つの搬送波上ではＰＵＣＣＨとＰＵＳＣＨを同時に送信することができない。３ＧＰＰ  ＬＴＥリリース１０システムでは、ＰＵＣＣＨとＰＵＳＣＨの同時送信を支援するか否かを上位レイヤで知らせることができる。
【００６９】
本発明は、単一搬送波通信の他、多重搬送波通信にも適用することができる。
【００７０】
図５は、単一搬送波通信と多重搬送波通信を説明するための図である。特に、図５（ａ）は、単一搬送波のサブフレーム構造を示し、図５（ｂ）は、多重搬送波のサブフレーム構造を示している。
【００７１】
一般の無線通信システムは、１つのＤＬ帯域とこれに対応する１つのＵＬ帯域を通じてデータ送信或いは受信を行ったり（周波数分割デュプレックス（ｆｒｅｑｕｅｎｃｙ  ｄｉｖｉｓｉｏｎ  ｄｕｐｌｅｘ、ＦＤＤ）モードの場合）、所定の無線フレーム（ｒａｄｉｏ  ｆｒａｍｅ）を時間ドメイン（ｔｉｍｅ  ｄｏｍａｉｎ）で上りリンク時間ユニットと下りリンク時間ユニットとに区分し、上りリンク／下りリンク時間ユニットを通じてデータ送信或いは受信を行う（時分割デュプレックス（ｔｉｍｅ  ｄｉｖｉｓｉｏｎ  ｄｕｐｌｅｘ、ＴＤＤ）モードの場合）。しかし、近年、無線通信システムでは、より広い周波数帯域を用いるために複数のＵＬ及び／又はＤＬ周波数ブロックを集めてより大きいＵＬ／ＤＬ帯域幅を用いる搬送波集成（ｃａｒｒｉｅｒ  ａｇｇｒｅｇａｔｉｏｎ又はｂａｎｄｗｉｄｔｈ  ａｇｇｒｅｇａｔｉｏｎ）技術の導入が論議されている。搬送波集成（ｃａｒｒｉｅｒ  ａｇｇｒｅｇａｔｉｏｎ、ＣＡ）は、複数の搬送波周波数を用いてＤＬ或いはＵＬ通信を行うという点で、複数の直交する副搬送波に分割された基本周波数帯域を１つの搬送波周波数に乗せてＤＬ或いはＵＬ通信を行うＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）システムと区別される。以下、搬送波集成によって集成される搬送波のそれぞれをコンポーネント搬送波（ｃｏｍｐｏｎｅｎｔ  ｃａｒｒｉｅｒ、ＣＣ）と称する。例えば、ＵＬ及びＤＬに対して、それぞれ３個の２０ＭＨｚ  ＣＣを集めて６０ＭＨｚの帯域幅を支援することができる。それぞれのＣＣは、周波数ドメインで互いに隣接していてもよく、非−隣接していてもよい。ＵＬ  ＣＣの帯域幅とＤＬ  ＣＣの帯域幅とが同一であってもよいが、各ＣＣの帯域幅は独立して定められてもよい。また、ＵＬ  ＣＣの個数とＤＬ  ＣＣの個数とが異なる非対称的な搬送波集成も可能である。特定ＵＥに限定されたＤＬ／ＵＬ  ＣＣを、特定ＵＥにおける設定された（ｃｏｎｆｉｇｕｒｅｄ）サービング（ｓｅｒｖｉｎｇ）ＵＬ／ＤＬ  ＣＣと呼ぶことができる。
【００７２】
一方、３ＧＰＰ  ＬＴＥ−Ａ標準は、無線リソースを管理するためにセル（ｃｅｌｌ）の概念を使用する。無線リソースと関連付く「セル」は、下りリンクリソース（ＤＬ  ｒｅｓｏｕｒｃｅｓ）と上りリンクリソース（ＵＬ  ｒｅｓｏｕｒｃｅｓ）との組合せ、すなわち、ＤＬ  ＣＣとＵＬ  ＣＣの組合せと定義される。セルは、ＤＬリソース単独、又はＤＬリソースとＵＬリソースとの組合せで設定する（ｃｏｎｆｉｇｕｒｅｄ）ことができる。搬送波集成が支援される場合、ＤＬリソース（又は、ＤＬ  ＣＣ）の搬送波周波数（ｃａｒｒｉｅｒ  ｆｒｅｑｕｅｎｃｙ）とＵＬリソース（又は、ＵＬ  ＣＣ）の搬送波周波数（ｃａｒｒｉｅｒ  ｆｒｅｑｕｅｎｃｙ）間のリンケージ（ｌｉｎｋａｇｅ）をシステム情報によって示すことができる。例えば、システム情報ブロックタイプ２（Ｓｙｓｔｅｍ  Ｉｎｆｏｒｍａｔｉｏｎ  Ｂｌｏｃｋ  Ｔｙｐｅ２、ＳＩＢ２）リンケージ（ｌｉｎｋａｇｅ）によってＤＬリソースとＵＬリソースの組合せを示することができる。ここで、搬送波周波数とは、各セル或いはＣＣの中心周波数（ｃｅｎｔｅｒ  ｆｒｅｑｕｅｎｃｙ）を意味する。以下では、１次周波数（ｐｒｉｍａｒｙ  ｆｒｅｑｕｅｎｃｙ）上で動作するセルを１次セル（ｐｒｉｍａｒｙ  ｃｅｌｌ、Ｐｃｅｌｌ）或いはＰＣＣと呼び、２次周波数（Ｓｅｃｏｎｄａｒｙ  ｆｒｅｑｕｅｎｃｙ）（又は、ＳＣＣ）上で動作するセルを２次セル（ｓｅｃｏｎｄａｒｙ  ｃｅｌｌ、Ｓｃｅｌｌ）或いはＳＣＣと呼ぶ。下りリンクにおいてＰｃｅｌｌに対応する搬送波を下りリンク１次ＣＣ（ＤＬ  ＰＣＣ）と呼び、上りリンクにおいてＰｃｅｌｌに対応する搬送波をＵＬ１次ＣＣ（ＵＬ  ＰＣＣ）と呼ぶ。Ｓｃｅｌｌとは、ＲＲＣ（Ｒａｄｉｏ  Ｒｅｓｏｕｒｃｅ  Ｃｏｎｔｒｏｌ）接続開設（ｃｏｎｎｅｃｔｉｏｎ  ｅｓｔａｂｌｉｓｈｍｅｎｔ）がなされた後に設定可能であり、追加的な無線リソースの提供のために用い得るセルを意味する。ＵＥの性能（ｃａｐａｂｉｌｉｔｉｅｓ）によって、ＳｃｅｌｌがＰｃｅｌｌと共に、上記ＵＥのためのサービングセルの集合（ｓｅｔ）を形成することができる。下りリンクにおいて、Ｓｃｅｌｌに対応する搬送波をＤＬ  ２次ＣＣ（ＤＬ  ＳＣＣ）と呼び、上りリンクにおいて上記Ｓｃｅｌｌに対応する搬送波をＵＬ  ２次ＣＣ（ＵＬ  ＳＣＣ）と呼ぶ。ＲＲＣ＿接続状態にあるが、搬送波集成が設定されていないか又は搬送波集成を支援しないＵＥの場合、Ｐｃｅｌｌのみで設定されたサービングセルが１個のみ存在する。
【００７３】
ｅＮＢは、上記ＵＥに設定されたサービングセルの一部又は全てを活性化（ａｃｔｉｖａｔｅ）したり、一部を非活性化（ｄｅａｃｔｉｖａｔｅ）することによって、ＵＥとの通信に用いることができる。上記ｅＮＢは、活性化／非活性化されるセルを変更することができ、活性化／非活性化されるセルの個数を変更することができる。ｅＮＢがＵＥに利用可能なセルをセル−特定的或いはＵＥ−特定的に割り当てると、上記ＵＥに対するセル割当てが全面的に再設定（ｒｅｃｏｎｆｉｇｕｒｅ）されたり又は上記ＵＥがハンドオーバー（ｈａｎｄｏｖｅｒ）しない限り、一旦割り当てられたセルのうち少なくとも１つは非活性化されない。ＵＥに対するセル割当ての全面的な再設定でない限り非活性化されないセルをＰｃｅｌｌということができる。ｅＮＢが自由に活性化／非活性化できるセルをＳｃｅｌｌということができる。ＰｃｅｌｌとＳｃｅｌｌは、制御情報を基準に区別することもできる。例えば、特定制御情報は特定セルでのみ送信／受信されるように設定することができるが、このような特定セルをＰｃｅｌｌとし、残りのセルをＳｃｅｌｌとすることができる。
【００７４】
ｅＮＢのセルのうち、他のｅＮＢ或いはＵＥからの測定報告に基づいてＵＥのために搬送波集成がなされたセルを、設定されたセル（ｃｏｎｆｉｇｕｒｅｄ  ｃｅｌｌ）或いはサービングセル（ｓｅｒｖｉｎｇ  ｃｅｌｌ）と呼ぶ。サービングセルはＵＥ別に設定される。
【００７５】
ＵＥに設定されたセルは、当該ＵＥの観点ではサービングセルということができる。ＵＥに設定されたセル、すなわち、サービングセルは、ＰＤＳＣＨ送信に対するＡＣＫ／ＮＡＣＫ送信のためのリソースがあらかじめ予約される。活性化されたセルは、上記ＵＥに設定されたセルのうち、実際にＰＤＳＣＨ／ＰＵＳＣＨ送信に用いられるように設定されたセルであり、ＰＤＳＣＨ／ＰＵＳＣＨ送信のためのＣＳＩ報告とＳＲＳ送信が、活性化されたセル上で行われる。非活性化されたセルは、ｅＮＢの命令或いはタイマー（ｔｉｍｅｒ）の動作によってＰＤＳＣＨ／ＰＵＳＣＨ送信に用いられないように設定されたセルであり、当該セルが非活性化されると、ＣＳＩ報告及びＳＲＳ送信も当該セルで中断される。サービングセルを相互識別するために、サービングセルインデックスを用いることができる。例えば、０から「ＵＥに一度に設定され得る搬送波周波数の最大個数−１」までの整数のいずれか１つを、サービングセルインデックスとして１つのサービングセルに割り当てることができる。すなわち、サービングセルインデックスは、全体搬送波周波数のうちの特定搬送波周波数を識別するために用いられる物理インデックスというよりは、ＵＥに割り当てられたセルのみのうちの特定サービングセルを識別するために用いられる論理インデックスであるといえる。
【００７６】
前述したように、搬送波集成で用いられるセルという用語は、１つのｅＮＢ或いは１つのアンテナグループによって通信サービスが提供される一定地理的領域を意味するセルという用語とは区別される。一定地理的領域を意味するセルと搬送波集成のセルとを区別するために、本発明では、搬送波集成のセルをＣＣと称し、地理的領域のセルをセルと称する。
【００７７】
搬送波集成の状況下では、１つのＵＥに複数のサービングＣＣが構成されてもよい。このとき、制御チャネルがデータチャネルをスケジュールする方式は、既存のリンク搬送波スケジューリング（ｌｉｎｋｅｄ  ｃａｒｒｉｅｒ  ｓｃｈｅｄｕｌｉｎｇ）方式とクロス搬送波スケジューリング（ｃｒｏｓｓ  ｃａｒｒｉｅｒ  ｓｃｈｅｄｕｌｉｎｇ）方式とに区別できる。リンク搬送波スケジューリングは、特定ＣＣを通じて送信される制御チャネルは、上記特定ＣＣを通じて送信或いは受信されるデータチャネルのみをスケジュールする。これに対し、クロス搬送波スケジューリングは、チャネル状況の良いサービングＣＣを、他のサービングＣＣのためのＵＬ／ＤＬグラントの送信に用いることができる。クロス搬送波スケジューリングの場合、スケジューリング情報であるＵＬ／ＤＬグラントを搬送するＣＣと、ＵＬ／ＤＬグラントに対応するＵＬ／ＤＬ送信に用いられるＣＣとが異なってもよい。クロス搬送波スケジューリングは、ＤＣＩにおける搬送波指示子フィールド（ｃａｒｒｉｅｒ  ｉｎｄｉｃａｔｏｒ  ｆｉｅｌｄ、ＣＩＦ）を用いて、上記ＤＣＩを搬送するＰＤＣＣＨが設定されたＣＣとは異なるＣＣ上にデータチャネルをスケジュールする。
【００７８】
参考として、ＣＩＦは、ＤＣＩに含まれるフィールドであり、搬送波集成の場合、ＣＩＦは、当該ＤＣＩがどのセルのためのスケジューリング情報を搬送するかを示すために用いられる。ｅＮＢは、ＵＥの受信するＤＣＩがＣＩＦを含むか否かを、上位層信号を用いて上記ＵＥに知らせることができる。すなわち、ＵＥは、上位層でＣＩＦが設定されうる。
【００７９】
クロス搬送波スケジューリング（或いは、クロス−ＣＣスケジューリングという。）が適用される場合、下りリンク割当てのためのＰＤＣＣＨは、例えば、ＤＬ  ＣＣ＃０で送信し、上記ＰＤＣＣＨに対応するＰＤＳＣＨは、ＤＬ  ＣＣ＃２で送信することができる。ＰＤＣＣＨにＣＩＦが存在するか否かは、上位層シグナリング（例、ＲＲＣシグナリング）によって半−静的及びＵＥ−特定（又は、ＵＥグループ−特定）方式で設定することができる。
【００８０】
本発明は、ＰＤＣＣＨ及びＰＵＣＣＨと上記ＰＤＣＣＨによってスケジュールされたＰＤＳＣＨ及び／又はＰＵＳＣＨだけでなく、ＥＰＤＣＣＨ及びＰＵＳＣＨと上記ＥＰＤＣＣＨによってスケジュールされたＰＤＳＣＨ及び／又はＰＵＳＣＨにも適用することができる。
【００８１】
図６は、ＰＤＣＣＨ（Ｐｈｙｓｉｃａｌ  Ｄｏｗｎｌｉｎｋ  Ｃｏｎｔｒｏｌ  Ｃｈａｎｎｅｌ）或いはＥＰＤＣＣＨ（Ｅｎｈａｎｃｅｄ  ＰＤＣＣＨ）と、ＰＤＣＣＨ／ＥＰＤＣＣＨによってスケジュールされるデータチャネルを例示する図である。特に、図６は、ＥＰＤＣＣＨがサブフレームの４番目のシンボル（ＯＦＤＭシンボル＃３）から始まって最後のシンボルまでをスパン（ｓｐａｎ）して設定された場合を例示している。ＥＰＤＣＣＨは、連続する周波数リソースを用いて設定（ｃｏｎｆｉｇｕｒｅ）されてもよく、周波数ダイバーシティのために不連続した周波数リソースを用いて設定されてもよい。
【００８２】
図６を参照すると、ＰＤＣＣＨ１及びＰＤＣＣＨ２はそれぞれＰＤＳＣＨ１及びＰＤＳＣＨ２をスケジュールし、ＥＰＤＣＣＨは他のＰＤＳＣＨをスケジュールすることができる。ＰＤＣＣＨと同様に、ＥＰＤＣＣＨに対しても特定リソース割当てユニットを定義し、該定義されたリソース割当てユニットの組合せでＥＰＤＣＣＨを設定することができる。このように特定リソース割当てユニットを用いる場合、チャネル状態が良いと、少ない個数のリソース割当てユニットを用いてＥＰＤＣＣＨを設定し、チャネル状態が悪いと、多い個数のリソース割当てユニットを用いてＥＰＤＣＣＨを設定することができ、よって、リンク適応（ｌｉｎｋ  ａｄａｐｔａｔｉｏｎ）を行うことができるという長所がある。以下では、ＰＤＣＣＨの基本ユニットであるＣＣＥとの区別のために、ＥＰＤＣＣＨの基本ユニットをＥＣＣＥ（ｅｎｈａｎｃｅｄ  ＣＣＥ）と称する。以下では、ＥＰＤＣＣＨの集成レベルがＬであれば、ＥＰＤＣＣＨがＬ個のＥＣＣＥの集成上で送信されると仮定する。すなわち、ＰＤＣＣＨの集成レベルと同様に、ＥＰＤＣＣＨの集成レベルも１つのＤＣＩ送信のために用いられるＥＣＣＥの個数を意味する。以下、ＵＥが自身のＥＰＤＣＣＨを発見し得るＥＣＣＥの集合をＥＰＤＣＣＨ探索空間と称する。ＥＰＤＣＣＨが搬送するＤＣＩは、単一レイヤにマップされてプリコーディングされる。
【００８３】
ＥＰＤＣＣＨを構成するＥＣＣＥは、ＥＣＣＥのＲＥへのマッピングによってローカル化（ｌｏｃａｌｉｚｅｄ）ＥＣＣＥ（以下、Ｌ−ＥＣＣＥ）と分散化（ｄｉｓｔｒｉｂｕｔｅｄ）ＥＣＣＥ（以下、Ｄ−ＥＣＣＥ）とに区別できる。ローカル化マッピングのために、Ｌ−ＥＣＣＥは、ＥＣＣＥを構成するＲＥがいずれも同一のＰＲＢ対から抽出される。Ｌ−ＥＣＣＥを用いてＥＰＤＣＣＨが設定されると、各ＵＥに最適化されたビームフォーミングを行うことができるという長所がある。一方、分散化マッピングのために、Ｄ−ＥＣＣＥは、ＥＣＣＥを構成するＲＥが異なったＰＲＢ対から抽出される。Ｌ−ＥＣＣＥとは違い、ビームフォーミングには制約があるが、Ｄ−ＥＣＣＥは、周波数ダイバーシティが取得できるという長所がある。ローカル化マッピングの場合、ＥＰＤＣＣＨ送信のために用いられる単一アンテナポートｐ∈｛１０７，１０８，１０９，１１０｝は、ＥＰＤＣＣＨを定義するＥＣＣＥのインデックスの関数（ｆｕｎｃｔｉｏｎ）である。分散化マッピングの場合、ＥＲＥＧ内各ＲＥは、２個のアンテナポートのうちの１つと交互方式で関連付けられる。
【００８４】
受信装置が送信装置からの信号を復元するためには、上記受信装置と送信装置間のチャネルを推定するための参照信号を必要とする。参照信号は、大きく、復調用参照信号とチャネル測定用参照信号とに分類することができる。３ＧＰＰ  ＬＴＥシステムで定義されたＣＲＳは、復調目的にも測定目的にも用いることができる。３ＧＰＰ  ＬＴＥ−Ａシステムでは、ＣＲＳの他に、ＵＥ−特定的ＲＳ（以下、ＵＥ−ＲＳ）及びＣＳＩ−ＲＳがさらに定義される。ＵＥ−ＲＳは復調のために、ＣＳＩ−ＲＳはチャネル状態情報を得る（ｄｅｒｉｖｅ）ために用いられる。一方、ＲＳは、ＲＳの存在に対する認識によって、専用ＲＳ（ｄｅｄｉｃａｔｅｄ  ＲＳ、ＤＲＳ）と共通ＲＳ（ｃｏｍｍｏｎ  ＲＳ）とに区別される。ＤＲＳは、特定ＲＳにのみ知らされ、ＣＲＳは全ＵＥに知らされる。３ＧＰＰ  ＬＴＥシステムで定義されたＣＲＳは共通ＲＳの一種と理解し、ＤＲＳはＵＥ−ＲＳの一種と理解することができる。
【００８５】
参考として、復調は復号過程の一部と見なすことができ、本発明では、復調という用語が復号という用語と同じ意味で使われる。
【００８６】
図７は、セル特定的参照信号（ｃｅｌｌ  ｓｐｅｃｉｆｉｃ  ｒｅｆｅｒｅｎｃｅ  ｓｉｇｎａｌ、ＣＲＳ）とＵＥ特定的参照信号（ｕｓｅｒ  ｓｐｅｃｉｆｉｃ  ｒｅｆｅｒｅｎｃｅ  ｓｉｇｎａｌ、ＵＥ−ＲＳ）を例示する図である。特に、図７は、正規ＣＰを有するサブフレームのＲＢ対でＣＲＳ及びＵＥ−ＲＳによって占有されるＲＥを示す図である。
【００８７】
既存３ＧＰＰ  ＬＴＥシステムで、ＣＲＳは復調目的及び測定目的のいずれにも用いられるため、ＣＲＳは、ＰＤＳＣＨ送信を支援するセル（ｃｅｌｌ）内の全下りリンクサブフレームで全下りリンク帯域幅にわたって送信され、ｅＮＢに設定された（ｃｏｎｆｉｇｕｒｅｄ）全アンテナポートから送信されている。
【００８８】
【数１】
0006426106.tif 000005
【００８９】
ここで、ｎsは、無線フレームにおけるスロット番号であり、ｌは上記スロットにおけるＯＦＤＭシンボル番号であって、次の式によって決定される。
【数２】
0006426106.tif 000006
【００９０】
ここで、ｋは、副搬送波インデックスであり、Ｎmax,DLRBは、ＮRBscの整数倍で表現された、最大の下りリンク帯域幅設定（ｃｏｎｆｉｇｕｒａｔｉｏｎ）を表す。
【００９１】
変数ｖ及びｖshiftは、互いに異なるＲＳのために周波数ドメインにおける位置を定義し、ｖは、次のように与えられる。
【数３】
0006426106.tif 000007
【００９２】
セル−特定的周波数遷移ｖshiftは、次のとおり、物理層セル識別子（ｐｈｙｓｉｃａｌ  ｌａｙｅｒ  ｃｅｌｌ  ｉｄｅｎｔｉｔｙ）ＮcellIDによって次の式で与えられる。
【数４】
0006426106.tif 000008
【００９３】
ＵＥは、ＣＲＳを用いてＣＳＩを測定でき、ＣＲＳを用いて、該ＣＲＳを含むサブフレームでＰＤＳＣＨを介して受信された信号を復調することができる。すなわち、ｅＮＢは、全ＲＢで各ＲＢにおける一定の位置でＣＲＳを送信し、ＵＥは、上記ＣＲＳを基準にチャネル推定を行った後、ＰＤＳＣＨを検出した。例えば、ＵＥは、ＣＲＳ  ＲＥで受信された信号を測定し、該測定された信号と、上記ＣＲＳ  ＲＥ別受信エネルギーのＰＤＳＣＨがマップされたＲＥ別受信エネルギーに対する比を用いて、ＰＤＳＣＨのマップされたＲＥからＰＤＳＣＨ信号を検出することができる。しかし、このようにＣＲＳに基づいてＰＤＳＣＨが送信される場合には、ｅＮＢが全ＲＢに対してＣＲＳを送信しなければならず、余計なＲＳオーバーヘッドが発生する。このような問題点を解決するために、３ＧＰＰ  ＬＴＥ−Ａシステムでは、ＣＲＳの他に、ＵＥ−特定的ＲＳ（以下、ＵＥ−ＲＳ）及びＣＳＩ−ＲＳをさらに定義する。ＵＥ−ＲＳは復調のために、ＣＳＩ−ＲＳはチャネル状態情報を得る（ｄｅｒｉｖｅ）ために用いられる。ＵＥ−ＲＳは、ＤＲＳの一種と理解することができる。ＵＥ−ＲＳ及びＣＲＳは復調のために用いられるため、用途の側面で復調用ＲＳということができる。ＣＳＩ−ＲＳ及びＣＲＳは、チャネル測定或いはチャネル推定に用いられるため、用途の側面では測定用ＲＳということができる。
【００９４】
ＵＥ−ＲＳはＰＤＳＣＨの送信のために支援され、アンテナポートｐ＝５、ｐ＝７、ｐ＝８或いはｐ＝７，８，．．．，υ＋６（ここで、υは、上記ＰＤＳＣＨの送信のために用いられるレイヤの個数）を介して送信される。ＵＥ−ＲＳは、ＰＤＳＣＨ送信が該当のアンテナポートと関連すると存在し、ＰＤＳＣＨの復調（ｄｅｍｏｄｕｌａｔｉｏｎ）のみのために有効な（ｖａｌｉｄ）参照（ｒｅｆｅｒｅｎｃｅ）である。ＵＥ−ＲＳは、該当ＰＤＳＣＨのマップされたＲＢ上でのみ送信される。すなわち、ＵＥ−ＲＳは、ＰＤＳＣＨが存在するか否かに関係なく毎サブフレームごとに送信されるように設定されたＣＲＳとは違い、ＰＤＳＣＨのスケジュールされたサブフレームにおいてＰＤＳＣＨのマップされたＲＢでのみ送信されるように設定される。また、ＵＥ−ＲＳは、ＰＤＳＣＨのレイヤの個数と関係なく全てのアンテナポートを通して送信されるＣＲＳとは違い、ＰＤＳＣＨのレイヤにそれぞれ対応するアンテナポートを通してのみ送信される。これによって、ＣＲＳに比べてＲＳのオーバーヘッドを減らすことができる。
【００９５】
【数５】
0006426106.tif 000009
【００９６】
ここで、wp(i)、l'、m'は、次式のように与えられる。
【数６】
0006426106.tif 000010
【００９７】
ここで、正規ＣＰのためのシーケンス
【数７】
0006426106.tif 000011
は、次の表によって与えられる。
【表４】
0006426106.tif 000012
【００９８】
アンテナポートｐ∈｛７，８，．．．，υ＋６｝に対して、ＵＥ−ＲＳシーケンスｒ(ｍ)は、次のように定義される。
【数８】
0006426106.tif 000013
【００９９】
ｃ(ｉ)は、擬似−任意（ｐｓｅｕｄｏ−ｒａｎｄｏｍ）シーケンスであり、長さ−３１ゴールド（Ｇｏｌｄ）シーケンスによって定義される。長さＭPNである出力シーケンスｃ(ｎ)（ここで、ｎ＝０，１，．．．，ＭPN−１）は、次の式によって定義される。
【数９】
0006426106.tif 000014
【０１００】
ここで、ＮC＝１６００であり、１番目のｍ−シーケンスはｘ1(０)＝１、ｘ1(ｎ)＝０、ｎ＝１，２，．．．，３０に初期化され、２番目のｍ−シーケンスは、上記シーケンスの適用による値を有する
【数１０】
0006426106.tif 000015
によって表示（ｄｅｎｏｔｅ）される。
【０１０１】
式７で、ｃ(ｉ)の生成のための任意−擬似シーケンス生成器は、各サブフレームの先頭で次の式によってｃinitに初期化される。
【数１１】
0006426106.tif 000016
【０１０２】
式９で、
【数１２】
0006426106.tif 000017
は、ｎDMRS,iIDに対する値が上位層によって提供されないか、ＤＣＩフォーマット１Ａ、２Ｂ又は２ＣがＰＤＳＣＨ送信と関連したＤＣＩに対して用いられると、物理層セル識別子ＮcellIDであり、それ以外はｎDMRS,iIDとなる。
【０１０３】
式９で、ｎSCIDの値は、別に特定されなければ０であり、アンテナポート７或いは８上のＰＤＳＣＨ送信に対してｎSCIDは、ＰＤＳＣＨ送信と関連したＤＣＩフォーマット２Ｂ或いは２Ｃによって与えられる。ＤＣＩフォーマット２Ｂは、ＵＥ−ＲＳを有するアンテナポートを最大２個まで用いるＰＤＳＣＨのためのリソース指定（ｒｅｓｏｕｒｃｅ  ａｓｓｉｇｎｍｅｎｔ）のためのＤＣＩフォーマットであり、ＤＣＩフォーマット２Ｃは、ＵＥ−ＲＳを有するアンテナポートを最大８個まで用いるＰＤＳＣＨのためのリソース指定（ｒｅｓｏｕｒｃｅ  ａｓｓｉｇｎｍｅｎｔ）のためのＤＣＩフォーマットである。
【０１０４】
一方、ＣＲＳベースで送信されるＰＤＣＣＨとは違い、ＥＰＤＣＣＨは、復調ＲＳ（以下、ＤＭ−ＲＳ）ベースで送信される。したがって、ＵＥは、ＰＤＣＣＨはＣＲＳに基づいて復号／復調し、ＥＰＤＣＣＨはＤＭ−ＲＳに基づいて復号／復調する。ＥＰＤＣＣＨと関連したＤＭ−ＲＳは、ＥＰＤＣＣＨ物理リソースと同じアンテナポートｐ∈｛１０７，１０８，１０９，１１０｝上で送信され、上記ＥＰＤＣＣＨが該当のアンテナポートと関連した場合にのみ、上記ＥＰＤＣＣＨの復調のために存在し、上記ＥＰＤＣＣＨのマップされたＰＲＢ上でのみ送信される。
【０１０５】
【数１３】
0006426106.tif 000018
【０１０６】
ここで、wp(i)、l'、m'は、次の式によって与えることができる。
【数１４】
0006426106.tif 000019
【０１０７】
ここで、正規ＣＰのためのシーケンス
【数１５】
0006426106.tif 000020
は、次の表によって与えられる。
【表５】
0006426106.tif 000021
【０１０８】
例えば、図７でアンテナポート７或いは８のＵＥ−ＲＳによって占有されたＲＥが、ＥＰＤＣＣＨのマップされたＰＲＢ上ではアンテナポート１０７或いは１０８のＤＭ−ＲＳによって占有され、図７でアンテナポート９或いは１０のＵＥ−ＲＳによって占有されたＲＥが、ＥＰＤＣＣＨのマップされたＰＲＢ上ではアンテナポート１０９或いは１１０のＤＭ−ＲＳによって占有されうる。結局、ＰＤＳＣＨの復調のためのＵＥ−ＲＳと同様に、ＥＰＤＣＣＨの復調のためのＤＭ−ＲＳも、ＥＰＤＣＣＨのタイプとレイヤの個数が同一であれば、ＵＥ或いはセルに関係なく、ＲＢ対別に一定個数のＲＥがＤＭ−ＲＳ送信に用いられる。以下では、ＰＤＣＣＨ或いはＥＰＤＣＣＨを単純にＰＤＣＣＨと総称する。
【０１０９】
アンテナポートｐ∈｛７，８，．．．，υ＋６｝に対してＥＰＤＣＣＨのためのＤＭ−ＲＳシーケンスｒ(ｍ)は、式７によって定義される。式７の擬似−任意シーケンスｃ(ｉ)は式８によって定義され、ｃ(ｉ)の生成のための任意−擬似シーケンス生成器は、各サブフレームの先頭で次の式によってｃinitに初期化される。
【数１６】
0006426106.tif 000022
【０１１０】
ＥＰＤＣＣＨ  ＤＭＲＳスクランブリングシーケンス初期化パラメータｎEPDCCHSCIDは、上位層信号によって提供される。
【０１１１】
図８は、チャネル状態情報参照信号（ｃｈａｎｎｅｌ  ｓｔａｔｅ  ｉｎｆｏｒｍａｔｉｏｎ  ｒｅｆｅｒｅｎｃｅ  ｓｉｇｎａｌ、ＣＳＩ−ＲＳ）設定（ｃｏｎｆｉｇｕｒａｔｉｏｎ）を例示する図である。
【０１１２】
【数１７】
0006426106.tif 000023
【０１１３】
【数１８】
0006426106.tif 000024
【０１１４】
ここで、（ｋ’，ｌ’）及びｎs上の必要な（ｎｅｃｅｓｓａｒｙ）条件は、正規ＣＰ及び拡張ＣＰに対して、それぞれ、表６及び表７によって与えられる。すなわち、表６及び表７のＣＳＩ ＲＳ設定は、ＲＢ対内で各アンテナポートのＣＳＩ−ＲＳが占有するＲＥの位置を示す。
【０１１５】
【表６】
0006426106.tif 000025
【表７】
0006426106.tif 000026
【０１１６】
図８（ａ）は、表６のＣＳＩ−ＲＳ設定のうち、２個のＣＳＩ−ＲＳポートによるＣＳＩ−ＲＳ伝送に利用可能な２０種のＣＳＩ−ＲＳ設定０〜１９を示し、図８（ｂ）は、表６のＣＳＩ−ＲＳ設定のうち、４個のＣＳＩ−ＲＳポートによって利用可能な１０のＣＳＩ−ＲＳ設定０〜９を示し、図８（ｃ）は、表６のＣＳＩ−ＲＳ設定のうち、８個のＣＳＩ−ＲＳポートによって利用可能な５種のＣＳＩ−ＲＳ設定０〜４を示す図である。ここで、ＣＳＩ−ＲＳポートは、ＣＳＩ−ＲＳ送信のためにに設定されたアンテナポートを意味し、例えば、式１４でアンテナポート１５〜２２がＣＳＩ−ＲＳポートに該当する。ＣＳＩ−ＲＳポートの個数によってＣＳＩ−ＲＳ設定が異なってくるため、ＣＳＩ−ＲＳ設定番号が同一であっても、ＣＳＩ−ＲＳ送信のためにに設定されたアンテナポートの個数が異なると、異なったＣＳＩ−ＲＳ設定となる。
【０１１７】
一方、ＣＳＩ−ＲＳは、毎サブフレームごとに送信されるように設定されたＣＲＳとは違い、複数のサブフレームに該当する所定の送信周期ごとに送信されるように設定される。このため、ＣＳＩ−ＲＳ設定は、表６或いは表７による、リソースブロック対内でＣＳＩ−ＲＳが占有するＲＥの位置だけでなく、ＣＳＩ−ＲＳが設定されるサブフレームによっても異なってくる。表６或いは表７で、ＣＳＩ−ＲＳ設定番号が同一であっても、ＣＳＩ−ＲＳ送信のためのサブフレームが異なると、ＣＳＩ−ＲＳ設定も異なると見なすことができる。例えば、ＣＳＩ−ＲＳ送信周期（ＴCSI-RS）が異なるか、１無線フレーム内でＣＳＩ−ＲＳ送信が設定された開始サブフレーム（ΔCSI-RS）が異なると、ＣＳＩ−ＲＳ設定が異なると見なすことができる。以下では、表６或いは表７のＣＳＩ−ＲＳ設定番号が与えられたＣＳＩ−ＲＳ設定と、表６或いは表７のＣＳＩ−ＲＳ設定番号、ＣＳＩ−ＲＳポートの個数及び／又はＣＳＩ−ＲＳが設定されたサブフレームによって異なってくるＣＳＩ−ＲＳ設定とを区分するために、後者の設定をＣＳＩ−ＲＳリソース設定（ＣＳＩ−ＲＳ  ｒｅｓｏｕｒｃｅ  ｃｏｎｆｉｇｕｒａｔｉｏｎ）と称する。前者の設定は、ＣＳＩ−ＲＳ設定或いはＣＳＩ−ＲＳパターンだと称する。
【０１１８】
ｅＮＢはＵＥにＣＳＩ−ＲＳリソース設定を知らせる時、ＣＳＩ−ＲＳの送信のために用いられるアンテナポートの個数、ＣＳＩ−ＲＳパターン、ＣＳＩ−ＲＳサブフレーム設定（ＣＳＩ−ＲＳ  ｓｕｂｆｒａｍｅ  ｃｏｎｆｉｇｕｒａｔｉｏｎ）ＩCSI-RS、ＣＳＩフィードバックのための参照ＰＤＳＣＨ送信電力に関するＵＥ仮定（ＵＥ  ａｓｓｕｍｐｔｉｏｎ  ｏｎ  ｒｅｆｅｒｅｎｃｅ  ＰＤＳＣＨ  ｔｒａｎｓｍｉｔｔｅｄ  ｐｏｗｅｒ  ｆｏｒ  ＣＳＩ  ｆｅｅｄｂａｃｋ）Ｐc、ゼロ電力ＣＳＩ−ＲＳ設定リスト、ゼロ電力ＣＳＩ−ＲＳサブフレーム設定などに関する情報を知らせることができる。ＣＳＩ−ＲＳサブフレーム設定ＩCSI-RSは、ＣＳＩ−ＲＳの存在（ｏｃｃｕｒｒｅｎｃｅ）に対するサブフレーム設定周期ＴCSI-RS及びサブフレームオフセットΔCSI-RSを特定する情報である。次の表は、ＴCSI-RS及びΔCSI-RSによるＣＳＩ−ＲＳサブフレーム設定ＩCSI-RSを例示したものである。
【表８】
0006426106.tif 000027
【０１１９】
次の式を満たすサブフレームが、ＣＳＩ−ＲＳを含むサブフレームとなる。
【数１９】
0006426106.tif 000028
【０１２０】
３ＧＰＰ ＬＴＥ−Ａシステム以降に定義された送信モード（例えば、送信モード９或いはその他の新しく定義される送信モード）として設定されたＵＥは、ＣＳＩ−ＲＳを用いてチャネル測定を行い、ＵＥ−ＲＳを用いてＰＤＳＣＨを復号することができる。
【０１２１】
一つのノードとの通信を前提としている既存のシステムでは、ＵＥ−ＲＳ、ＣＳＩ−ＲＳ、ＣＲＳなどが同一の位置で送信されるため、ＵＥは、ＵＥ−ＲＳポート、ＣＳＩ−ＲＳポート、ＣＲＳポートの遅延拡散（ｄｅｌａｙ  ｓｐｒｅａｄ）、ドップラー拡散（Ｄｏｐｐｌｅｒ  ｓｐｒｅａｄ）、周波数遷移（ｆｒｅｑｕｅｎｃｙ  ｓｈｉｆｔ）、平均受信電力（ａｖｅｒａｇｅ  ｒｅｃｅｉｖｅｄ  ｐｏｗｅｒ）、受信タイミングなどが異なりうるということを考慮しない。しかし、一つより多いノードが同時にＵＥとの通信に参加し得るＣｏＭＰ（Ｃｏｏｒｄｉｎａｔｅｄ  Ｍｕｌｔｉ−Ｐｏｉｎｔ）通信技術が適用される通信システムでは、ＰＤＣＣＨポート、ＰＤＳＣＨポート、ＵＥ−ＲＳポート、ＣＳＩ−ＲＳポート及び／又はＣＲＳポートの特性が互いに異なってもよい。このような理由から、複数のノードが通信に参加する可能性のあるモード（以下、ＣｏＭＰモード）のために、擬似同一−位置にあるアンテナ（ｑｕａｓｉ  ｃｏ−ｌｏｃａｔｅｄ  ａｎｔｅｎｎａ  ｐｏｒｔ）という概念を導入する。
【０１２２】
「擬似同一−位置にある（ｑｕａｓｉ  ｃｏ−ｌｏｃａｔｅｄ、ＱＣＬ）」或いは「擬似同一−位置（ｑｕａｓｉ  ｃｏ−ｌｏｃａｔｉｏｎ、ＱＣＬ）」という用語は、アンテナポートの観点で次の通り定義されることができる：２つのアンテナポートが擬似同一−位置にあると、ＵＥは、これら２つのアンテナポートのいずれか一方から受信した信号の大規模（ｌａｒｇｅ−ｓｃａｌｅ）属性（ｐｒｏｐｅｒｔｙ）が他のアンテナポートから受信した信号から推論（ｉｎｆｅｒ）できると仮定することができる。これらの大規模属性は、遅延拡散（ｄｅｌａｙ  ｓｐｒｅａｄ）、ドップラー拡散（Ｄｏｐｐｌｅｒ  ｓｐｒｅａｄ）、周波数遷移（ｆｒｅｑｕｅｎｃｙ  ｓｈｉｆｔ）、平均受信された電力（ａｖｅｒａｇｅ  ｒｅｃｅｉｖｅｄ  ｐｏｗｅｒ）及び／又は受信タイミングで構成される。
【０１２３】
ＱＣＬをチャネルの観点で、次のように定義することもできる：２つのアンテナポートが擬似同一−位置にあると、ＵＥは、これら２つのアンテナポートのいずれか一方のアンテナポート上のシンボルを輸送（ｃｏｎｖｅｙ）するチャネルの大規模属性が他方のアンテナポート上のシンボルを輸送するチャネルの大規模属性から推論（ｉｎｆｅｒ）できると仮定することができる。これらの大規模属性は、遅延拡散、ドップラー拡散、ドップラー遷移、平均利得（ａｖｅｒａｇｅ  ｇａｉｎ）及び／又は平均遅延（ａｖｅｒａｇｅ  ｄｅｌａｙ）で構成される。
【０１２４】
本発明においてＱＣＬは、上記の定義のいずれかに従うことができる。或いは、ＱＣＬ仮定が成立するアンテナポートは同一−位置にあると仮定するようにＱＣＬの定義が変形されてもよい。例えば、ＱＣＬが成立するアンテナポートに対しては、ＵＥは、同一送信ポイントのアンテナポートと仮定するようにＱＣＬ概念が定義されてもよい。
【０１２５】
ＵＥは、非−擬似同一−位置にある（ｎｏｎ−ｑｕａｓｉ  ｃｏ−ｌｏｃａｔｅｄ、ＮＱＣ）アンテナポートに対しては、これらのアンテナポート間に同一の大規模属性を仮定することができない。この場合、通常のＵＥは、タイミング獲得（ｔｉｍｉｎｇ  ａｃｑｕｉｓｉｔｉｏｎ）及びトラッキング、周波数オフセット推定（ｅｓｔｉｍａｔｉｏｎ）及び補償（ｃｏｍｐｅｎｓａｔｉｏｎ）、遅延（ｄｅｌａｙ）推定、及びドップラー推定などに対して、それぞれの設定されたＮＱＣアンテナ別に独立したプロセシングを行わなければならない。
【０１２６】
一方、ＱＣＬを仮定できるアンテナポートに対しては、ＵＥは、次のような動作を行うことができる。
【０１２７】
ドップラー拡散について、ＵＥは、いずれか一ポートに対する電力−遅延−プロファイル（ｐｏｗｅｒ−ｄｅｌａｙ−ｐｒｏｆｉｌｅ）、遅延拡散、ドップラースペクトル、及びドップラー拡散推定結果を、他のポートに対するチャネル推定に用いられるフィルター（例、Ｗｉｅｎｅｒフィルターなど）に同一に適用することができる。
【０１２８】
周波数遷移及び受信タイミングについて、ＵＥは、いずれか一ポートに対する時間及び周波数同期化を行った後、同一の同期化を他のポートの復調に適用することができる。
【０１２９】
平均受信電力について、ＵＥは、２つ以上のアンテナポートにわたる参照信号受信電力（ｒｅｆｅｒｅｎｃｅ  ｓｉｇｎａｌ  ｒｅｃｅｉｖｅｄ  ｐｏｗｅｒ、ＲＳＲＰ）測定を平均化することができる。
【０１３０】
例えば、ＵＥがＰＤＣＣＨ／ｅＰＤＣＣＨを介して特定ＤＭＲＳ−ベースの下りリンク−関連ＤＣＩフォーマット（例、ＤＣＩフォーマット２Ｃ）を受信すると、ＵＥは、設定されたＤＭＲＳシーケンスから該当のＰＤＳＣＨに対するチャネル推定を行った後、データ復調を行う。ＵＥがこのようなＤＬスケジューリンググラントを通じて受信したＤＭＲＳポート設定を特定ＲＳ（例、特定ＣＳＩ−ＲＳ、特定ＣＲＳ、或いは自身のＤＬサービングセルＣＲＳなど）ポートとＱＣＬ仮定できると、ＵＥは、当該ＤＭＲＳポートを用いてチャネル推定を行う際、上記特定ＲＳポートから推定した大規模属性の推定値をそのまま適用することによって、ＤＭＲＳベース受信機のプロセシング性能を向上させることができる。
【０１３１】
図９は、スモールセルの概念を説明するための図である。
【０１３２】
既存システムの搬送波集成では、複数のＣＣが集成して用いられるとき、データ送信、セルＩＤの取得、システム情報の送信、物理制御信号の送信が可能であり、単独（ｓｔａｎｄ−ａｌｏｎｅ）ＣＣとして接続、制御信号及びデータの送信／受信ができるＰＣＣが存在し、このようなＰＣＣと共に集成されてはじめてデータの送信／受信が可能となるＳＣＣが設定される場合、周波数ドメイン上であまり遠く離れていないＣＣが集成されるという仮定下に、ＳＣＣのＵＬ／ＤＬフレーム時間同期がＰＣＣの時間同期と一致すると仮定した。また、既存のＬＴＥ／ＬＴＥ−Ａシステムでは、集成されるＣＣが一つのノードで使用され、中心周波数が隣接していて周波数特性が類似する場合のみを考慮した。
【０１３３】
しかし、ＵＥに設定されたＣＣを、一つのノードで用いるのではなく、一定の距離以上離れている複数のノードで用いることを考慮することができ、中心周波数が一定レベル以上離れていて周波数特性が互いに異なるインター周波数間の周波数集成も考慮することができる。互いに異なるノードが互いに異なるＣＣ或いは同一のＣＣを用いて搬送波集成に参加する場合、すなわち、互いに異なるセルが同一のＣＣ或いは互いに異なるＣＣを用いて搬送波集成に参加した場合、これらの集成されたＣＣは、理想的バックホール（ｂａｃｋｈａｕｌ）によって接続されてもよく、或いは非理想的（ｎｏｎ−ｉｄｅａｌ）バックホールによって接続されてもよい。理想的バックホールとは、光ファイバ（ｏｐｔｉｃａｌ  ｆｉｂｅｒ）、ＬＯＳ（ｌｉｎｅ  ｏｆ  ｓｉｇｈｔ）マイクロ波（ｍｉｃｒｏｗａｖｅ）などを用いた専用（ｄｅｄｉｃａｔｅｄ）ポイント−対−ポイント（ｐｏｉｎｔ−ｔｏ−ｐｏｉｎｔ）接続のような、非常に高い処理率（ｔｈｒｏｕｇｈｐｕｔ）と非常に低い遅延を有するバックホールを意味する。これに対し、非理想的バックホールとは、ｘＤＳＬ（ｘ  ｄｉｇｉｔａｌ  ｓｕｂｓｃｒｉｂｅｒ  ｌｉｎｅ）、ＮＬＯＳ（ｎｏｎ  ｌｉｎｅ  ｏｆ  ｓｉｇｈｔ）マイクロ波のように、市場で広く用いられる通常のバックホールを意味する。理想的バックホールの場合、セル間或いはノード間の情報交換に遅延がないと想定することができる。
【０１３４】
一方、セルの大きさ、すなわち、ノードのカバレッジ又はＣＣのカバレッジが既存のセルに比べて小さいスモールセルの導入を考慮している。スモールセルに比べてカバレッジの広い既存のセルは、マクロセルと呼ばれる。スモールセルは、当該セルの電力、周波数特性などによって、既存のセルがサービスを提供できる範囲よりも狭い範囲にサービスを提供する。低い電力のノードを使用するスモールセルは、室内及び室外のホットスポットに容易に配置されることから、通信トラフィックの爆増において有用である。低い電力のノードとは、一般に、送信電力が、マクロノード及び一般のｅＮＢの送信電力よりも低いノードを意味する。例えば、ピコ及びフェムトｅＮＢを低い電力のノードとして用いることができる。低い移動性を有するＵＥが、高い処理量（ｔｈｒｏｕｇｈｐｕｔ）を必要とするとき、スモールセルを用いることによってデータ送信効率を上げることができる。
【０１３５】
スモールセルは、特定ＵＥのＰＣＣとして用いられてもよく、ＳＣＣとしてのみ用いられてもよい。複数のスモールセルがクラスター（ｃｌｕｓｔｅｒ）をなすように構築されてもよく、複数のスモールセルとマクロセルが共に構築されてもよい。複数のスモールセルが集まってなるスモールセルクラスターは、図９（ａ）に示すように、マクロセルのカバレッジ内に存在してもよく、図９（ｂ）に示すように、マクロセルのカバレッジ外に独立して存在してもよい。
【０１３６】
ＵＥがこのようなスモールセルクラスター内に位置して特定スモールセルからサービスを受けるが、該特定スモールセルのチャネル状況が悪くなったり又はＵＥの移動性（ｍｏｂｉｌｉｔｙ）によって、ＵＥ自身がサービスを受けるセルであるサービングセルを変更しなければならない場合が発生しうる。
【０１３７】
図１０は、既存のハンドオーバー過程を例示する図である。特に、図１０は、移動性管理個体（ｍｏｂｉｌｉｔｙ  ｍａｎａｇｅｍｅｎｔ  ｅｎｔｉｔｙ、ＭＭＥ）及びサービングゲートウェイ（ｇａｔｅｗａｙ、ＧＷ）が変更されない場合のハンドオーバー過程を示している。より具体的なハンドオーバー過程は、３ＧＰＰ ＴＳ（Ｔｅｃｈｎｉｃａｌ  Ｓｐｅｃｉｆｉｃａｔｉｏｎ） ３６．３００及び３ＧＰＰ ＴＳ ３６．３３１を参考されたい。以下、ＵＥが既に接続して通信サービスを受けているｅＮＢ／セルをソースｅＮＢ／セルと称し、ＵＥが新しく接続しなければならないｅＮＢ／セルをターゲットｅＮＢ／セルと称する。
【０１３８】
・ 段階０：ソースｅＮＢ内のＵＥコンテクスト（ｃｏｎｔｅｘｔ）は、接続設定、又は最近のＴＡ更新（ｕｐｄａｔｅ）時に与えられたローミング制限に関する情報を含む。
【０１３９】
・ 段階１：ソースｅＮＢは、領域制限（ａｒｅａ  ｒｅｓｔｒｉｃｔｉｏｎ）情報によってＵＥ測定過程を設定する。ソースｅＮＢによって提供された測定は、ＵＥの接続移動性を制御することを助けることができる。
【０１４０】
・ 段階２：ＵＥは、システム情報などによって設定された規則によって測定報告を送信するようにトリガーされる。
【０１４１】
・ 段階３：ソースｅＮＢは、測定報告及び無線リソース管理（ｒａｄｉｏ  ｒｅｓｏｕｒｃｅ  ｍａｎａｇｅｍｅｎｔ、ＲＲＭ）情報に基づいてＵＥをハンドオーバーさせるか否かを決定する。
【０１４２】
・ 段階４：ソースｅＮＢは、ハンドオーバー（ｈａｎｄｏｖｅｒ、ＨＯ）に必要な情報を、ハンドオーバー要請メッセージを用いてターゲットｅＮＢに送信する。ハンドオーバーに必要な情報は、ＵＥ Ｘ２シグナリングコンテクストレファレンス、ＵＥ Ｓ１ ＥＰＣ（Ｅｖｏｌｖｅｄ  Ｐａｃｋｅｔ  Ｃｏｒｅ）シグナリングコンテクストレファレンス、ターゲットセルＩＤ、ソースｅＮＢにおけるＵＥの識別子（例、Ｃｅｌｌ  Ｒａｄｉｏ  Ｎｅｔｗｏｒｋ  Ｔｅｍｐｏｒａｒｙ  Ｉｄｅｎｔｉｆｉｅｒ；Ｃ−ＲＮＴＩ）を含むＲＲＣコンテクストなどを含む。
【０１４３】
・ 段階６：ターゲットｅＮＢは、Ｌ１／Ｌ２ＲとＨＯを準備し、ハンドオーバー要請Ａｃｋ（ＡＣＫＮＯＷＬＥＤＧＥ）メッセージをソースｅＮＢに送信する。ハンドオーバー要請Ａｃｋメッセージはハンドオーバー実行のためにＲＲＣメッセージとしてＵＥに送信される透明コンテナ（ｔｒａｎｓｐａｒｅｎｔ  ｃｏｎｔａｉｎｅｒ）を含む。このコンテナは、新しい（ｎｅｗ）Ｃ−ＲＮＴＩ、選択された保安アルゴリズムのためのターゲットｅＮＢの保安アルゴリズム識別子を含む。このコンテナは、専用（ｄｅｄｉｃａｔｅｄ）任意接続チャネル（ｒａｎｄｏｍ  ａｃｃｅｓｓ  ｃｈａｎｎｅｌ、ＲＡＣＨ）プリアンブルを含むことができ、接続パラメータ、ＳＩＢなどのような追加パラメータをさらに含むことができる。
【０１４４】
・ 段階７：ＵＥは、必要な（ｎｅｃｅｓｓａｒｙ）パラメータを有するＲＲＣ接続再設定（ＲＲＣＣｏｎｎｅｃｔｉｏｎＲｅｃｏｎｆｉｇｕｒａｔｉｏｎ）メッセージを受信し、ソースｅＮＢからハンドオーバーを行うとの命令を受ける。これらの必要なパラメータは、新しい（ｎｅｗ）Ｃ−ＲＮＴＩ、ターゲットｅＮＢ保安（ｓｅｃｕｒｉｔｙ）アルゴリズム識別子、選択的には専用ＲＡＣＨプリアンブル、ターゲットｅＮＢ ＳＩＢなどを含むことができる。
【０１４５】
・ 段階８：ソースｅＮＢは、ＳＮ（ｓｅｒｉａｌ  ｎｕｍｂｅｒ）状態伝達（ＳＴＡＴＵＳ  ＴＲＡＮＳＦＥＲ）メッセージをターゲットｅＮＢに送って、上りリンクＰＤＣＰ（Ｐｒｏｔｏｃｏｌ  Ｄａｔａ  Ｃｏｎｖｅｒｇｅｎｃｅ  Ｐｒｏｔｏｃｏｌ）ＳＮ受信器状態（ｒｅｃｅｉｖｅｒ  ｓｔａｔｕｓ）を伝達し、下りリンクＰＤＣＰ ＳＮ送信器状態（ｔｒａｎｓｍｉｔｔｅｒ  ｓｔａｔｕｓ）を伝達する。
【０１４６】
・ 段階９：移動性制御情報（ＭｏｂｉｌｉｔｙＣｏｎｔｒｏｌＩｎｆｏｒｍａｔｉｏｎ）を含むＲＲＣ接続再設定メッセージを受信した後、ＵＥは、ターゲットｅＮＢとの同期化（ｓｙｎｃｈｒｏｎｉｚａｔｉｏｎ）を行い、ＲＡＣＨを介してターゲットセルに接続する。ＲＡＣＨを介したターゲットセルへの接続は、専用ＲＡＣＨプリアンブルが上記移動性制御情報（ＭｏｂｉｌｉｔｙＣｏｎｔｒｏｌＩｎｆｏｒｍａｔｉｏｎ）内で指示されていると、非競合（ｃｏｎｔｅｎｔｉｏｎ−ｆｒｅｅ）過程によってなされ、専用プリアンブルが指示されていないと、競合−ベース（ｃｏｎｔｅｎｔｉｏｎ−ｂａｓｅｄ）過程によってなされる。ＵＥは、ターゲットｅＮＢ特定キー（ｋｅｙ）を得（ｄｅｒｉｖｅ）、ターゲットセルで用いられる選択された保安アルゴリズムを設定する。
【０１４７】
・ 段階１０：ネットワークは、上りリンク割り当て（ｕｐｌｉｎｋ  ａｌｌｏｃａｔｉｏｎ）及びタイミング経過（ｔｉｍｉｎｇ  ａｄｖａｎｃｅ）を行う。
【０１４８】
・ 段階１１：ＵＥがターゲットセルに成功的に接続した場合、ＵＥは、ＲＲＣ接続再設定完了（ＲＲＣＣｏｎｎｅｃｔｉｏｎＲｅｃｏｎｆｉｇｕｒａｔｉｏｎＣｏｍｐｌｅｔｅ）メッセージ（Ｃ−ＲＮＴＩ）を送信してハンドオーバーをコンファームし、上りリンクバッファ状態報告を送信することによって、ハンドオーバー過程が完了したことをターゲットｅＮＢに知らせる。ターゲットｅＮＢは、ハンドオーバーコンファーム（ｈａｎｄｏｖｅｒ  ｃｏｎｆｉｒｍ）メッセージから受信したＣ−ＲＮＴＩを確認し、ＵＥにデータ送信を始める。
【０１４９】
・ 段階１２：ターゲットｅＮＢは、経路変更（Ｐａｔｈ  Ｓｗｉｔｃｈ）メッセージをＭＭＥに送って、ＵＥがセルを替えたということを知らせる。
【０１５０】
・ 段階１３：ＭＭＥは、ユーザプレーン更新要請（Ｕｓｅｒ  Ｐｌａｎｅ  Ｕｐｄａｔｅ  Ｒｅｑｕｅｓｔ）メッセージをサービングゲートウェイに送る。
【０１５１】
・ 段階１４：サービングゲートウェイは、下りリンクデータ経路をターゲット側（ｔａｒｇｅｔ  ｓｉｄｅ）に変更する。サービングゲートウェイは、一つ以上の「エンドマーカー（ｅｎｄ  ｍａｒｋｅｒ）」パケットを以前（ｏｌｄ）経路上でソースｅＮＢに送り、その後、ソースｅＮＢに向かう（ｔｏｗａｒｄｓ）ユーザ−プレーン／ＴＮＬ（Ｔｒａｎｓｐｏｒｔ  Ｎｅｔｗｏｒｋ  Ｌａｙｅｒ）リソースを解除（ｒｅｌｅａｓｅ）することができる。
【０１５２】
・ 段階１５：サービングゲートウェイは、ユーザプレーン更新応答（Ｕｓｅｒ  Ｐｌａｎｅ  Ｕｐｄａｔｅ  Ｒｅｓｐｏｎｓｅ）メッセージをＭＭＥに送る。
【０１５３】
・ 段階１６：ＭＭＥは、経路変更Ａｃｋメッセージを用いて、経路変更メッセージに対して応答する。
【０１５４】
・ 段階１７：ターゲットｅＮＢは、ＵＥコンテクスト解除（ＵＥ  Ｃｏｎｔｅｘｔ  Ｒｅｌｅａｓｅ）メッセージを送って、ソースｅＮＢにハンドオーバーの成功を知らせ、リソース解除をトリガーする。
【０１５５】
・ 段階１８：ＵＥコンテクスト解除メッセージを受信すると、ソースｅＮＢは、無線リソース及びＵＥコンテクストと関連付けられたユーザプレーン関連リソースを解除する。
【０１５６】
図１０からわかるように、ハンドオーバー過程で様々な情報／パラメータがネットワーク個体（ｅｎｔｉｔｙ）間に交換される。ＵＥがスモールセルクラスター内で他のスモールセルにハンドオーバー又はＳＣＣを変更する場合、スモールセルのカバレッジが小さいというスモールセルの特性上、頻繁なハンドオーバーが発生しうる。このような頻繁なハンドオーバーは、ＵＥとｅＮＢに大きなオーバーヘッドになりうる。本発明は、頻繁なハンドオーバーによるシステムオーバーヘッドを減らすために、より迅速で効率的にＵＥが自身のサービングセルを変更する技法を提案する。例えば、スモールセルクラスター内の特定スモールセルをサービングセルとして用いているＵＥが、自身のサービングセルを同一クラスター内の他のスモールセルへと変更しなければならないことがあるが、本発明によれば、ＵＥは、既存のハンドオーバー技法に比べて、より迅速で効率的にサービングセルを変更することができる。スモールセルクラスター内でＵＥのＰｃｅｌｌを変更する場合には、初期同期化（ｉｎｉｔｉａｌ  ｓｙｎｃｈｒｏｎｉｚａｔｉｏｎ）過程を行わなくてもよく、ハンドオーバーを行う過程は現在とは異なってもよい。また、現在と同一のスモールセルクラスター内のスモールセルに対して、現在とは異なった無線リソース管理（ｒａｄｉｏ  ｒｅｓｏｕｒｃｅ  ｍｅａｓｕｒｅｍｅｎｔ、ＲＲＭ）を行うことができる。
【０１５７】
参考として、ＲＲＭはＵＥに移動性経験（ｍｏｂｉｌｉｔｙ  ｅｘｐｅｒｉｅｎｃｅ）を提供することによって、重大なユーザ介入無しにもＵＥ及びネットワークが移動性をシームレスに（ｓｅａｍｌｅｓｓｌｙ）管理するようにし、利用可能な無線リソースの効率的使用を保障し、ｅＮＢが既に定義された無線リソース関連要求（ｒａｄｉｏ  ｒｅｓｏｕｒｃｅ  ｒｅｌａｔｅｄ  ｒｅｑｕｉｒｅｍｅｎｔ）を満足させ得るようにするメカニズム（ｍｅｃｈａｎｉｓｍ）を提供することを目的とする。シームレスな移動性のための支援を提供するためにＵＥによって行われる主要過程には、セル探索（ｃｅｌｌ  ｓｅａｒｃｈ）、測定（ｍｅａｓｕｒｅｍｅｎｔｓ）、ハンドオーバー（ｈａｎｄｏｖｅｒ）及びセル再探索（ｃｅｌｌ  ｒｅｓｅｌｅｃｔｉｏｎ）などがある。ｅＮＢは、ＲＲＭのためにＵＥに適用可能な測定設定（ｍｅａｓｕｒｅｍｅｎｔ  ｃｏｎｆｉｇｕｒａｔｉｏｎ）を提供することができる。例えば、ｅＮＢは、ＲＲＭのために、測定対象（ｍｅａｓｕｒｅｍｅｎｔ  ｏｂｊｅｃｔ）、報告設定（ｒｅｐｏｒｔｉｎｇ  ｃｏｎｆｉｇｕｒａｔｉｏｎ）、測定識別子（ｍｅａｓｕｒｅｍｅｎｔ  ｉｄｅｎｔｉｔｙ）、量設定（ｑｕａｎｔｉｔｙ  ｃｏｎｆｉｇｕｒａｔｉｏｎ）、測定ギャップ（ｍｅａｓｕｒｅｍｅｎｔ  ｇａｐ）を含む測定設定をＵＥに送信し、ＵＥによる測定をトリガーすることができる。測定対象とは、ＵＥが測定を行うべき対象のことを指し、測定対象としては、例えば、イントラ−周波数及びインター−周波数測定のための単一Ｅ−ＵＴＲＡ搬送波周波数、インター−ＲＡＴ（Ｒａｄｉｏ  Ａｃｃｅｓｓ  Ｔｅｃｈｎｏｌｏｇｙ）ＵＴＲＡ測定のための単一ＵＴＲＡ周波数、インター−ＲＡＴ ＧＥＲＡＮ測定のためのＧＥＲＡＮ搬送波周波数の集合、インター−ＲＡＴ ＣＤＭＡ２０００測定のための単一搬送波周波数上のセルの集合を挙げることができる。イントラ−周波数測定は、サービングセルの下りリンク搬送波周波数における測定を意味し、インター−周波数測定は、サービングセルの下りリンク搬送波周波数のうち、任意の下りリンク搬送波周波数と他の周波数間における測定を意味する。報告設定は、報告設定のリストであり、各報告設定は、ＵＥが測定報告を送るようにトリガーする条件（ｃｒｉｔｅｒｉｏｎ）を示す報告条件（ｒｅｐｏｒｔｉｎｇ  ｃｒｉｔｅｒｉｏｎ）、及びＵＥが上記測定報告に含めるべき量（ｑｕａｎｔｉｔｉｅｓ）及び関連情報を示す報告フォーマット（ｒｅｐｏｒｔｉｎｇ  ｆｏｒｍａｔ）で設定される。測定識別子は、測定識別子のリストであり、各測定識別子は、一つの測定対象と一つの報告設定とをリンク（ｌｉｎｋ）する。複数の測定識別子を設定することによって、一つ以上の報告設定を同一の測定対象にリンクするだけでなく、一つ以上の測定対象を同一の報告設定にリンクすることができる。測定識別子は、測定報告において参照番号として用いられる。量設定は、全てのイベント推定（ｅｖｅｎｔ  ｅｖａｌｕａｔｉｏｎ）及び該当の測定タイプの関連報告のために用いられる、測定量及び関連フィルタリング（ｆｉｌｔｅｒｉｎｇ）を定義する。一つのフィルター（ｆｉｌｔｅｒ）が測定量ごとに設定されてもよい。測定ギャップは、何らのＵＬ／ＤＬ送信もスケジュールされず、ＵＥが測定を行うために用いてもよい期間（ｐｅｒｉｏｄ）を表す。上記測定設定を受信したＵＥは、測定対象として指示された搬送波周波数上のＣＲＳを用いて参照信号受信電力（ｒｅｆｅｒｅｎｃｅ  ｓｉｇｎａｌ  ｒｅｃｅｉｖｅｄ  ｐｏｗｅｒ、ＲＳＲＰ）測定及び参照信号受信品質（ｒｅｆｅｒｅｎｃｅ  ｓｉｇｎａｌ  ｒｅｃｅｉｖｅｄ  ｑｕａｌｉｔｙ、ＲＳＲＱ）測定を行う。ＲＳＲＰ測定は、セル−特定的信号強度メトリック（ｍｅｔｒｉｃ）を提供する。ＲＳＲＰ測定は、主に、信号強度によって候補セル（或いは、候補ＣＣ）の順位を定めるために用いられたり、ハンドオーバー及びセル再選択決定のための入力として用いられる。ＲＳＲＰは、考慮された（ｃｏｎｓｉｄｅｒｅｄ）周波数帯域幅内でＣＲＳを運ぶＲＥの電力分布（ｐｏｗｅｒ  ｃｏｎｔｒｉｂｕｔｉｏｎ）に対する線形平均であり、特定セル（或いは、特定ＣＣ）に対して定義される。ＲＳＲＱは、セル−特定的信号品質メトリックを提供するためのものであり、ＲＳＲＰと同様に、主に、信号品質によって候補セル（或いは、候補ＣＣ）の順位を定めるために用いられる。ＲＳＲＱは、例えば、ＲＳＲＰ測定が、信頼できる移動性決定を行うのに十分な情報を提供できないとき、ハンドオーバー及びセル再選択のための入力として用いられてもよい。ＲＳＲＱは、「Ｎ＊ＲＳＲＰ／ＲＳＳＩ」と定義され、ここで、Ｎは、ＲＳＳＩ測定帯域幅のＲＢの個数である。受信信号強度指示子（ｒｅｃｅｉｖｅｄ  ｓｉｇｎａｌ  ｓｔｒｅｎｇｔｈ  ｉｎｄｉｃａｔｏｒ、ＲＳＳＩ）は、測定帯域幅において、コ−チャネルサービング及び非サービングセルを含む全てのソース（ｓｏｕｒｃｅ）からＵＥによって観察された総受信広帯域（ｗｉｄｅｂａｎｄ）電力、隣接チャネル干渉（ａｄｊａｃｅｎｔ  ｃｈａｎｎｅｌ  ｉｎｔｅｒｆｅｒｅｎｃｅ）、熱雑音（ｔｈｅｒｍａｌ  ｎｏｉｓｅ）などを含むあらゆる種類の電力として定義される。このため、ＲＳＲＱは、ＵＥによって受信された全体電力に対する純粋ＲＳ電力の比を表すといえる。
【０１５８】
＜実施例Ａ．スモールセルクラスター内におけるサービングセル変更動作（ｏｐｅｒａｔｉｏｎ）＞
ＵＥは、スモールセルクラスターに存在するスモールセル内で、ＵＥのサービングセルを変更するハンドオーバーを行うことができる。ＵＥは、ＵＥのＲＲＣがＥ−ＵＴＲＡＮのＲＲＣと論理的接続（ｌｏｇｉｃａｌ  ｃｏｎｎｅｃｔｉｏｎ）されているか否かによって、ＲＲＣ＿接続状態或いはＲＲＣ＿休止状態（ＲＲＣ＿Ｉｄｌｅ）にある。ユーザがＵＥの電源を初めてつけると、ＵＥは、まず、適切なセルを探索した後、当該セルでＲＲＣ＿休止状態を維持する。Ｅ−ＵＴＲＡＮは、ＲＲＣ＿休止状態のＵＥをセル単位で把握できず、セルよりも大きい地域単位であるトラッキング領域（ｔｒａｃｋｉｎｇ  ａｒｅａ、ＴＡ）単位でコアネットワーク（ｃｏｒｅ  ｎｅｔｗｏｒｋ、ＣＮ）が管理する。ＲＲＣ＿休止状態のＵＥは、非接続層（ｎｏｎ  ａｃｃｅｓｓ  ｓｔｒａｔｕｍ，ＮＡＳ）によって構成された不連続受信（ｄｉｓｃｏｎｔｉｎｕｏｕｓ  ｒｅｃｅｐｔｉｏｎ、ＤＲＸ）を行いながら、ブロードキャストされたシステム情報と呼び出し（ｐａｇｉｎｇ）情報を受信することができ、ＴＡで上記ＵＥを固有に識別する識別子を受けることができる。また、ＲＲＣ休止状態のＵＥは、ＰＬＭＮ（Ｐｕｂｌｉｃ  Ｌａｎｄ  Ｍｏｂｉｌｅ  Ｎｅｔｗｏｒｋ）選択及び再選択を行うことができる。
【０１５９】
上記スモールセルクラスターにおける全体又は一部のスモールセルは、ＵＥとＲＲＣ接続がされているＲＲＣ＿接続状態（ＲＲＣ＿Ｃｏｎｎｅｃｔｅｄ）のセルであってもよい。又は、ＲＲＣ＿接続状態ではなくても、ＵＥがコア（ｃｏｒｅ）を介さずに該当のセルへとサービングセルを変更できる状態のセルであってもよい。本発明で、ハンドオーバーのターゲットセルになり得るスモールセルと現在サービングセルは、接続遮断（ａｃｃｅｓｓ  ｂａｒｒｉｎｇ）とＰＬＭＮが同一であってもよい。また、閉鎖加入者グループ（ｃｌｏｓｅｄ  ｓｕｂｓｃｒｉｂｅｒ  ｇｒｏｕｐ、ＣＳＧ）が適用される場合、ハンドオーバーに必要な過程があらかじめ進行されたということができる。ＣＳＧは、セルに接続アクセス権限（ｃｏｎｎｅｃｔｉｖｉｔｙ  ａｃｃｅｓｓ）を有するＵＥの集合である。各ＣＳＧはそれぞれ固有の識別番号を有しており、この識別番号をＣＳＧ ＩＤ（ＣＳＧ  ｉｄｅｎｔｉｔｙ）と呼ぶ。ＵＥは、自身がメンバーとして属しているＣＳＧのリストを有することができ、このＣＳＧリストは、ＵＥの要請又はネットワークの命令によって変更されてもよい。ｅＮＢは、自身が支援するＣＳＧのＣＳＧ ＩＤをシステム情報を用いて伝達し、当該ＣＳＧのメンバーＵＥに該当のセルへの接続を許容する。ＵＥは、ＣＳＧセルを発見した時、このＣＳＧセルがどのＣＳＧを支援するかを、システム情報に含まれたＣＳＧ ＩＤを読んで確認することができる。ＣＳＧ ＩＤを読んだＵＥは、自身が当該ＣＳＧセルのメンバーである場合にのみ、当該セルを接続可能なセルと見なす。一方、セルが、いかなるＵＥも接近が許容される公開接近モード（ｏｐｅｎ  ａｃｃｅｓｓ  ｍｏｄｅ）に設定されてもよい。本発明のスモールセルにＣＳＧが適用されると、すなわち、スモールセルがＣＳＧモードで動作すると、該スモールセルとＵＥが相互の情報を事前に知っているため、ハンドオーバーに必要な情報／過程が事前に共有／進行されたということができる。したがって、セルがＣＳＧモードで動作する場合、ＵＥは、既存のハンドオーバー過程ではなく本発明によってＵＥのサービングセルを変更することができる。本発明は、スモールセルクラスター内に存在するスモールセル内でＵＥのサービングセルを変更しやすくする方法を提案する。
【０１６０】
＊ 代案（ａｌｔｅｒｎａｔｉｖｅ）１
本発明では、スモールセル集合（ｓｅｔ）Ａとスモールセル集合Ｂといった２つのセル集合を提案する。例えば、スモールセル集合Ａは、スモールセルクラスター内の全体又は一部のセルで構成し、スモールセル集合Ｂは、スモールセル集合Ａ中のセルの全体又は一部のセルで構成することができる。言い換えると、スモールセル集合Ａはスモールセルクラスターの部分集合であり、スモールセル集合Ｂはスモールセル集合Ａの部分集合であってもよい。スモールセルクラスター或いはスモールセル集合Ａのセルは、バックホールなどによって接続された互いに隣接したセルであってもよい。スモールセル集合Ｂは、スモールセル集合Ａのセルのうち、特に、ＵＥと隣接しているか、ＵＥに対するチャネル状態が良いといった理由から、ハンドオーバーのターゲットセル或いは新しいＳｃｅｌｌになる確率の高いセルであってもよい。ただし、これは例示に過ぎず、スモールセルクラスター、スモールセル集合Ａ及び／又はスモールセル集合Ｂは、ネットワークによって設定され、スモールセルクラスター、スモールセル集合Ａ及び／又はスモールセル集合Ｂの設定は、ネットワークの具現（ｉｍｐｌｅｍｅｎｔａｔｉｏｎ）に依存するため、ネットワークの具現方法によって詳細な設定方法は異なってもよい。本発明は、ｅＮＢ，ＣＮ及び／又はＭＭＥなどがスモールセルクラスター、スモールセル集合Ａ及び／又はスモールセル集合Ｂを適切に設定できるという前提下に、ＵＥとｅＮＢ間の信号送信／受信方法を提案する。
【０１６１】
ＵＥのサービングセルは、スモールセル集合Ｂに属するセルから選択することができる。ただし、ターゲットサービングセルがスモールセル集合Ａ又はスモールセル集合Ｂから外れている場合、ＵＥは、任意接続過程を用いてターゲットサービングセルに接続することができる。
【０１６２】
スモールセル集合Ａ、スモールセル集合Ｂ、及びＵＥのサービングセルの関係は次のとおりである。ＵＥが、スモールセル集合Ａに属するセルであるセル１を自身のサービングセルとして用いる場合、このセル１を運用／制御するｅＮＢ、又はＵＥがセル１にハンドオーバーする前に使用したサービングセルを運用／制御するｅＮＢ、又はＵＥのＰｃｅｌｌ（又は、マクロセル）を運用／制御するｅＮＢは、ＵＥに、スモールセル集合Ａに含まれた全てのセルに対するパラメータセット（ｐａｒａｍｅｔｅｒ  ｓｅｔ）をＲＲＣ信号で提供することができる。各セルに対するパラメータセットの内容が更新された場合、ＵＥの現在サービングセルであるセル１を運用／制御するｅＮＢ、又はＵＥのＰｃｅｌｌ（又は、マクロセル）を運用／制御するｅＮＢは、上位層信号によって更新されたパラメータセットをＵＥに知らせることができる。
【０１６３】
本発明で必要なパラメータセットの一部例は、次のとおりである。
【０１６４】
・  ＭＩＢ（Ｍａｓｔｅｒ  Ｉｎｆｏｒｍａｔｉｏｎ  Ｂｌｏｃｋ）関連パラメータ（ＭＩＢ  ｒｅｌａｔｅｄ  ｐａｒａｍｅｔｅｒｓ）
＿下りリンク帯域幅（ｄｏｗｎｌｉｎｋ  ｂａｎｄｗｉｄｔｈ）
＿ＰＨＩＣＨ設定（ＰＨＩＣＨ  ｃｏｎｆｉｇｕｒａｔｉｏｎ）
＿システムフレーム番号（ｓｙｓｔｅｍ  ｆｒａｍｅ  ｎｕｍｂｅｒ、ＳＦＮ）：スモールセルクラスター内でセルのＳＦＮは整列（ａｌｉｇｎ）されていてもよい。言い換えると、スモールセルクラスター内セルの場合、同一時点のサブフレームは同一ＳＦＮを有することができる。この場合、ＳＦＮは省略されてもよい。
【０１６５】
・  ＳＩＢ１関連パラメータ（ＳＩＢ１  ｒｅｌａｔｅｄ  ｐａｒａｍｅｔｅｒｓ）
＿ネットワークの識別子（ＰＬＭＮ  ｉｄｅｎｔｉｔｉｅｓ  ｏｆ  ｔｈｅ  ｎｅｔｗｏｒｋ）：スモールセルクラスター内でＰＬＭＮが同一であると仮定することができ、このとき、ＰＬＭＮ情報は省略されてもよい。
＿トラッキング領域コード及びセルＩＤ（ｔｒａｃｋｉｎｇ  ａｒｅａ  ｃｏｄｅ（ＴＡＣ）ａｎｄ  ｃｅｌｌ  ＩＤ）
＿セル遮断状態（ｃｅｌｌ  ｂａｒｒｉｎｇ  ｓｔａｔｕｓ）
＿セル選択基準（ｃｅｌｌ  ｓｅｌｅｃｔｉｏｎ  ｃｒｉｔｅｒｉａ）をなす（ｆｕｌｆｉｌ）ためのセル内最小要求受信レベル（ｍｉｎｉｍｕｍ  Ｒｘ  ｌｅｖｅｌ）を示すｑ−ＲｘＬｅｖＭｉｎ
＿他のＳＩＢの送信回数及び周期（ｔｒａｎｓｍｉｓｓｉｏｎ  ｔｉｍｅｓ  ａｎｄ  ｐｅｒｉｏｄｉｃｉｔｉｅｓ  ｏｆ  ｏｔｈｅｒ  ＳＩＢｓ）
【０１６６】
・  ＰＲＡＣＨ設定（ＰＲＡＣＨ  ｃｏｎｆｉｇｕｒａｔｉｏｎ）
【０１６７】
・  セルＯＮ／ＯＦＦ関連情報（ｃｅｌｌ  ＯＮ／ＯＦＦ  ｒｅｌａｔｅｄ  ｉｎｆｏｒｍａｔｉｏｎ）
＿ＯＮ／ＯＦＦ状態周期／期間（ＯＮ／ＯＦＦ状態ｐｅｒｉｏｄ／ｄｕｒａｔｉｏｎ）
＿ＯＦＦ状態で用いられるセルＩＤ
【０１６８】
スモールセル集合Ａ内のセルが同一の帯域幅と動作周波数（ｏｐｅｒａｔｉｎｇ  ｆｒｅｑｕｅｎｃｙ）を有する場合には、スモールセル集合Ａに含まれた各セルに対するパラメータセットは、ＣｏＭＰのためのＰＤＳＣＨマッピング、ＤＭＲＳ及びＣＳＩ−ＲＳ間のＱＣＬ（Ｑｕａｓｉ−Ｃｏ−Ｌｏｃａｔｉｏｎ  Ｉｎｄｉｃａｔｏｒ）情報などに対するパラメータを含むことができる。このようなパラメータとして、次のようなパラメータを挙げることができる。
【０１６９】
・  ＣＲＳポートの個数（ｎｕｍｂｅｒ  ｏｆ  ＣＲＳ  ｐｏｒｔｓ）
【０１７０】
・  ＣＲＳの周波数遷移（ｆｒｅｑｕｅｎｃｙ  ｓｈｉｆｔ  ｏｆ  ＣＲＳ）ｖshift
【０１７１】
・  ＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）サブフレーム設定リスト
【０１７２】
・  ゼロ電力ＣＳＩ−ＲＳの設定（ｃｏｎｆｉｇｕｒａｔｉｏｎ  ｏｆ  ｚｅｒｏ  ｐｏｗｅｒ  ＣＳＩ−ＲＳ）
【０１７３】
・  ＰＤＳＣＨ開始シンボル（ＰＤＳＣＨ  ｓｔａｒｔｉｎｇ  ｓｙｍｂｏｌ）
【０１７４】
・  非−ゼロ電力ＣＳＩ−ＲＳリソースインデックス（ｎｏｎ−ｚｅｒｏ  ｐｏｗｅｒ  ＣＳＩ−ＲＳ  ｒｅｓｏｕｒｃｅ  ｉｎｄｅｘ）
【０１７５】
上記ＣＲＳポートの個数は、ＰＤＳＣＨ送信と関連付いた或いはＰＤＳＣＨアンテナポートとＱＣＬされたＣＲＳポートの個数を意味することができ、上記ＣＲＳの周波数遷移は、ＰＤＳＣＨアンテナポートとＱＣＬされたＣＲＳポートの周波数遷移ｖshitを表すことができ、上記ＭＢＳＦＮサブフレーム設定リスト下りリンクでＭＢＳＦＮのために予約された（ｒｅｓｅｒｖｅｄ）サブフレームを指示することができる。上記ゼロ電力ＣＳＩ−ＲＳ設定は、ゼロ電力ＣＳＩ−ＲＳ設定リスト及びゼロ電力ＣＳＩ−ＲＳサブフレーム設定を指示することができ、上記ＰＤＳＣＨ開始シンボルは、当該サービングセルに対してＰＤＳＣＨの開始ＯＦＤＭシンボルを指示することができ、上記非−ゼロ電力ＣＳＩ−ＲＳリソースインデックスは、ＰＤＳＣＨアンテナポートとＱＣＬされたＣＳＩ−ＲＳリソースを指示することができる。このようなパラメータは、ＰＤＳＣＨ ＲＥマッピングとＰＤＳＣＨアンテナポートＱＣＬを決定するために設定することができる。
【０１７６】
スモールセル集合Ｂはスモールセル集合Ａの部分集合であってもよい。ＵＥのサービングセルが、スモールセル集合Ａに属するセルであるセル１の場合、セル１を運用／制御するｅＮＢ、ＵＥがセル１にハンドオーバーする前に用いたサービングセルを運用／制御するｅＮＢ、又はＵＥのＰｃｅｌｌ（又は、マクロセル）を運用／制御するｅＮＢは、ＵＥに、スモールセル集合Ｂに属するセルを、ＲＲＣ信号又は媒体接続制御（ｍｅｄｉｕｍ  ａｃｃｅｓｓ  ｃｏｎｔｒｏｌ、ＭＡＣ）制御要素（ｃｏｎｔｒｏｌ  ｅｌｅｍｅｎｔ、ＣＥ）を用いて知らせることができる。
【０１７７】
スモールセル集合Ｂに含まれているセルは、既存のハンドオーバー技法と異なるＲＲＣ設定、ＭＡＣ ＣＥ、又はＰＤＣＣＨを用いた要請によってＵＥのサービングセルを変更できるセルとして用いることができる。本発明で、スモールセル集合Ａに属したＵＥの現在サービングセルであるセル１は、スモールセル集合Ｂにも属する。また、ＵＥが次に使用するサービングセルは、スモールセル集合Ｂに含まれているセルから選択することができる。また、ＵＥのスモールセル集合Ｂが新しく設定される場合、ＵＥの現在サービングセルは、新しく設定されるスモールセル集合Ｂに属していなければならない。また、ＵＥのスモールセル集合Ｂが新しく設定される場合、新しいスモールセル集合Ｂを新しく設定するセルは、上記新しいスモールセル集合Ｂ内に含まれていなければならない。本発明で、スモールセル集合Ｂは、一つのセルと設定されてもよく、この場合、スモールセル集合Ｂに属した一つのセルは、ＵＥの現在サービングセルであってもよい。
【０１７８】
スモールセル集合Ｂ内のセルのうち、ＵＥの新しいサービングセルを指定するために、ＵＥの現在サービングセルを運用／制御するｅＮＢ、又はＵＥのＰｃｅｌｌ（又は、マクロセル）を運用／制御するｅＮＢは、既存のハンドオーバー過程と異なる一種の新しいＲＲＣ再設定（ｒｅｃｏｎｆｉｇｕｒａｔｉｏｎ）過程を通じてＵＥのサービングセルを変更することができる。このとき、スモールセル集合Ｂに含まれたセルは、ＲＲＣ＿接続状態であるか、コア／ＭＭＥを介さずにもＵＥのサービングセルとして利用可能な状態であるため、ＵＥのサービングセルをより迅速に変更することができる。又は、ＵＥの現在サービングセルを運用／制御するｅＮＢ、又はＵＥのＰｃｅｌｌ（又は、マクロセル）を運用／制御するｅＮＢは、ＵＥに、スモールセル集合Ｂのセルのうち、現在サービングセルを非活性化（ｄｅａｃｔｉｖａｔｅ）し、上記スモールセル集合Ｂの他のセルを活性化（ａｃｔｉｖａｔｅ）するように設定（ｓｅｔ）されたＭＡＣ ＣＥを送信することによって、上記ＵＥのサービングセルを変更することができる。他の方法として、ＵＥの現在サービングセルを運用／制御するｅＮＢ、又はＵＥのＰｃｅｌｌ（又は、マクロセル）を運用／制御するｅＮＢは、ＰＤＣＣＨ／ｅＰＤＣＣＨを介してＵＥのサービングセル変更を要請することができる。このとき、ＵＥのサービングセルを変更する否かに関する情報及び／又は新しいサービングセルに対するインデックスなどの情報をＰＤＣＣＨ／ｅＰＤＣＣＨに含めることができる。変更されるセル、すなわち、ターゲットセルのインデックスは、ＤＣＩの既存フィールド（例、ＴＰＣフィールド）を再使用したり、ＤＣＩに新しいフィールドを追加して、ＵＥに送ることができる。
【０１７９】
新しいサービングセルのインデックスなどの情報を受信したＵＥは、該新しいサービングセルを、サービングセル変更のための次の要請を受信するまで自身のサービングセルと認識して動作することができる。また、ＵＥは、当該新しいサービングセルに対するパラメータセットを用いて下りリンク信号を受信し、上りリンク信号を送信することができる。ＰＤＳＣＨ受信の観点では、ＵＥは新しいサービングセルのインデックスなどの情報を受信すると、この新しいサービングセルに対するパラメータセットを用いてＰＤＳＣＨを受信することができる。例えば、ＵＥがＰＤＣＣＨを介して新しいサービングセルのインデックスなどの情報を受信した場合、ＵＥは、このＰＤＣＣＨを受信したサブフレームから（他のサービングセル変更要請を受信するまで）、上記新しいサービングセルに対するパラメータセットを用いてＰＤＳＣＨを受信することができる。又は、ＵＥが毎ＰＤＣＣＨを介してＵＥのサービングセルのインデックスなどの情報を受信する場合、このＰＤＣＣＨを受信したサブフレームのＰＤＳＣＨを、上記ＰＤＣＣＨで指示されたサービングセルのパラメータセットを用いて受信することができる。
【０１８０】
図１１は、本発明に係るセル集合を説明するための図であり、図１２及び図１３は、本発明に係るパラメータセットを例示する図である。
【０１８１】
図１１に示すように、スモールセル集合Ａが存在し、これらの一部セルがスモールセル集合Ｂに属することができる。ここで、ＵＥのサービングセルは、スモールセル集合Ｂに属したセルのうちの一つであってもよい。例えば、スモールセル集合Ａ内のセルが同一の帯域幅と動作周波数を有する場合、各セルに対するパラメータセットは、図１２のようなパラメータを含むことができる。
【０１８２】
仮に、スモールセル集合Ａ内に１０個のスモールセルが存在するしすれば、ｅＮＢがＵＥに、１０個のセルのそれぞれに対するパラメータセットを知らせることができる。表９は、スモールセル集合Ａを設定するためのＲＲＣ情報を例示するものであり、表１０及び表１１は、スモールセル集合Ａに該当するパラメータセットに関するＲＲＣ情報と該当のフィールド説明を例示するものである。
【０１８３】
【表９】
0006426106.tif 000029
【表１０】
0006426106.tif 000030
【表１１】
0006426106.tif 000031
【０１８４】
ｅＮＢは、上記スモールセル集合Ａにおける１０個のセルのうち、いかなるセルがスモールセル集合Ｂに属するかをＵＥにさらに知らせることができる。スモールセル集合Ｂに属するセルは、例えば、ビットマップを用いてＵＥに通知することができる。例えば、スモールセル集合Ａに属するセル１からセル１０までのセルのうち、セル２、セル３及びセル５がスモールセル集合Ｂに属する場合、ｅＮＢは、次の表のように「０１１０１０００００」に設定されたビットマップをＵＥに送信することによって、該ＵＥのために設定されたスモールセル集合Ｂを知らせることができる。
【表１２】
0006426106.tif 000032
【０１８５】
他の例として、スモールセル集合Ｂを、活性化／非活性化ＭＡＣ ＣＥを用いてＵＥに設定することもできる。スモールセル集合Ａが含み得るセルの最大個数とスモールセル集合Ｂが含み得るセルの最大個数は、システムに既に指定された値であってもよいが、スモールセル集合Ａに含まれるセル或いはパラメータセットの最大個数を１０と仮定すれば、スモールセル集合Ｂの設定のためのＭＡＣ ＣＥは、次の表のように例示することができる。
【表１３】
0006426106.tif 000033
【０１８６】
表１３で、Ｃｉは、スモールセル集合Ａのセルｉ、或いはパラメータセットｉの活性化／非活性化を表す。１に設定されたＣｉに対応するセル或いはパラメータセットは活性化され、０に設定されたＣｉに対応するセル或いはパラメータセットは非活性化されるようにすることができる。
【０１８７】
図１３を参照すると、セル２、セル３及びセル５で構成されたスモールセル集合Ｂが設定されたＵＥの場合、スモールセル集合Ａと関連付けられた１０個のパラメータセットのうち、セル２、セル３及びセル５に対するパラメータセットのいずれか一つを用いて、下りリンク信号を受信及び／又は上りリンク信号を送信することができる。ＵＥの現在サービングセルを運用／制御するｅＮＢ、又はＵＥのＰｃｅｌｌ（又は、マクロセル）を運用／制御するｅＮＢは、ＵＥの新しいサービングセルを、スモールセル集合Ｂに属するセルから選択し、これをＲＲＣ信号、ＭＡＣ ＣＥ、又はＰＤＣＣＨを介してＵＥに知らせることによって、セル２、セル３及びセル５に対するパラメータセットのうち、ＵＥが実際に使用するパラメータセットを知らせることができる。すなわち、セル２、セル３及びセル５のいずれかがＵＥの新しいサービングセルとして選択される。新しいサービングセルは、次の表のように、スモールセル集合Ｂのセルに一対一で対応する値のうち一つの値を送信することによってＵＥに通知することができる。
【表１４】
0006426106.tif 000034
【０１８８】
表１４を参照すると、例えば、ＵＥが新しいサービングセルに対するインデックスとして０を受信すると、ＵＥは、セル２を自身の新しいサービングセルと認識し、セル２に対するパラメータセットを用いて、信号を受信及び／又は上りリンク信号を送信することができる。ＰＤＳＣＨ受信の観点では、ＵＥは、セル２に対するパラメータセットを用いてＰＤＳＣＨを受信することができる。
【０１８９】
＊ 代案２
スモールセル集合Ａとスモールセル集合Ｂを、セルの集合ではなく、パラメータセットの集合と表現することもできる。スモールセル集合Ａ内のセル１がＵＥのサービングセルとして用いられる場合、セル１を運用／制御するｅＮＢ、ＵＥがセル１にハンドオーバーする前に用いられたサービングセルを運用／制御するｅＮＢ、又はＵＥのＰｃｅｌｌ（又は、マクロセル）を運用／制御するｅＮＢは、ＵＥに、スモールセル集合Ａに含まれるパラメータセットを、ＲＲＣ信号を用いて提供することができる。各パラメータセットの内容が更新された場合、ＵＥの現在サービングセルであるセル１を運用／制御するｅＮＢ、又はＵＥのＰｃｅｌｌ（又は、マクロセル）を運用／制御するｅＮＢは、上位層信号を用いて、更新されたパラメータセットをＵＥに送信することができる。パラメータセットは、セル−特定的パラメータ及び／又はＵＥ動作に対するＵＥ−特定的パラメータで構成することができる。セル−特定的パラメータとＵＥ−特定的パラメータを例示すると、次の通りである。
【０１９０】
・  セル−特定的パラメータ（ｃｅｌｌ−ｓｐｅｃｉｆｉｃ  ｐａｒａｍｅｔｅｒｓ）
＿セルＩＤ（ｃｅｌｌ  ＩＤ）
＿ＭＩＢ関連パラメータ（ＭＩＢ  ｒｅｌａｔｅｄ  ｐａｒａｍｅｔｅｒｓ）
＿ＳＩＢ１関連パラメータ（ＳＩＢ１  ｒｅｌａｔｅｄ  ｐａｒａｍｅｔｅｒｓ）
＿ＰＲＡＣＨ設定（ＰＲＡＣＨ  ｃｏｎｆｉｇｕｒａｔｉｏｎ）
＿セルＯＮ／ＯＦＦ関連情報（ｃｅｌｌ  ＯＮ／ＯＦＦ  ｒｅｌａｔｅｄ  ｉｎｆｏｒｍａｔｉｏｎ）
＿ＣｏＭＰのためのＰＤＳＣＨマッピング、ＤＭＲＳ及びＣＳＩ−ＲＳ間のＱＣＬ情報（例、ＣＲＳポートの個数、ゼロ電力ＣＳＩ−ＲＳの設定、ＰＤＳＣＨ開始シンボル、ＣＳＩ−ＲＳリソースインデックス）
【０１９１】
・  ＵＥ−特定的パラメータ（ＵＥ−ｓｐｅｃｉｆｉｃ  ｐａｒａｍｅｔｅｒｓ）
＿ＣｏＭＰのためのＰＤＳＣＨマッピング、ＤＭＲＳ及びＣＳＩ−ＲＳ間のＱＣＬ情報（例、ＣＲＳポートの個数、ゼロ電力ＣＳＩ−ＲＳの設定、ＰＤＳＣＨ開始シンボル、ＣＳＩ−ＲＳリソースインデックス）
＿ＳＲＳ送信関連パラメータ（ＳＲＳ  ｔｒａｎｓｍｉｓｓｉｏｎ  ｒｅｌａｔｅｄ  ｐａｒａｍｅｔｅｒｓ）
【０１９２】
スモールセル集合Ｂは、スモールセル集合Ａ内のパラメータセットの全体又は一部のパラメータセットと設定することができる。ＵＥのサービングセルがスモールセル集合Ａに属するセルであるセル１の場合、セル１を運用／制御するｅＮＢ、ＵＥがｃｅｌｌ １にハンドオーバーする前に用いられたサービングセルを運用／制御するｅＮＢ、又はＵＥのＰｃｅｌｌ（又は、マクロセル）を運用／制御するｅＮＢは、ＵＥに、スモールセル集合Ｂに属するパラメータセットを、ＲＲＣ信号又はＭＡＣ ＣＥを用いて知らせることができる。例えば、スモールセル集合Ａに属するパラメータセットのうち、スモールセル集合Ｂに属するパラメータセットを活性化するＭＡＣ ＣＥをＵＥに送信したり、スモールセル集合Ａに属するパラメータセットのインデックスのうち、スモールセル集合Ｂに属するパラメータセットのインデックスを含むＲＲＣ信号をＵＥに送信することができる。
【０１９３】
スモールセル集合Ｂに含まれているパラメータセットは、既存のハンドオーバー技法と異なるＲＲＣ設定、ＭＡＣ ＣＥ、又はＰＤＣＣＨを用いてＵＥのためのパラメータセットとして設定することができる。スモールセル集合Ｂは、一つのパラメータセットで構成されてもよく、この場合、スモールセル集合Ｂは、ＵＥが現在使用しているパラメータセットであってもよい。
【０１９４】
スモールセル集合Ｂ内のパラメータセットのうち、ＵＥが使用する新しいパラメータセットを指定するために、ＵＥの現在サービングセルを運用／制御するｅＮＢ、又はＵＥのＰｃｅｌｌ（又は、マクロセル）を運用／制御するｅＮＢは、一種の新しいＲＲＣ再設定過程によって、ＵＥが使用するパラメータセットを変更することができる。又は、ＵＥの現在サービングセルを運用／制御するｅＮＢ又はＵＥのＰｃｅｌｌ（又は、マクロセル）を運用／制御するｅＮＢは、スモールセル集合Ｂ内のパラメータセットのうち、ＵＥが使用するべき新しいパラメータセットを活性化し、使用しないパラメータセットを非活性化するように設定されたＭＡＣ ＣＥを送信することによって、ＵＥが使用するパラメータセットを変更することもできる。他の方法として、ＵＥの現在サービングセルを運用／制御するｅＮＢ又はＵＥのＰｃｅｌｌ（又は、マクロセル）を運用／制御するｅＮＢは、ＰＤＣＣＨ／ｅＰＤＣＣＨを介して、ＵＥが使用するパラメータセットの変更を要請することもできる。このとき、ＵＥが使用するパラメータセットを変更するか否かに関する情報及び／又は新しいサービングセルに対するパラメータセットのインデックスなどの情報をＰＤＣＣＨ／ｅＰＤＣＣＨに含めることができる。変更されるパラメータセットのインデックスは、ＤＣＩの既存フィールド（例、ＴＰＣフィールド）に設定するか、ＤＣＩに新しいフィールドを追加し、この新しいフィールドに設定することによって、ＵＥに送信することもできる。新しいパラメータセットのインデックスなどの情報を受信したＵＥは、当該パラメータセットを、次のパラメータセット変更に対する要請を受信するまで、自身が使用するパラメータセットと認識して動作することができる。ＰＤＳＣＨ受信の観点では、ＵＥは、新しいパラメータセットのインデックスなどの情報を受信すると、指示された新しいパラメータセットを用いてＰＤＳＣＨを受信することができる。例えば、ＵＥがＰＤＣＣＨを介して新しいパラメータセットのインデックスを受信した場合、ＵＥは、該ＰＤＣＣＨが検出されたサブフレームから（パラメータセット変更と関連した次のパラメータセットインデックスを受信するまで）上記新しいパラメータセットを用いてＰＤＳＣＨを受信することができる。他の例として、ＵＥが毎ＰＤＣＣＨを介してＵＥのパラメータセットのインデックスを受信した場合、該ＰＤＣＣＨを受信したサブフレームでは、ＰＤＳＣＨを、上記ＰＤＳＣＨで指示されたパラメータセットを用いて受信することができる。
【０１９５】
ＵＥは、スモールセル集合Ｂ内で２個以上のパラメータセットを、使用するパラメータセットとして指定されてもよい。例えば、ＵＥに２個のパラメータセットが指定され、ＵＥはこれら２個のパラメータセットを使用することもできる。一つのＵＥが使用する２個のパラメータセットを、Ｐｓｅｔ＿Ｃ、Ｐｓｅｔ＿Ｕとするとき、Ｐｓｅｔ＿ＣとＰｓｅｔ＿Ｕはそれぞれ異なるパラメータで構成され、これら２個のパラメータセットには、同一のパラメータが存在することがない。例えば、Ｐｓｅｔ＿Ｃは、セル−特定的パラメータのセットとし、Ｐｓｅｔ＿Ｕは、ＵＥ−特定的パラメータのセットとすることができる。ＵＥに新しいパラメータセットが指定される場合、ＵＥが使用している２つ以上のパラメータセットのうち一部のパラメータセットのみを変更するように指定されてもよい。
【０１９６】
又は、２個以上のスモールセル集合Ａが設定されてもよい。例えば、ＵＥに対して設定された２個のスモールセル集合Ａを、スモールセル集合Ａ＿Ｃとスモールセル集合Ａ＿Ｕとしよう。スモールセル集合Ａ＿Ｃに属するパラメータセットに含まれるパラメータと、スモールセル集合Ａ＿Ｕに属するパラメータセットに含まれるパラメータはそれぞれ異なるパラメータであり、同一のパラメータがスモールセル集合Ａ＿Ｃ内のパラメータセットとスモールセル集合Ａ＿Ｕ内のパラメータセットに含まれることがない。例えば、スモールセル集合Ａ＿Ｃに属するパラメータセットは、セル−特定的パラメータのセットとし、スモールセル集合Ａ＿Ｕに属するパラメータセットは、ＵＥ−特定的パラメータのセットとすることができる。スモールセル集合Ａと同様に、スモールセル集合Ｂも、それぞれのスモールセル集合Ａと関連して２個が存在してもよい。例えば、スモールセル集合Ｂ＿Ｃを、スモールセル集合Ａ＿Ｃ内のパラメータセットの全て又は一部のパラメータセットと設定することができ、スモールセル集合Ｂ＿Ｕを、スモールセル集合Ａ＿Ｕ内のパラメータセットの全て又は一部のパラメータセットと設定することができる。ＵＥは、複数のスモールセル集合Ｂからそれぞれ１つのパラメータセットが指定され、これらを使用することができる。例えば、スモールセル集合Ｂ＿Ｃとスモールセル集合Ｂ＿Ｕが存在するとき、ＵＥは、スモールセル集合Ｂ＿Ｃとスモールセル集合Ｂ＿Ｕからそれぞれ１つのパラメータセットが指定され、これらを使用することができる。この場合、ＵＥは、スモールセル集合Ｂ＿Ｃから自身の使用するセル−特定的パラメータセットを受信し、スモールセル集合Ｂ＿Ｕから自身の使用するＵＥ−特定的パラメータセットを受信して使用することができる。他の例として、ＵＥが２つのスモールセル集合Ａとしてスモールセル集合Ａ＿Ｃとスモールセル集合Ａ＿Ｕを有するとき、スモールセル集合Ａ＿Ｃはセルの集合と設定され、スモールセル集合Ａ＿Ｕはパラメータセットの集合と設定されてもよい。このとき、ＵＥは、代案１で説明したように、スモールセル集合Ａ＿Ｃに属するセルに対してそれぞれパラメータセットを受けることができる。また、スモールセル集合Ａ＿Ｕに対しては、代案２で説明したように、スモールセル集合Ａ＿Ｕに含まれるパラメータセットを受けることができる。この場合、スモールセル集合Ａ＿Ｃに属するそれぞれのセルに対するパラメータセットは、それぞれのセルに対するセル−特定的パラメータセットと構成することができる。また、スモールセル集合Ａ＿Ｕに属するパラメータセットは、ＵＥ−特定的パラメータのセットと構成することができる。スモールセル集合Ａと同様に、スモールセル集合Ｂもそれぞれのスモールセル集合Ａに関連して２個が存在してもよい。スモールセル集合Ｂ＿Ｃは、スモールセル集合Ａ＿Ｃに含まれたセルの全て又は一部のセルの集合とし、スモールセル集合Ｂ＿Ｕは、スモールセル集合Ａ＿Ｕ内に含まれたパラメータセットの全て又は一部のパラメータセットの集合とすることができる。。このとき、ＵＥは、スモールセル集合Ｂ＿ＣからＵＥのサービングセルが指定され、当該セルと関連したパラメータセットを使用し、スモールセル集合Ｂ＿ＵからはＵＥの使用するパラメータセットが指定され、これを使用することができる。例えば、ＵＥは、スモールセル集合Ｂ＿Ｃのうち、自身の使用するサービングセルが指定され、当該セルと関連したセル−特定的パラメータセットを使用し、スモールセル集合Ｂ＿Ｕから自身の使用するＵＥ−特定的パラメータセットを受けて使用することができる。
【０１９７】
＊ 代案３
スモールセル集合Ａに属するセルであるセル１がＵＥのサービングセルとして用いられる場合、セル１を運用／制御するｅＮＢ、ＵＥがセル１にハンドオーバーする前に用いられたサービングセルを運用／制御するｅＮＢ、又はＵＥのＰｃｅｌｌ（又は、マクロセル）を運用／制御するｅＮＢは、ＵＥに、スモールセル集合Ａに含まれた全てのセルに対する共通（ｃｏｍｍｏｎ）情報、又はスモールセル集合Ａ内でＵＥが動作する上で必要な共通パラメータを提供することを提案する。例えば、次のようなパラメータを共通パラメータに含めることができる。
・  帯域幅（ｂａｎｄｗｉｄｔｈ）
・  ＭＢＳＦＮサブフレーム設定（ＭＢＳＦＮ  ｓｕｂｆｒａｍｅ  ｃｏｎｆｉｇｕｒａｔｉｏｎ）
・  ＵＬ／ＤＬ設定（ＵＬ／ＤＬ  ｃｏｎｆｉｇｕｒａｔｉｏｎ）
・  特別サブフレーム設定（ｓｐｅｃｉａｌ  ｓｕｂｆｒａｍｅ  ｃｏｎｆｉｇｕｒａｔｉｏｎ）
・  動作周波数（ｏｐｅｒａｔｉｎｇ  ｆｒｅｑｕｅｎｃｙ）
【０１９８】
ＵＥは、提供された共通パラメータに対して、スモールセル集合Ａ内のセルがいずれも同一値を有すると判断することができる。又は、ＵＥは、スモールセル集合Ａ内では、提供された共通パラメータを用いて動作できると判断することができる。
【０１９９】
スモールセル集合Ｂは、スモールセル集合Ａ内のセルの全て又は一部のセルで設定されてもよい。スモールセル集合Ａに属するセルであるセル１がＵＥのサービングセルとして用いられる場合、セル１を運用／制御するｅＮＢ、ＵＥがセル１にハンドオーバーする前に用いられたサービングセルを運用／制御するｅＮＢ、又はＵＥのＰｃｅｌｌ（又は、マクロセル）を運用／制御するｅＮＢは、ＵＥに、スモールセル集合Ｂに属するセルを、ＲＲＣ信号又はＭＡＣ ＣＥを用いて指示することができる。これと共に、セル１を運用／制御するｅＮＢ、ＵＥがセル１にハンドオーバーする前に用いられたサービングセルを運用／制御するｅＮＢ、又はＵＥのＰｃｅｌｌ（又は、マクロセル）を運用／制御するｅＮＢは、スモールセル集合Ｂに属する各セルに対してセル−特定的パラメータを、ＲＲＣ信号又はＭＡＣ ＣＥを用いて知らせることができる。
【０２００】
スモールセル集合Ｂに含まれているセルは、既存のハンドオーバー技法と異なるＲＲＣ設定、ＭＡＣ ＣＥ、又はＰＤＣＣＨを介してＵＥのサービングセルを変更できるセルとして用いることができる。
【０２０１】
スモールセル集合Ａに属したＵＥの現在サービングセルであるセル１は、スモールセル集合Ｂに含まれている。ＵＥが次に使用するサービングセルは、スモールセル集合Ｂに含まれているセルから選択される。ＵＥのサービングセル又はスモールセル集合Ｂを設定するセルは、常に、新しく設定されるスモールセル集合Ｂに属していてもよい。この場合、ＵＥのスモールセル集合Ｂが新しく設定される場合、ＵＥの現在サービングセルは、新しく設定されるスモールセル集合Ｂに属していなければならない。また、ＵＥのスモールセル集合Ｂが新しく設定される場合、新しいスモールセル集合Ｂを新しく設定するセルは、上記新しいスモールセル集合Ｂ内に含まれていなければならない。
【０２０２】
このとき、特徴的に、スモールセル集合Ｂを一つのセルで構成することができ、このとき、スモールセル集合ＢはＵＥの現在サービングセルであってもよい。
【０２０３】
スモールセル集合Ｂ内のセルのうち、ＵＥの新しいサービングセルを指定するために、ＵＥの現在サービングセルを運用／制御するｅＮＢ又はＵＥのＰｃｅｌｌ（又は、マクロセル）を運用／制御するｅＮＢは、既存のハンドオーバー過程とは異なる一種の新しいＲＲＣ再設定過程によってＵＥのサービングセルを変更することができる。このとき、スモールセル集合Ｂに含まれたセルは、ＲＲＣ＿接続状態であるか、コア／ＭＭＥを介さずにもＵＥのサービングセルとして利用可能な状態であるため、ＵＥのサービングセルをより迅速に変更することができる。又は、ＵＥの現在サービングセルを運用／制御するｅＮＢ又はＵＥのＰｃｅｌｌ（又は、マクロセル）を運用／制御するｅＮＢは、ＵＥに、新しいセルを活性化し、他のセルを非活性化するＭＡＣ ＣＥを送信することによって、ＵＥのサービングセルを変更することもできる。他の方法として、ＵＥの現在サービングセルを運用／制御するｅＮＢ又はＵＥのＰｃｅｌｌ（又は、マクロセル）を運用／制御するｅＮＢは、ＰＤＣＣＨ／ｅＰＤＣＣＨを用いてＵＥのサービングセル変更を要請することができる。このとき、ＵＥのサービングセルを変更するか否かに関する情報及び／又は新しいサービングセルに対するインデックスなどの情報をＰＤＣＣＨ／ｅＰＤＣＣＨに含めることができる。変更されるセル、すなわち、ターゲットセルに対するインデックスは、ＤＣＩの既存フィールド（例、ＴＰＣフィールド）を再使用したり、ＤＣＩに新しいフィールドを追加することによって、ＵＥに送ることができる。
【０２０４】
新しいサービングセルのインデックスなどの情報を受信したＵＥは、当該セルを、次のサービングセル変更に対する要請を受信するまで、自身のサービングセルと認識して動作することができる。また、ＵＥは、共通パラメータのセットと共に、指示された新しいサービングセルに対するセル−特定的パラメータセットを用いて動作することができる。ＰＤＳＣＨ受信の観点では、ＵＥは、新しいサービングセルのインデックスなどの情報を受信すると、共通パラメータのセットと共に、指示された新しいサービングセルに対するセル−特定的パラメータセットを用いてＰＤＳＣＨを受信することができる。ＵＥがＰＤＣＣＨを介して新しいサービングセルのインデックスなどの情報を受信した場合、ＵＥは、当該ＰＤＣＣＨを受信したサブフレームから（他のセル−特定的パラメータセット情報を運ぶＰＤＣＣＨを受信するまで）、共通パラメータのセットと共に、ＰＤＣＣＨによって指示された新しいサービングセルに対するセル−特定的パラメータセットを用いてＰＤＳＣＨを受信することができる。又は、ＵＥが毎ＰＤＣＣＨを介してＵＥのサービングセルのインデックスなどの情報を受信する場合、ＰＤＣＣＨを受信したサブフレームでは、ＰＤＳＣＨを、共通パラメータのセットと共に、ＰＤＣＣＨによって指示された新しいサービングセルに対するセル−特定的パラメータセットを用いて受信することができる。
【０２０５】
＊ サービングセル変更の判断
ＵＥのサービングセルを運用／制御するｅＮＢ又はＵＥのＰｃｅｌｌ（又は、マクロセル）を運用／制御するｅＮＢは、ＵＥのサービングセル変更に対する判断のために、ＵＥが報告した各セルのＲＲＭ値を参考する。このようなｅＮＢは、ＵＥのサービングセルとスモールセル集合Ｂ内の他のセルに対する測定値を考慮して、次のような状況が発生する場合に、ＵＥのサービングセルを変更することを考慮することができる。
【０２０６】
・  サービングセルが絶対（ａｂｓｏｌｕｔｅ）臨界値（ｔｈｒｅｓｈｏｌｄ）よりも悪くなる（ｗｏｒｓｅ）：ここで、絶対臨界値は、既存ハンドオーバーにおける臨界値とは別に設定される値とすることができ、特徴的には、既存ハンドオーバーにおける臨界値よりも大きい値とすることができる。
【０２０７】
・  サービングセル候補が絶対臨界値よりも良くなる（ｂｅｔｔｅｒ）：ここで、絶対臨界値は、既存ハンドオーバーにおける臨界値とは別に設定される値とすることができ、特徴的には、既存ハンドオーバーにおける臨界値よりも低い値とすることができる。
【０２０８】
・  サービングセル集合Ｂ内のサービングセルが上記サービングセルに関する（ｒｅｌａｔｉｖｅ  ｔｏ）オフセットよりも良くなる：ここで、オフセットは、既存ハンドオーバーにおけるオフセットとは別に設定される値とすることができ、特徴的には、既存ハンドオーバーにおけるオフセットよりも小さい値とすることができる。
【０２０９】
・  サービングセルが臨界値よりも悪くなり、サービングセル集合Ｂ内のセルが他の絶対臨界値よりも良くなる：ここで、両絶対臨界値は、既存ハンドオーバーにおける絶対臨界値とは別に設定される値とすることができる。
【０２１０】
＊ サービングセル変更時にＵＥの動作
ＵＥが送信した信号がｅＮＢまで到達する時間は、セル（ｃｅｌｌ）の半径、セル内ＵＥの位置、ＵＥの移動速度によって異なってもよい。すなわち、ｅＮＢがＵＥごとに送信タイミングをそれぞれ管理しないと、特定ＵＥの送信信号が他のＵＥが送信した送信信号に干渉として作用する可能性があり、ｅＮＢにとって受信信号の誤り率（ｅｒｒｏｒ  ｒａｔｅ）が増加する。さらにいうと、セルのエッジで送信を試みるＵＥの場合、この送信した信号がｅＮＢに到達するまでかかる時間は、セル中央に位置するＵＥによる送信信号の到達時間より長いだろう。逆に、セル中央に位置するＵＥによる送信信号がｅＮＢに到着するまでかかる時間は、セルのエッジに位置するＵＥによる送信信号がｅＮＢに到達する時間よりも短いだろう。ｅＮＢにとっては、干渉影響を防ぐために、セル内の全てのＵＥが送信したデータ又は信号が毎有効時間境界内に受信されるように調節しなければならない。そのために、ｅＮＢは、ＵＥの状況に応じて該ＵＥの送信タイミングを適度に調節しなければならない。このような調節を、時間経過管理（ｔｉｍｅ  ａｄｖａｎｃｅ  ｍａｎａｇｅｍｅｎｔ）或いは時間整列管理（ｔｉｍｅ  ａｌｉｇｎｍｅｎｔ  ｍａｎａｇｅｍｅｎｔ）と呼ぶ。ＵＬ時間整列を管理する方法の一つとして任意接続過程を挙げることができる。任意接続過程（ｒａｎｄｏｍ  ａｃｃｅｓｓ  ｐｒｏｃｅｄｕｒｅ）（或いは、ＲＡＣＨ過程ともいう。）は、Ｐｃｅｌｌと関連した次のイベントのために行われる：ＲＲＣ＿休止状態からの初期接続、ＲＲＣ接続再−確立（ｒｅ−ｅｓｔａｂｌｉｓｈｍｅｎｔ）過程、ハンドオーバー、任意接続過程を要求する（ｒｅｑｕｉｒｉｎｇ）ＲＲＣ＿接続状態の間（ｄｕｒｉｎｇ）におけるＤＬデータ到着（ａｒｒｉｖａｌ）、任意接続過程を要求する（ｒｅｑｕｉｒｉｎｇ）ＲＲＣ＿接続状態の間におけるＵＬデータ到着、任意接続過程を要求する（ｒｅｑｕｉｒｉｎｇ）ＲＲＣ＿接続状態の間におけるポジショニング（ｐｏｓｉｔｉｏｎｉｎｇ）。任意接続過程は、同一のタイミング経過（ｔｉｍｉｎｇ  ａｄｖａｎｃｅ）値を用いるタイミング経過グループ（ｔｉｍｉｎｇ  ａｄｖａｎｃｅ  ｇｒｏｕｐ、ＴＡＧ）のために時間整列を確立（ｅｓｔａｂｌｉｓｈ）すべくＳｃｅｌｌ上で行われてもよい。任意接続過程は、ＰＤＣＣＨオーダー（ｏｒｄｅｒ）によって或いはＭＡＣ副層（ｓｕｂｌａｙｅｒ）自体によって開始（ｉｎｉｔｉａｔｅ）される。任意接続過程が開始される前に１）任意接続プリアンブルの送信のためのＰＲＡＣＨリソースの利用可能な集合を示す情報（ｐｒａｃｈ−ＣｏｎｆｉｇＩｎｄｅｘ）と、２）任意接続プリアンブルのグループと各グループで利用可能な任意接続プリアンブルの集合を示す情報が仮定される。
【０２１１】
任意接続過程は、ＵＥがＲＡＣＨプリアンブルを選択する方法によって、特定のＲＡＣＨプリアンブルの集合からＵＥが任意に一つを選択して使用する競合ベース任意接続過程と、ｅＮＢがＵＥに割り当てた特定ＲＡＣＨプリアンブルを使用する非競合ベース任意接続過程とに分類される。競合ベース任意接続過程は、次の段階によって行うことができる。
【０２１２】
１）任意接続プリアンブル
競合ベース任意接続の場合、ＵＥは、システム情報又はハンドオーバー命令（ｈａｎｄｏｖｅｒ  ｃｏｍｍａｎｄ）によって指示された任意接続プリアンブル（或いは、ＲＡＣＨプリアンブルともいう。）の集合から任意に（ｒａｎｄｏｍｌｙ）一つの任意接続プリアンブルを選択し、この任意接続プリアンブルを、送信のためのＰＲＡＣＨリソースを選択して送信することができる。
【０２１３】
２）任意接続応答
ＵＥは、上記任意接続プリアンブルを送信した後、ｅＮＢがシステム情報又はハンドオーバー命令て指示した、任意接続応答受信ウィンドウ（ｗｉｎｄｏｗ）内で自身の任意接続応答の受信を試みる。さらにいうと、任意接続応答情報は、ＭＡＣ ＰＤＵ（Ｐａｃｋｅｔ  Ｄａｔａ  Ｕｎｉｔ）の形式で送信され、該ＭＡＣ ＰＤＵは、ＰＤＳＣＨを介して伝達されてもよい。また、上記ＰＤＳＣＨで伝達される情報を適切に受信するために、ＵＥは、ＲＡ−ＲＮＴＩを用いてＰＤＣＣＨをモニタリングすることができる。ＲＡ−ＲＮＴＩは、任意接続プリアンブルが送信されたＰＲＡＣＨに基づいて定められる値である。ＰＤＣＣＨには、上記ＰＤＳＣＨを受信すべきＵＥの情報と、上記ＰＤＳＣＨの無線リソースの周波数及びタイミング情報、及び上記ＰＤＳＣＨの送信フォーマットなどが含まれてもよい。一旦、ＵＥが、自身に送信されるＰＤＣＣＨの受信に成功すると、上記ＰＤＣＣＨの情報に基づいて、ＰＤＳＣＨで送信される任意接続応答を適切に受信することができる。そして、上記任意接続応答は、任意接続プリアンブル識別子（ｒａｎｄｏｍ  ａｃｃｅｓｓ  ｐｒｅａｍｂｌｅ  ｉｄｅｎｔｉｆｉｅｒ、ＲＡＰＩＤ）、上りリンク無線リソースを知らせる上りリンクグラント、臨時セル無線ネットワーク臨時識別子（ｔｅｍｐｏｒａｒｙ  ｃｅｌｌ  ｒａｄｉｏ  ｎｅｔｗｏｒｋ  ｔｅｍｐｏｒａｒｙ  ｉｄｅｎｔｉｆｉｅｒ、臨時Ｃ−ＲＮＴＩ）、及びタイミング経過値を含むことができる。任意接続応答が、段階１）で自身が選択した任意接続プリアンブルと一致するＲＡＰＩＤを含むと、ＵＥは、任意接続応答の受信に成功したと見なし、上りリンクグラント、臨時Ｃ−ＲＮＴＩ及びタイミング経過値などを取得することができる。
【０２１４】
３．スケジュールされた送信
ＵＥが自身に有効な任意接続応答を受信した場合には、該任意接続応答に含まれた情報をそれぞれ処理する。すなわち、ＵＥは、タイミング経過値を適用し、臨時Ｃ−ＲＮＴＩを記憶する。また、上りリンクグラントを用いて、ＵＥのバッファに記憶されているデータ又は新しく生成されたデータをｅＮＢに送信する。このとき、上記上りリンクグラントに基づくデータには、上記ＵＥの識別子が含まれる。競合ベース任意接続過程では、ｅＮＢにとってはいかなるＵＥが上記任意接続過程を行うかが断出できないが、後で、衝突解決のためにはｅＮＢがＵＥを識別しなければならないためである。上りリンクグラントに対応してｅＮＢへ送信されるデータにＵＥの識別子を含める方法には、２つの方法がある。第一の方法は、上記任意接続過程前に既に当該セル（ｃｅｌｌ）から割り当てられた有効なセル（ｃｅｌｌ）識別子を有しているＵＥは、上記上りリンクグラントに対応する上りリンク送信信号を用いて自身のセル（ｃｅｌｌ）識別子を送信する。一方、任意接続過程前に有効なセル（ｃｅｌｌ）識別子が割り当てられていないＵＥは、自身の固有識別子（例えば、ＳＡＥ（Ｓｙｓｔｅｍ  Ａｒｃｈｉｔｅｃｔｕｒｅ  Ｅｖｏｌｕｔｉｏｎ）ＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ）又は任意（ｒａｎｄｏｍ）ＩＤ）を送信する。一般に、上記固有識別子はセル（ｃｅｌｌ）識別子よりも長い。上記上りリンクグラントに対応するデータを送信したＵＥは、衝突解決のためのタイマー（ｃｏｎｔｅｎｔｉｏｎ  ｒｅｓｏｌｕｔｉｏｎ  ｔｉｍｅｒ）（以下、「ＣＲタイマー」）を起動する。
【０２１５】
４．衝突解決
任意接続応答に含まれた上りリンクグラントに対応して、自身の識別子を含めたデータをｅＮＢに送信したＵＥは、衝突の解決のために上記ｅＮＢの指示を待つ。すなわち、ＵＥはｅＮＢから特定メッセージを受信するためにＰＤＣＣＨの受信を試みる。ＰＤＣＣＨを受信する方法には、２つの方法がある。前述したように、上記上りリンクグラントに対応して送信された自身の識別子がセル（ｃｅｌｌ）識別子である場合、自身のセル（ｃｅｌｌ）識別子を用いてＰＤＣＣＨの受信を試み、上記上りリンクグラントに対応して送信された自身の識別子が固有識別子である場合には、任意接続応答に含まれた臨時Ｃ−ＲＮＴＩを用いてＰＤＣＣＨの受信を試みることができる。その後、前者の場合、ＣＲタイマーが満了する前に自身のセル識別子を用いてＰＤＣＣＨを受信すると、ＵＥは、正常に任意接続過程が行われたと判断し、任意接続過程を終了する。後者の場合には、ＣＲタイマーが満了する前に臨時Ｃ−ＲＮＴＩを用いてＰＤＣＣＨを受信すると、ＵＥは、上記ＰＤＣＣＨが指示するＰＤＳＣＨが運ぶデータを確認する。このＰＤＳＣＨが運ぶデータの内容に自身の固有識別子が含まれていると、ＵＥは、正常に任意接続過程が行われたと判断し、任意接続過程を終了する。
【０２１６】
非−競合ベース任意接続過程は、次の段階によって行うことができる。
【０２１７】
１）任意接続プリアンブル割り当て
非−競合ベース任意接続過程は、ハンドオーバー過程の場合に又はｅＮＢの命令によって要請される場合に行うことができる。勿論、これら２つの類場合に対して競合ベース任意接続過程を行ってもよい。まず、非−競合ベースの任意接続過程のために、ＵＥは、衝突の可能性がない専用任意接続プリアンブルをｅＮＢから割り当てられる。ハンドオーバー命令又はＰＤＣＣＨオーダーによって任意接続プリアンブルがｅＮＢからＵＥに指示されてもよい。
【０２１８】
２）任意接続プリアンブル
ＵＥは、上記ＵＥの専用任意接続プリアンブルをｅＮＢに送信する。
【０２１９】
３）任意接続応答
ＵＥは、任意接続応答を受信する。ＵＥがｅＮＢから任意接続応答を受信する方法は、競合ベース任意接続過程におけると同一である。
【０２２０】
任意接続過程を通じてｅＮＢは、ＵＥが送信する任意接続プリアンブル（ｒａｎｄｏｍ  ａｃｃｅｓｓ  ｐｒｅａｍｂｌｅ）を受信し、該任意接続プリアンブルの受信情報に基づいて、ＵＥの送信タイミングを早めたり或いはずらすためのタイミング経過（ｔｉｍｉｎｇ  ａｄｖａｎｃｅ）値を計算する。そして、任意接続応答を用いて上記ＵＥに、計算された時間同期値を知らせ、上記ＵＥは、上記計算された値を用いて、送信タイミングを更新する。ＵＬ時間整列のための他の方法として、サウンディング参照信号（ｓｏｕｎｄｉｎｇ  ｒｅｆｅｒｅｎｃｅ  ｓｉｇｎａｌ、ＳＲＳ）を用いた方法を挙げることができる。ｅＮＢは、ＵＥが周期的或いは任意的に送信するＳＲＳを受信し、この受信した信号に基づいて上記ＵＥのタイミング経過値を計算し、これをＵＥに知らせる。これによって、上記ＵＥは自身の送信タイミングを更新する。マクロセルの場合は、セルの半径が大きいため、マクロセル内ＵＥの位置によってタイミング経過値が異なりうる。しかし、スモールセルの場合は、セルの半径が小さいため、タイミング経過値は０と同一であってもよい。この場合、スモールセル内でハンドオーバー又はサービングセル変更を行うＵＥは、新しいサービングセルに対して上りリンク同期化を行って新しいサービングセルの上りリンクタイミング経過値を得る過程を省略することができる。
【０２２１】
ＵＥのサービングセル変更に対するオーダー（ｏｒｄｅｒ）がある場合、ＵＥは、当該オーダーに対するＡＣＫ情報を、サービングセル変更を行う新しいサービングセルに送信することができる。この時、ＵＥは、ＲＲＣ信号、ＭＡＣ ＣＥ、又は（ｅ）ＰＤＣＣＨを介して指示された既存サービングセル及び／又は新しいサービングセルのＰＵＳＣＨを介してＡＣＫ情報を送信することができる。又は、事前に定義された既存サービングセルの及び／又は新しいサービングセルのＰＵＣＣＨを介してＡＣＫ情報を送信することもできる。又は、ＵＥは、サービングセル変更オーダーを受信すると、新しいサービングセルにＳＲＳを送信することができる。このとき、ＲＲＣ信号、ＭＡＣ ＣＥ、又は（ｅ）ＰＤＣＣＨを介してＵＥがＳＲＳを送信するタイミングに関する情報、ＳＲＳ送信ＲＢなどに関する情報が送信されてもよい。
【０２２２】
ＵＥのサービングセルを運用／制御するｅＮＢ又はＵＥのＰｃｅｌｌ（又は、マクロセル）を運用／制御するｅＮＢは、サービングセル変更に対するオーダーを受信したＵＥが新しいサービングセルにＡＣＫを送信してサービングセル変更を行うか、或いは、ＳＲＳを送信してサービングセル変更を行うかを、上位層信号（例、ＲＲＣ信号）、ＭＡＣ ＣＥ又は（ｅ）ＰＤＣＣＨを介して定めることができる。
【０２２３】
ＵＥのサービングセルが特定セルに変更される場合、ＵＥのサービングセルを運用／制御するｅＮＢ又はＵＥのＰｃｅｌｌ（又は、マクロセル）を運用／制御するｅＮＢは、ＵＥに使用する非−競合ＲＡＣＨリソースに関する情報を提供することができる。既存サービングセルから受けたＣ−ＲＮＴＩは、スモールセル集合Ｂ内の他のセルへとサービングセルが変更されても、相変わらず用いられてもよく、Ｃ−ＲＮＴＩが変わる必要がある場合には、新しいサービングセルが新しいＣ−ＲＮＴＩを指定してもよい。ＲＡＣＨ過程のためには、既存サービングセルから指定したＲＡＣＨリソースとは別のＲＡＣＨリソースが割り当てられないと、ＵＥは、既存サービングセルから提供されたＣ−ＲＮＴＩを用いてＲＡＣＨ過程を行うことができる。セル変更命令（ｓｗｉｔｃｈ  ｃｏｍｍａｎｄ）を受けた時点（例、ＰＤＣＣＨオーダーを受けた時点）がサブフレームｎであると、ＵＥは、サブフレームｎ＋ｋ（ＦＤＤにおいてｋ≧６）に非−競合ベースＲＡＣＨプリアンブルを送信する。
【０２２４】
サービングセル変更が起きた場合、全てのＨＡＲＱバッファは空になり（ｆｌｕｓｈ）、ＨＡＲＱソフトバッファ区画（ｐａｒｔｉｔｉｏｎ）も新しく指定されてもよい。ＵＥにＳｃｅｌｌが設定されている場合、ＳｃｅｌｌはＰｃｅｌｌの変更過程において維持されてもよい。以前（ｐｒｅｖｉｏｕｓ）Ｐｃｅｌｌ或いは候補Ｐｃｅｌｌは、ＵＥに設定されたＳｃｅｌｌを維持するか非活性化するかを知らせることができる。Ｓｃｅｌｌの非活性化が指示される場合、上記Ｓｃｅｌｌに対して非活性化過程が行われる。
【０２２５】
ＵＥのサービングセルを運用／制御するｅＮＢ又はＵＥのＰｃｅｌｌ（又は、マクロセル）を運用／制御するｅＮＢは、ＵＥのスモールセル集合Ｂに属するセルに対してサービングセル変更優先権（ｐｒｉｏｒｉｔｙ）値を提供したり、サービングセル変更時に最高の優先権を有するセルに関する情報をＵＥに提供することができる。ＵＥは、このような情報を用いてサービングセルを決定することができる。例えば、無線リンクモニタリング（ｒａｄｉｏ  ｌｉｎｋ  ｍｏｎｉｔｏｒｉｎｇ、ＲＬＭ）を行った結果、ＵＥとサービングセルとの接続が切れたとＵＥが判断した場合、ＵＥは、サービングセル変更優先権を有する又はサービングセル変更優先権値が最も高いセルへとサービングセルを変更することができる。サービングセル変更のために、ＵＥは、ＲＡＣＨプリアンブルを、優先権が最も高いセルに送ることができ、このＲＡＣＨプリアンブルを受信したセルは、上位層ハンドオーバー過程無しで上記ＵＥのサービングセルへと設定可能になる。この場合、ＵＥは、自身に割り当てられた非−競合ベースＲＡＣＨリソースを使用するが、ＲＡＣＨタイミングは、設定された情報に基づいて新しく接続するセル、すなわち、ターゲットセルのＲＡＣＨタイミングに従うことができる。
【０２２６】
＜実施例Ｂ．ＯＦＦ状態検出（ＯＦＦ状態ｄｅｔｅｃｔｉｏｎ）＞
スモールセル集合Ａ内の各セルはＯＮ状態或いはＯＦＦ状態である。ＯＦＦ状態のセルは、ＵＥのスモールセル集合Ｂに含まれなくてもよい。
【０２２７】
物理チャネル送信と関連して、特定セルがＯＦＦ状態であるということは、当該セルの物理チャネルが送信されないことを意味することができる。また、物理信号（ｐｈｙｓｉｃａｌ  ｓｉｇｎａｌ）送信と関連して、特定セルがＯＦＦ状態であるということは、当該セルのＣＲＳ／ＴＲＳ（ｔｒａｃｋｉｎｇ  ＲＳ）及び／又は同期信号（ｓｙｎｃｈｒｏｎｉｚａｔｉｏｎ  ｓｉｇｎａｌ、ＳＳ）のみが、現在と同一であるか又は現在よりも大きい周期で送信されることを意味することができる。又は、特定セルがＯＦＦ状態であるということは、特定セルに、現在３ＧＰＰ ＬＴＥ標準で定義された物理信号の代わりに、ディスカバリ信号（ｄｉｓｃｏｖｅｒｙ  ｓｉｇｎａｌ）という新しい信号が周期的に送信されることを意味することができる。
【０２２８】
ＵＥは、特定セルに対して正しいＲＲＭとセルにおける信号の送信／受信動作を行うために、スモールセルクラスター内／外の隣接セル（ｎｅｉｇｈｂｏｒ  ｃｅｌｌ）、ＵＥのスモールセル集合Ａ内のセル、又はスモールセル集合Ｂ内のセルが、ＯＮ状態かＯＦＦ状態かを把握する必要がある。ディスカバリ信号は、既存の信号（例、ＰＳＳ／ＳＳＳ、ＣＲＳ、ＴＲＳ）と同一／類似の形態の信号であってもよく、新しい形態の信号であってもよい。ディスカバリ信号は、ＯＦＦ状態のセルの検出のための信号であるが、セルがＯＮ状態のときにもＯＦＦ状態と同様に送信されてもよい。
【０２２９】
ディスカバリ信号がＯＦＦ状態のセルのみで送信される場合、ＵＥは、ブラインド検出から、当該セルがＯＮ状態かＯＦＦ状態かを判断することができる。ＵＥは、ディスカバリ信号が検出されたセルをＯＦＦ状態のセルと判断することができる。
【０２３０】
ディスカバリ信号がＯＦＦ状態のセルの他にＯＮ状態のセルでも送信される場合にも、ＵＥは、ブラインド検出から、当該セルがＯＮ状態かＯＦＦ状態かを判断することができる。特に、ＯＦＦ状態で送信されるディスカバリ信号とＯＮ状態で送信されるディスカバリ信号とが異なったシーケンスを使用したり、送信周期が異なる場合、ＵＥは、ブラインド検出から、セルのＯＮ／ＯＦＦ状態を判断できる。ディスカバリ信号がＯＮ状態でも送信されたり、ＯＦＦ状態で送信されるディスカバリ信号とＯＮ状態で送信されるディスカバリ信号とが同一であるとともに、周期が同一か或いは互いに異なる場合、ブラインド検出からはセルのＯＦＦ状態を迅速に検出することができない。ＯＮ状態でもディスカバリ信号が送信される環境下で、迅速なＯＦＦ状態の検出のために、ＯＦＦ状態のセルのためのディスカバリ信号の生成に用いられるセルＩＤとＯＮ状態のセルのためのディスカバリ信号の生成に用いられるセルＩＤとを異なるように設定することを提案する。例えば、総５０４個のセルＩＤが存在すると仮定すれば、ＯＮ状態のセルは、０乃至２５１のセルＩＤのいずれか一つを用いてディスカバリ信号を生成し、ＯＦＦ状態のセルは、２５２乃至５０３のセルＩＤのいずれか一つを用いてディスカバリ信号を生成することができる。他の例として、ＯＮ状態のセルは、偶数セルＩＤを用いてディスカバリ信号を生成し、ＯＦＦ状態のセルは、奇数セルＩＤを用いてディスカバリ信号を生成することができる。セルがＯＮ状態であるときのセルＩＤとＯＦＦ状態であるのセルＩＤとが特定の関係を有するように定義することもできる。例えば、ＯＮ状態のセルＩＤがＮであるセルは、ＯＦＦ状態ではＮ＋２５２のセルＩＤを用いるように指定することができる。他の例として、ＯＮ状態のセルＩＤがＮであるセルは、ＯＦＦ状態ではＮ＋１のセルＩＤを用いるように指定することもできる。ＯＦＦ状態でセルが使用可能な別個のセルＩＤを指定したり新しく導入したりすることもできる。
【０２３１】
ＵＥがＯＮ状態のセルによるディスカバリ信号とＯＦＦ状態のセルによるディスカバリ信号とを容易に区分できるようにするために、セルのＯＮ／ＯＦＦ状態によって、ディスカバリ信号に異なったスクランブリングシーケンスを適用することができる。セルはディスカバリ信号を生成する際、特定スクランブリングシーケンスを適用し、ＵＥは、当該スクランブリングシーケンスを用いて上記ディスカバリ信号を検出することによって、上記ディスカバリ信号がＯＮ状態のセルで送信される信号か、或いはＯＦＦ状態のセルで送信されるディスカバリ信号かを判断することができる。
【０２３２】
又は、ディスカバリ信号自体が、当該セルがＯＮ状態かＯＦＦ状態かを知らせるためのフィールド、ビット或いは情報を運ぶこともできる。
【０２３３】
ＵＥは、ＵＥのサービングセルを運用／制御するｅＮＢ又はＵＥのＰｃｅｌｌ（又は、マクロセル）を運用／制御するｅＮＢから、スモールセル集合Ａに存在するセルに関する情報を得ることができる。ＵＥは、特定セルが特定時点にＯＮ状態かＯＦＦ状態かが把握でき、ディスカバリ信号の送信時点、セルＩＤなどに関する情報を得ることができる。
【０２３４】
＜実施例Ｃ．スモールセルクラスターにおけるＲＲＭ＞
ＵＥは、ＵＥのサービングセルを運用／制御するｅＮＢ又はＵＥのＰｃｅｌｌ（又は、マクロセル）を運用／制御するｅＮＢに、周期的に／非周期的にサービングセル、スモールセル集合Ｂ内のセル、スモールセル集合Ａ内のセル、又は隣接セルに対するＲＲＭ結果及び／又はＲＬＭ結果を報告することができる。ＵＥのサービングセルを運用／制御するｅＮＢ、又はＵＥの他のサービングセルであるマクロセルを運用／制御するｅＮＢは、ＲＲＭ／ＲＬＭ結果報告に基づいて、ＵＥのサービングセルを変更するか否か、及び変更されるセル、すなわち、ターゲットセルを決定することができる。
【０２３５】
ＵＥのサービングセルを運用／制御するｅＮＢ又はＵＥのＰｃｅｌｌ（又は、マクロセル）を運用／制御するｅＮＢは、ＵＥのサービングセルをＯＦＦ状態のセルＢへと変更（又は、ハンドオーバー）すると決定することができる。この場合、ＵＥのサービングセルを運用／制御するｅＮＢ又はＵＥのＰｃｅｌｌ（又は、マクロセル）を運用／制御するｅＮＢは、現在ＯＦＦ状態であるセルＢを制御／運用するｅＮＢに、セルＢをＯＮ状態に取り替えるように要請することができる。セルＢがＯＮ状態になると、ＵＥのサービングセルを運用／制御するｅＮＢ又はＵＥのＰｃｅｌｌ（又は、マクロセル）を運用／制御するｅＮＢは、ＵＥに、セルＢへのサービングセルの変更（又は、ハンドオーバー）を命令することができる。
【０２３６】
又は、ＵＥが、ＯＦＦ状態のセルへのサービングセルの変更を決定することもできる。この場合、ＵＥは、セルＢの状態をＯＮ状態に切り替えることを要請するメッセージを、ＵＥのサービングセルを運用／制御するｅＮＢ、ＵＥのＰｃｅｌｌ（又は、マクロセル）を運用／制御するｅＮＢ、又はセルＢを制御／運用するｅＮＢに送信することができる。セルＢを制御／運用するｅＮＢは、ＵＥ又はＵＥのｅＮＢから当該メッセージを受信すると、セルＢの状態をＯＦＦ状態からＯＮ状態に切り替えることができる。
【０２３７】
ＵＥは、スモールセル集合Ａ内のセル、スモールセル集合Ｂ内のセル、又は隣接セルがＯＦＦ状態である場合、ＯＦＦ状態の当該セルが送信するディスカバリ／識別（ｉｄｅｎｔｉｆｉｃａｔｉｏｎ）信号を受信してＲＳＲＰ測定、ＲＳＲＱ測定などを行うことができる。
【０２３８】
図１４は、ディスカバリ信号の送信例を示す図である。
【０２３９】
図１４に示すように、ディスカバリ信号が送信される周期をＴ＿ｏｆｆｓｉｇとし、ＵＥがスモールセル集合Ａ内のセル、スモールセル集合Ｂ内のセル、又は隣接セルでＲＲＭを行う時間をＴ＿ＲＲＭとすれば、Ｔ＿ＲＲＭは、Ｔ＿ｏｆｆｓｉｇの値より大きい又は等しくてもよく、Ｔ＿ｏｆｆｓｉｇの値より小さくてもよい。このとき、Ｔ＿ｏｆｆｓｉｇは、ＵＥのスモールセル集合Ａ内のセル、スモールセル集合Ｂ内のセル、又は隣接セルのＲＲＭを行いながらも現在サービングセルとの接続（ｃｏｎｎｅｃｔｉｏｎ）を維持するために、ＵＥのサービングセルとの同期化を維持し得る時間範囲で定められる必要がある。このとき、ＵＥがスモールセル集合Ａ内のセル、スモールセル集合Ｂ内のセル、又は隣接セルに対するＲＲＭをより正確に行うように、Ｔ＿ＲＲＭを、Ｎ＊Ｔ＿ｏｆｆｓｉｇと等しいか又はＮ＊Ｔ＿ｏｆｆｓｉｇより大きく指定することができる。ここで、Ｎは１より大きい値である。
【０２４０】
ＵＥのスモールセル集合Ａ内のセル又はスモールセル集合Ｂ内のセルに対して、ＵＥは、ＵＥのサービングセルを運用／制御するｅＮＢ又はＵＥのＰｃｅｌｌ（又は、マクロセル）を運用／制御するｅＮＢから又は各セルを制御／運用するｅＮＢから、ディスカバリ信号送信タイミングに関する情報（例、各セルで使用するＴ＿ｏｆｆｓｉｇ）を得てディスカバリ信号を受信するために用いることができる。
【０２４１】
ＵＥのサービングセルを運用／制御するｅＮＢ又はＵＥのＰｃｅｌｌ（又は、マクロセル）を運用／制御するｅＮＢは、ＵＥに、特定スモールセル集合Ａ内のセル、スモールセル集合Ｂ内のセル、又は隣接セルに対してＲＲＭを行うことを要請しながら、特定セルのディスカバリ信号送信タイミング／周期、セルＩＤなどの情報を知らせることができる。
【０２４２】
スモールセル集合Ａ又はスモールセル集合Ｂ内のセルの各セルでＯＦＦ状態のディスカバリ／識別信号を正しく受信できず、当該セルが存在するか否かが判断できない場合、ＵＥは、上記ＵＥのサービングセルを運用／制御するｅＮＢ又はＵＥのＰｃｅｌｌ（又は、マクロセル）を運用／制御するｅＮＢに、このような事実を知らせることができる。ＵＥは、スモールセル集合Ａ内のセル又はスモールセル集合Ｂ内の特定セルがＯＦＦ状態であり、該特定セルがＯＦＦ状態で何ら信号も送信しない場合、ＵＥは、この特定セルが再びＯＮ状態になる時間を把握し、この特定セルが定められた時間にＯＮ状態になるかを判断することができる。上記特定セルが定められた時間にＯＮ状態にならず、ＵＥが、上記特定セルが存在するか否かを判断できない場合、上記ＵＥは、ＵＥのサービングセルを運用／制御するｅＮＢ又はＵＥのＰｃｅｌｌ（又は、マクロセル）を運用／制御するｅＮＢに、このような情報を伝達するこができる。
【０２４３】
ＵＥがＲＲＭ結果を、ＵＥのサービングセルを運用／制御するｅＮＢ又はＵＥのＰｃｅｌｌ（又は、マクロセル）を運用／制御するｅＮＢに報告するとき、当該ＲＲＭ報告がＯＮ状態のセルに関するものか或いはＯＦＦ状態のセルに関するものかをさらに知らせることができる。さらに詳しくは、ＯＦＦ状態のセルに対するＲＲＭ報告を行うとき、ＵＥは、ＯＦＦ状態セルに対するＲＲＭであることを示す情報を明示的に送信することができる。
【０２４４】
ＵＥがＯＦＦ状態のセルに対するＲＲＭ報告をする時に用いる臨界値は、ＯＮ状態にあるセルに対するＲＲＭ報告のために用いる臨界値とは別に、上位層信号で設定されたり指定されてもよい。また、ＵＥは、スモールセル集合Ａ内のセル又はスモールセル集合Ｂ内のセルでないか、サービングセルから該当のセルに対するＲＲＭ要請を受信していない場合、ＯＦＦ状態にいるセルに対するＲＲＭ報告をしない。例えば、ＵＥがＯＦＦ状態のセル４のディスカバリ信号を読むことができても、セル４がスモールセル集合Ａ内のセル又はスモールセル集合Ｂ内のセルでないか、又は上記セル４に対するＲＲＭ要請を受信していないと、上記ＵＥはセル４に対するＯＦＦ状態のＲＲＭ報告をしない。
【０２４５】
ＵＥに設定されたスモールセル集合Ａ内のセル又はスモールセル集合Ｂ内のセルがＯＮ状態であっても、ＵＥが当該セルのカバレッジ外に存在したり、チャネル状態がよくないことから、当該セルに対するＲＲＭを持続して行う必要がない場合もある。又は、スモールセル集合Ａ内のセルが多数存在することから、全てのスモールセルのＲＲＭを行う必要がない場合もある。本発明では、このような場合に、ＵＥが不要なスモールセル集合Ａ内のセル又は隣接セルに対してＲＲＭを行うことを防止するために、当該セルがＯＮ状態だとＵＥに偽情報を知らせることを提案する。この場合、ＵＥは、当該セルがＯＦＦ状態にあると知っている期間において当該セルに対するＲＲＭを行わなくてもよい。このような偽のＯＦＦ状態は、ＵＥ−特定的に設定することができる。
【０２４６】
一方、セルがＯＮ状態でもディスカバリ信号を送信したり、ディスカバリ信号がＯＮ状態で送信するチャネル／信号と同一の形態を有する場合、ＵＥは、当該セルがＯＦＦ状態にあると仮定し、ディスカバリ信号を用いてＲＲＭを行うこともできる。
【０２４７】
＜実施例Ｄ．マクロセル及びスモールセルのためのＵＥ ＩＤ＞
既存システムでは、同一位置で用いられるセル、すなわち、ＣＣの集成のみを考慮している。しかし、互いに異なるノードのＣＣを集成することも可能である。言い換えると、互いに異なる地理的領域に対応するセルを集成することも可能である。
【０２４８】
ＵＥ ＩＤは、任意接続過程でｅＮＢによって設定される。例えば、Ｃ−ＲＮＴＩは、セル内でＵＥを識別するものであり、臨時的、準−静的（ｓｅｍｉ−ｐｅｒｓｉｓｔｅｎｔ）或いは永久的（ｐｅｒｍａｎｅｎｔ）である。臨時Ｃ−ＲＮＴＩは、臨時接続過程で割り当てられ、競合解決後には永久的Ｃ−ＲＮＴＩになってもよい。準−静的Ｃ−ＲＮＴＩは、ＰＤＣＣＨを介した準−静的リソースをスケジュールするために用いられ、準−静的スケジューリング（ｓｅｍｉ−ｐｅｒｓｉｓｔｅｎｔ  ｓｃｈｅｄｕｌｉｎｇ、ＳＰＳ）Ｃ−ＲＮＴＩとも呼ばれる。永久的Ｃ−ＲＮＴＩは、任意接続過程の競合解決後に割り当てられるＣ−ＲＮＴＩ値であり、動作リソースをスケジュールするために用いられる。本発明では、ＵＥがマクロセルとスモールセルとを搬送波集成して用いる場合、マクロセルで使用するＵＥのＵＥ ＩＤとスモールセルで使用するＵＥのＵＥ ＩＤとを分離して使用することを提案する。
【０２４９】
本発明によれば、例えば、ＵＥのマクロセルにおけるＵＥ ＩＤとスモールセルにおけるＵＥ ＩＤとが分離されているとすれば、特定ＵＥがマクロセル１をＰｃｅｌｌとして使用し、スモールセル１をＳｃｅｌｌとして使用するが、マクロセル２へとＰｃｅｌｌのみを移動し、スモールセル１をＳｃｅｌｌとしてそのまま使用するとき、ＵＥ ＩＤを変更しないで動作することができる。他の例として、ＵＥのマクロセルにおけるＵＥ ＩＤとスモールセルにおけるＵＥ ＩＤとが分離されているとすれば、特定ＵＥがマクロセル１をＰｃｅｌｌとして使用し、スモールセル１をＳｃｅｌｌとして使用するが、ＵＥがスモールセル１と同一クラスター内に存在するスモールセル２へとＰｃｅｌｌを変更したとき、ＵＥのスモールセル用ＵＥ ＩＤを変更しないで動作することができる。
【０２５０】
本発明の実施例Ａ、実施例Ｂ、実施例Ｃ及び実施例Ｄは別々に適用されてもよく、き２つ以上が併せて適用されてもよい。
【０２５１】
図１５は、本発明を実行する送信装置１０及び受信装置２０の構成要素を示すブロック図である。
【０２５２】
送信装置１０及び受信装置２０は、情報及び／又はデータ、信号、メッセージなどを搬送する無線信号を送信又は受信できる無線周波数（ｒａｄｉｏ  ｆｒｅｑｕｅｎｃｙ、ＲＦ）ユニット１３，２３と、無線通信システムにおける通信と関連した各種情報を記憶するメモリ１２，２２と、上記ＲＦユニット１３，２３及びメモリ１２，２２などの構成要素と動作的に連結され、上記構成要素を制御して該当装置が前述した本発明の実施例の少なくとも１つを行うようにメモリ１２，２２及び／又はＲＦユニット１３，２３を制御するように構成された（ｃｏｎｆｉｇｕｒｅｄ）プロセッサ１１、２１とをそれぞれ備える。
【０２５３】
メモリ１２，２２は、プロセッサ１１，２１の処理及び制御のためのプログラムを格納することができ、入／出力される情報を臨時記憶することができる。メモリ１２，２２をバッファとして活用することができる。
【０２５４】
プロセッサ１１，２１は、通常、送信装置又は受信装置内の各種モジュールの全般的な動作を制御する。特に、プロセッサ１１，２１は、本発明を実行するための各種の制御機能を実行することができる。プロセッサ１１，２１は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ぶこともできる。プロセッサ１１，２１は、ハードウェア（ｈａｒｄｗａｒｅ）、ファームウェア（ｆｉｒｍｗａｒｅ）、ソフトウェア、又はそれらの結合によって具現することができる。ハードウェアを用いて本発明を具現する場合には、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などをプロセッサ４００ａ，４００ｂに具備することができる。一方、ファームウェアやソフトウェアを用いて本発明を具現する場合には、本発明の機能又は動作を実行するモジュール、手順又は関数などを含むようにファームウェアやソフトウェアを構成することができ、本発明を実行するように構成されたファームウェア又はソフトウェアは、プロセッサ１１，２１内に設けられてもよく、メモリ１２，２２に記憶されてプロセッサ１１，２１によって駆動されてもよい。
【０２５５】
送信装置１０のプロセッサ１１は、プロセッサ１１又はプロセッサ１１と接続されたスケジューラからスケジュールされて外部に送信される信号及び／又はデータに対して所定の符号化（ｃｏｄｉｎｇ）及び変調（ｍｏｄｕｌａｔｉｏｎ）を行った後にＲＦユニット１３に送信する。例えば、プロセッサ１１は、送信しようとするデータ列を逆多重化及びチャネル符号化、スクランブリング、変調過程などを経てＮlayer個のレイヤに変換する。符号化されたデータ列はコードワードとも呼ばれ、ＭＡＣ層の提供するデータブロックである送信ブロックと等価である。１つの送信ブロック（ｔｒａｎｓｐｏｒｔ  ｂｌｏｃｋ、ＴＢ）は１つのコードワードにコーディングされ、各コードワードは、１つ以上のレイヤの形態で受信装置に送信される。周波数アップコンバートのためにＲＦユニット１３はオシレーター（ｏｓｃｉｌｌａｔｏｒ）を備えることができる。ＲＦユニット１３は、Ｎt個（Ｎtは１以上の正の整数）の送信アンテナを有することができる。
【０２５６】
受信装置２０の信号処理過程は、送信装置１０の信号処理過程の逆に構成される。プロセッサ２１の制御下に、受信装置２０のＲＦユニット２３は送信装置１０によって送信された無線信号を受信する。ＲＦユニット２３はＮr個の受信アンテナを有することができ、ＲＦユニット２３は、受信アンテナで受信した信号のそれぞれを周波数ダウンコンバート（ｆｒｅｑｕｅｎｃｙ  ｄｏｗｎ−ｃｏｎｖｅｒｔ）して基底帯域信号に復元する。ＲＦユニット２３は、周波数ダウンコンバートのためにオシレーターを備えることができる。プロセッサ２１は、受信アンテナで受信した無線信号に対する復号（ｄｅｃｏｄｉｎｇ）及び復調（ｄｅｍｏｄｕｌａｔｉｏｎ）を行い、送信装置１０が本来送信しようとしたデータを復元することができる。
【０２５７】
ＲＦユニット１３，２３は、１つ以上のアンテナを具備する。アンテナは、プロセッサ１１，２１の制御下に、本発明の一実施例によって、ＲＦユニット１３，２３によって処理された信号を外部に送信したり、外部から無線信号を受信してＲＦユニット１３，２３に伝達する機能を果たす。アンテナは、アンテナポートとも呼ばれる。各アンテナは、１つの物理アンテナに該当してもよく、１つよりも多い物理アンテナ要素（ｅｌｅｍｅｎｔ）の組合せによって構成されてもよい。各アンテナから送信された信号は、受信装置２０でそれ以上分解することができない。該当アンテナに対応して送信された参照信号（ｒｅｆｅｒｅｎｃｅ  ｓｉｇｎａｌ、ＲＳ）は、受信装置２０の観点で見たアンテナを定義し、チャネルが１つの物理アンテナからの単一（ｓｉｎｇｌｅ）無線チャネルか或いは上記アンテナを含む複数の物理アンテナ要素（ｅｌｅｍｅｎｔ）からの合成（ｃｏｍｐｏｓｉｔｅ）チャネルかに関係なく、上記受信装置２０にとって上記アンテナに対するチャネル推定を可能にする。すなわち、アンテナは、上記アンテナ上のシンボルを伝達するチャネルが、上記同一アンテナ上の他のシンボルが伝達される上記チャネルから導出されうるように定義される。複数のアンテナを用いてデータを送受信する多重入出力（Ｍｕｌｔｉ−Ｉｎｐｕｔ  Ｍｕｌｔｉ−Ｏｕｔｐｕｔ、ＭＩＭＯ）機能を支援するＲＦユニットの場合は、２個以上のアンテナと接続することができる。
【０２５８】
本発明の実施例において、ＵＥは、上りリンクでは送信装置１０として動作し、下りリンクでは受信装置２０として動作する。本発明の実施例において、ｅＮＢは、上りリンクでは受信装置２０として動作し、下りリンクでは送信装置１０として動作する。以下、ＵＥに具備されたプロセッサ、ＲＦユニット及びメモリを、ＵＥプロセッサ、ＵＥ  ＲＦユニット及びＵＥメモリとそれぞれ称し、ｅＮＢに具備されたプロセッサ、ＲＦユニット及びメモリを、ｅＮＢプロセッサ、ｅＮＢ  ＲＦユニット及びｅＮＢメモリとそれぞれ称する。
【０２５９】
本発明に係るｅＮＢプロセッサは、本発明の実施例Ａの代案１、代案２及び代案３のいずれかによって、スモールセル集合Ａに関するスモールセル集合Ａ設定情報、上記スモールセル集合Ａに対応するパラメータセットに関するスモールセル集合Ａパラメータセット情報を送信するように、ｅＮＢ ＲＦユニットを制御することができる。ＵＥ ＲＦユニットは、スモールセル集合Ａ設定情報及び上記スモールセル集合Ａパラメータセット情報を受信し、ＵＥプロセッサに伝達することができる。上記ＵＥプロセッサは、上記スモールセル集合Ａと該当のパラメータセットをＵＥメモリに記憶させることができる。上記ｅＮＢプロセッサは、スモールセル集合Ａのうちいずれのセル或いはパラメータセットがスモールセル集合Ｂに該当するかを示すスモールセル集合Ｂ設定情報をＵＥに送信するように、ｅＮＢ ＲＦユニットを制御することができる。ＵＥ ＲＦユニットは、上記スモールセル集合Ｂ設定情報を受信することができ、ｅＮＢは、上記スモールセル集合Ｂ設定情報に基づいてスモールセル集合Ｂを設定することができる。上記ｅＮＢプロセッサは、スモールセル集合Ｂのうち、ＵＥが実際に信号の送信／受信に用いるサービングセル或いはパラメータセットを示す指示情報を送信するように、ｅＮＢ ＲＦユニットを制御することができる。上記ＵＥ ＲＦユニットは、上記指示情報を受信することができる。上記ＵＥプロセッサは、上記指示情報に対応するパラメータセットを用いて、ＵＥ ＲＦユニットに下りリンク信号を受信させたり、或いは上記ＵＥ ＲＦユニットが受信した下りリンク信号を復号することができる。上記ＵＥプロセッサは、上記指示情報に対応するパラメータセットを用いて、上りリンク信号を生成したり、或いは上記ＵＥ ＲＦユニットに上りリンク信号を送信させることができる。
【０２６０】
本発明の実施例Ａと併せて或いは別に適用される実施例Ｂによって、ｅＮＢプロセッサは、上記ｅＮＢプロセッサによって制御されるセルを通じてディスカバリ信号を送信するように、ｅＮＢ ＲＦユニットを制御することができる。ｅＮＢプロセッサは、ＯＦＦ状態のセルでのみディスカバリ信号を送信するようにｅＮＢ ＲＦユニットを制御してもよく、ＯＮ状態のセル、ＯＦＦ状態のセルの両方でディスカバリ信号を送信するものの、セルのＯＮ／ＯＦＦ状態によって、異なるシーケンス、異なるセルＩＤ、異なる周期及び異なるスクランブリングシーケンスによるディスカバリ信号を送信するように、ｅＮＢ ＲＦユニットを制御することができる。ＵＥ ＲＦユニットは、ディスカバリ信号を受信することができる。ＵＥプロセッサは、ディスカバリ信号に対する復号を試みることによって、ＯＦＦ状態のセルが送信するディスカバリ信号及び／又はＯＮ状態のセルが送信するディスカバリ信号を検出することができる。
【０２６１】
本発明の実施例Ａ及び／又は実施例Ｂと併せて或いは別に適用される実施例Ｃによって、ｅＮＢプロセッサは、ＲＲＭ報告を要請するメッセージを送信するように、ｅＮＢ ＲＦユニットを制御することができる。ＵＥ ＲＦユニットは、上記メッセージを受信することができる。ＵＥプロセッサは、上記メッセージに対する応答として、ＲＲＭ報告が要請されたセルに対するＲＲＭ測定結果を報告することができる。ＯＦＦ状態のセルに対してＲＲＭ報告要請をしようとするｅＮＢプロセッサは、上記セルが上記ｅＮＢによって制御されるセルであれば、ＯＮ状態にセルの状態を変更し、上記セルが他のｅＮＢによって制御されるセルであれば、ＯＮ状態への状態変更を、上記他のｅＮＢに要請することができる。ＵＥ ＲＦユニットがＯＦＦ状態のセルに対してＲＲＭ報告要請を受信した場合、ＵＥプロセッサは、上記セルの状態をＯＮに変更することを要請する信号を送信するように、ＵＥ ＲＦユニットを制御することができる。ＯＦＦ状態のセルの場合、ＵＥプロセッサは、上記セルのディスカバリ信号（或いは、識別信号ともいう）を用いてＲＲＭ測定を行うことができる。
【０２６２】
本発明の実施例Ａ、実施例Ｂ及び／又は実施例Ｃと併せて或いは別に適用される実施例Ｄによって、本発明のｅＮＢプロセッサは、スモールセルとマクロセルに対して異なったＵＥ ＩＤを用いて信号を送信／受信するように、ｅＮＢ ＲＦユニットを制御することができる。本発明のＵＥプロセッサは、スモールセルとマクロセルに対して異なったＵＥ ＩＤを用いて信号を送信／受信するように、ＵＥ ＲＦユニットを制御することができる。
【０２６３】
本発明の実施例は、スモールセルだけでなく、一般的ないかなるセルにも適用することができる。例えば、一般的なセルに対しては、本発明の実施例に関する説明において、スモールセルクラスター、スモールセル集合Ａ及びスモールセル集合Ｂを、セルクラスター、セル集合Ａ及びセル集合Ｂに置き換えて適用すればよい。
【０２６４】
上述したように開示された本発明の好適な実施例に関する詳細な説明は、当業者が本発明を具現して実施できるように提供された。上記では本発明の好適な実施例を参照して説明したが、当該技術の分野における熟練した当業者にとっては、添付の特許請求の範囲に記載された本発明を様々に修正及び変更させることができるということは明らかである。したがって、本発明は、ここに開示された実施の形態に制限しようとするものではなく、ここに開示された原理及び新規な特徴と一致する最も広い範囲を与えようとするものである。
【産業上の利用可能性】
【０２６５】
本発明の実施例は、無線通信システムにおいて、基地局又はユーザ機器、その他の装備に用いることができる。
【図１】
0006426106.tif 000035
【図２】
0006426106.tif 000036
【図３】
0006426106.tif 000037
【図４】
0006426106.tif 000038
【図５】
0006426106.tif 000039
【図６】
0006426106.tif 000040
【図７】
0006426106.tif 000041
【図８】
0006426106.tif 000042
【図９】
0006426106.tif 000043
【図１０】
0006426106.tif 000044
【図１１】
0006426106.tif 000045
【図１２】
0006426106.tif 000046
【図１３】
0006426106.tif 000047
【図１４】
0006426106.tif 000048
【図１５】
0006426106.tif 000049